(57)【要約】【課題】  この発明は、ＢＤの表示画像に対する詳細画像を、ＢＤ２の表示能力に関係なく、詳細な画像を印刷することができ、利便性の高い印刷サービスを提供できる。【解決手段】  この発明は、印刷用のデータを保持しコンテンツサーバによって入出力制御されるプリントコンテンツデータベースとがそれぞれインターネットに接続され、全てもしくは一部が、インターネットに接続されることにより構成されるプリントシステムにおいて、印刷対象を特定する情報以外に、認証情報、課金情報、印刷に関する詳細設定情報を含み、ユーザ毎もしくはドキュメント毎に割り当てられ一意に対象を特定しうる印刷ＩＤを発行・利用することができるようにしたものである。【選択図】    図１
2004157992.tif 000002
【特許請求の範囲】
【請求項１】
Ｗｅｂサーバやメールサーバなどのように情報の送受信を処理するコンテンツサーバと、
印刷要求の受信や印刷の起動などの印刷関連処理を制御するプリンタコントローラと、
印刷処理を行い情報を紙面に出力するプリンタデバイスと、
印刷に関連する課金・統計・履歴管理・認証・セキュリティ管理・データ管理等の処理を行うプリントオンデマンドサーバと、
印刷用のデータを保持しコンテンツサーバによって入出力制御されるプリントコンテンツデータベースとがそれぞれインターネットに接続され、全てもしくは一部が、インターネットに接続されることにより構成されるプリントシステムにおいて、
印刷対象を特定する情報以外に、認証情報、課金情報、印刷に関する詳細設定情報を含み、ユーザ毎もしくはドキュメント毎に割り当てられ一意に対象を特定しうる印刷ＩＤを発行・利用することができるプリントシステム。
【請求項２】
Ｗｅｂサーバやメールサーバなどのように情報の送受信を処理するコンテンツサーバと、
印刷要求の受信や印刷の起動などの印刷関連処理を制御するプリンタコントローラと、
印刷処理を行い情報を紙面に出力するプリンタデバイスと、
印刷に関連する課金・統計・履歴管理・認証・セキュリティ管理・データ管理等の処理を行うプリントオンデマンドサーバと、
印刷用のデータを保持しコンテンツサーバによって入出力制御されるプリントコンテンツデータベースとがそれぞれ、インターネットに接続され、
印刷データをプリンタコントローラに対して送信する場合の送信時期を、印刷データの内容、印刷要求者の過去の利用履歴、印刷機器の性能、ネットワークの通信状況などに応じて、送信処理を行うことができるプリントシステム。
【請求項３】
Ｗｅｂサーバやメールサーバなどのように情報の送受信を処理するコンテンツサーバと、
印刷要求の受信や印刷の起動などの印刷関連処理を制御するプリンタコントローラと、
印刷処理を行い情報を紙面に出力するプリンタデバイスと、
印刷に関連する課金・統計・履歴管理・認証・セキュリティ管理・データ管理等の処理を行うプリントオンデマンドサーバと、
印刷用のデータを保持しコンテンツサーバによって入出力制御されるプリントコンテンツデータベースとがそれぞれ、インターネットに接続され、
印刷データの先行配信を行うの配信方法を、印刷データの内容、印刷要求者の過去の利用履歴、印刷機器の性能、ネットワークの通信状況などに応じて、送信処理を行うことができるプリントシステム。
【請求項４】
Ｗｅｂサーバやメールサーバなどのように情報の送受信を処理するコンテンツサーバと、
印刷要求の受信や印刷の起動などの印刷関連処理を制御するプリンタコントローラと、
印刷処理を行い情報を紙面に出力するプリンタデバイスと、
印刷に関連する課金・統計・履歴管理・認証・セキュリティ管理・データ管理等の処理を行うプリントオンデマンドサーバと、
印刷用のデータを保持しコンテンツサーバによって入出力制御されるプリントコンテンツデータベースとがそれぞれインターネットに接続され、
インターネットにアクセスできる携帯電話や携帯端末などのブラウザデバイスが受信したデータの存在位置を特定する情報（ＵＲＬなど）を、ブラウザデバイスからプリンタコントローラに送信することにより、プリンタコントローラが受信した情報に基づいて印刷対象となるデータを取得し、プリンタデバイスを通じてそのデータを印刷することができるプリントシステム。
【請求項５】
Ｗｅｂサーバやメールサーバなどのように情報の送受信を処理するコンテンツサーバと、
印刷要求の受信や印刷の起動などの印刷関連処理を制御するプリンタコントローラと、
印刷処理を行い情報を紙面に出力するプリンタデバイスと、
印刷に関連する課金・統計・履歴管理・認証・セキュリティ管理・データ管理等の処理を行うプリントオンデマンドサーバと、
印刷用のデータを保持しコンテンツサーバによって入出力制御されるプリントコンテンツデータベースとがそれぞれインターネットに接続され、
インターネットにアクセスできる携帯電話や携帯端末などのブラウザデバイスからコンテンツサーバに対して印刷を要求することにより、印刷データがコンテンツサーバからプリンタコントローラに送信され、プリンタデバイスを通じてそのデータを印刷することができるプリントシステム。
【請求項６】
Ｗｅｂサーバやメールサーバなどのように情報の送受信を処理するコンテンツサーバと、
印刷要求の受信や印刷の起動などの印刷関連処理を制御するプリンタコントローラと、
印刷処理を行い情報を紙面に出力するプリンタデバイスと、
印刷に関連する課金・統計・履歴管理・認証・セキュリティ管理・データ管理等の処理を行うプリントオンデマンドサーバと、
印刷用のデータを保持しコンテンツサーバによって入出力制御されるプリントコンテンツデータベースとがそれぞれインターネットに接続され、
プリントオンデマンドサーバで発行される印刷ＩＤをコンテンツサーバを通じてインターネットにアクセスできる携帯電話や携帯端末などのブラウザデバイスが取得し、印刷ＩＤをブラウザデバイスからプリンタコントローラに送信することにより、プリンタコントローラが印刷データをコンテンツサーバから受信して、プリンタデバイスを通じてそのデータを印刷することができるプリントシステム。
【請求項７】
Ｗｅｂサーバやメールサーバなどのように情報の送受信を処理するコンテンツサーバと、
印刷要求の受信や印刷の起動などの印刷関連処理を制御するプリンタコントローラと、
印刷処理を行い情報を紙面に出力するプリンタデバイスと、
印刷に関連する課金・統計・履歴管理・認証・セキュリティ管理・データ管理等の処理を行うプリントオンデマンドサーバと、
印刷用のデータを保持しコンテンツサーバによって入出力制御されるプリントコンテンツデータベースとがそれぞれインターネットに接続され、
インターネットにアクセスできる携帯電話や携帯端末などのブラウザデバイスからコンテンツサーバに対して印刷を要求することにより、印刷データもしくはデータの存在位置を特定する情報がコンテンツサーバからプリントオンデマンドサーバを通じてプリントコンテンツデータベースに送信され、その後プリンタコントローラが印刷実行要求を受信すると、印刷実行要求の内容に従ってプリンタコントローラがプリントコンテンツデータベースから印刷データを受信して、プリンタデバイスを通じてそのデータを印刷することができるプリントシステム。
【請求項８】
インターネットにアクセスできる携帯電話や携帯端末などのブラウザデバイスと、
Ｗｅｂサーバやメールサーバなどのように情報の送受信を処理するコンテンツサーバと、
印刷要求の受信や印刷の起動などの印刷関連処理を制御するプリンタコントローラと、
印刷処理を行い情報を紙面に出力するプリンタデバイスと、
印刷に関連する課金・統計・履歴管理・認証・セキュリティ管理・データ管理等の処理を行うプリントオンデマンドサーバと、
印刷用のデータを保持しコンテンツサーバによって入出力制御されるプリントコンテンツデータベースとがそれぞれ、インターネットに接続され、印刷要求の内容に応じて、印刷すべき情報の表現を適切に変更することができるプリントシステム。
【請求項９】
Ｗｅｂサーバやメールサーバなどのように情報の送受信を処理するコンテンツサーバと、
印刷要求の受信や印刷の起動などの印刷関連処理を制御するプリンタコントローラと、
印刷処理を行い情報を紙面に出力するプリンタデバイスと、
印刷に関連する課金・統計・履歴管理・認証・セキュリティ管理・データ管理等の処理を行うプリントオンデマンドサーバと、
印刷用のデータを保持しコンテンツサーバによって入出力制御されるプリントコンテンツデータベースとがそれぞれインターネットに接続され、プリンタコントローラの周辺の一定範囲内にインターネットにアクセスできる携帯電話や携帯端末などのブラウザデバイスが進入した際に、プリンタコントローラからブラウザデバイスに対して印刷可能プリンタであることを通知し、もしくは当該ブラウザデバイスにより印刷要求済みのデータがあれば自動的にプリンタコントローラが印刷処理を起動することができるプリントシステム。
【請求項１０】
Ｗｅｂサーバやメールサーバなどのように情報の送受信を処理するコンテンツサーバと、
印刷要求の受信や印刷の起動などの印刷関連処理を制御するプリンタコントローラと、
印刷処理を行い情報を紙面に出力するプリンタデバイスと、
印刷に関連する課金・統計・履歴管理・認証・セキュリティ管理・データ管理等の処理を行うプリントオンデマンドサーバと、
印刷用のデータを保持しコンテンツサーバによって入出力制御されるプリントコンテンツデータベースとがそれぞれインターネットに接続され、プリンタコントローラが周辺に自分自身を識別する情報を発信することにより、インターネットにアクセスできる携帯電話や携帯端末などのブラウザデバイスからＰＵＳＨ印刷を指示する際に、プリンタコントローラからの識別情報が自動的にブラウザデバイスを通じてＰＵＳＨ印刷要求先に送信されるプリントシステム。
【請求項１１】
Ｗｅｂサーバやメールサーバなどのように情報の送受信を処理するコンテンツサーバと、
印刷要求の受信や印刷の起動などの印刷関連処理を制御するプリンタコントローラと、
印刷処理を行い情報を紙面に出力するプリンタデバイスと、
印刷に関連する課金・統計・履歴管理・認証・セキュリティ管理・データ管理等の処理を行うプリントオンデマンドサーバと、
印刷用のデータを保持しコンテンツサーバによって入出力制御されるプリントコンテンツデータベースとがそれぞれ全てもしくは一部が、インターネットに接続されることにより構成され、
プリンタコントローラが印刷データを受信する際に、プリンタコントローラの自己証明情報を送信し、印刷データ送信側では、正しい自己証明情報を受信できなければ印刷データを送信しないことにより、データを印刷以外の目的に利用できないプリントシステム。
【請求項１２】
Ｗｅｂサーバやメールサーバなどのように情報の送受信を処理するコンテンツサーバと、
印刷要求の受信や印刷の起動などの印刷関連処理を制御するプリンタコントローラと、
印刷処理を行うとともに情報を紙面に出力するプリンタデバイスと、
印刷に関連する課金・統計・履歴管理・認証・セキュリティ管理・データ管理等の処理を行うプリントオンデマンドサーバと、
印刷用のデータを保持しコンテンツサーバによって入出力制御されるプリントコンテンツデータベースとが全てもしくは一部が、インターネットに接続されることにより構成され、
印刷データそのものを受信したプリンタコントローラが、印刷データの内容を解析することによって、印刷データの存在位置を把握することができるプリントシステム。
【発明の詳細な説明】
【技術分野】
【０００１】
この発明は、インターネットにアクセスできる携帯電話（Ｗｅｂ電話・ブラウザフォン・スマートフォン）や携帯端末（Ｐａｌｍ、ＰＤＡ、サブノートパソコン）などのブラウザデバイスと、印刷機器を組み合わせることにより、印刷サービスを提供する携帯端末によるプリントシステムに関する。
【背景技術】
【０００２】
近年、携帯電話や携帯端末（以下、携帯端末）を用いて、移動中や外出先でもインターネット上の情報やメール等を閲覧できるようになった。しかし携帯端末は、「携帯する」という利用目的のために情報表示領域を大きくすることができず、詳細な情報の閲覧には限界がある。
【０００３】
そこで、携帯端末の情報表示機能を補完する目的で、携帯端末上の情報の印刷出力サービスが考えられている。現在のところ、携帯端末に直接小型プリンタを接続して情報を印刷出力することが主に考えられているが、「いつでもどこでも」利用できる、という携帯端末の利点を活かすためには、同時に小型プリンタも持ち歩かなければならないため、「手軽さ」という携帯端末の魅力を結果として失わせることになってしまう。
【０００４】
こうした状況への対策として、据え置き型。（非携帯）プリンタと携帯端末を組み合わせて、利用者が携帯端末上の情報を印刷するためのサービスシステムを構築することが考えられる。
【０００５】
これに関連する事例としては、非特許文献１（データ処理システムおよびデータ処理システムのデータ処理方法およびコンピュータが読み出し可能なプログラムを格納した記憶媒体  キャノン株式会社）のように、サーバと画像形成装置を組み合わせたシステムと携帯端末が通信することによって、任意の設置先で課金を伴いながら印刷サービスを提供する事例がある。この事例では、印刷したい情報を情報端末からサーバへ送信し、任意の場所でサーバから情報を受信して印刷することにより、移動中や外出先での印刷需要に対応できるように工夫されている。また、ユーザ認証処理・課金処理についても考慮されている。
【０００６】
より単純なシステムの事例としては、非特許文献１にあるように、Ｊｉｎｉやブルートゥースを使って、携帯電話から直接プリンタに通信内容を印刷させることが考えられている。
【０００７】
これにより、携帯端末・プリンタ・コンテンツサーバなどの既存技術による要素と、印刷用コンテンツを保管するデータベースや、印刷するコンテンツの配信処理・印刷に対する課金・セキュリティ管理・ユーザ管理・印刷履歴管理などを統合的に行うプリントオンデマンドサーバなどの新規要素が、インターネット上で相互に接続され通信することにより実現されるオンデマンドプリントシステムによって、従来よりも利便性の高い印刷サービスが要望されている。
【特許文献１】特開平１１−１４６１１８号公報
【非特許文献１】２０００年３月３日の日経産業新聞の記事（ネットとの融合加速）
【発明の開示】
【発明が解決しようとする課題】
【０００８】
この発明は、携帯端末・プリンタ・コンテンツサーバなどの既存技術による要素と、印刷用コンテンツを保管するデータベースや、印刷するコンテンツの配信処理・印刷に対する課金・セキュリティ管理・ユーザ管理・印刷履歴管理などを統合的に行うプリントオンデマンドサーバなどの新規要素が、インターネット上で相互に接続され通信することにより実現されるオンデマンドプリントシステムによって、従来よりも利便性の高い印刷サービスを提供することを目的としている。
【課題を解決するための手段】
【０００９】
この発明のプリントシステムは、Ｗｅｂサーバやメールサーバなどのように情報の送受信を処理するコンテンツサーバと、印刷要求の受信や印刷の起動などの印刷関連処理を制御するプリンタコントローラと、印刷処理を行い情報を紙面に出力するプリンタデバイスと、印刷に関連する課金・統計・履歴管理・認証・セキュリティ管理・データ管理等の処理を行うプリントオンデマンドサーバと、印刷用のデータを保持しコンテンツサーバによって入出力制御されるプリントコンテンツデータベースとがそれぞれインターネットに接続され、全てもしくは一部が、インターネットに接続されることにより構成されるものにおいて、印刷対象を特定する情報以外に、認証情報、課金情報、印刷に関する詳細設定情報を含み、ユーザ毎もしくはドキュメント毎に割り当てられ一意に対象を特定しうる印刷ＩＤを発行・利用することができるものである。
【００１０】
この発明のプリントシステムは、Ｗｅｂサーバやメールサーバなどのように情報の送受信を処理するコンテンツサーバと、印刷要求の受信や印刷の起動などの印刷関連処理を制御するプリンタコントローラと、印刷処理を行い情報を紙面に出力するプリンタデバイスと、印刷に関連する課金・統計・履歴管理・認証・セキュリティ管理・データ管理等の処理を行うプリントオンデマンドサーバと、印刷用のデータを保持しコンテンツサーバによって入出力制御されるプリントコンテンツデータベースとがそれぞれ、インターネットに接続され、印刷データをプリンタコントローラに対して送信する場合の送信時期を、印刷データの内容、印刷要求者の過去の利用履歴、印刷機器の性能、ネットワークの通信状況などに応じて、送信処理を行うことができるものである。
【００１１】
この発明のプリントシステムは、Ｗｅｂサーバやメールサーバなどのように情報の送受信を処理するコンテンツサーバと、印刷要求の受信や印刷の起動などの印刷関連処理を制御するプリンタコントローラと、印刷処理を行い情報を紙面に出力するプリンタデバイスと、印刷に関連する課金・統計・履歴管理・認証・セキュリティ管理・データ管理等の処理を行うプリントオンデマンドサーバと、印刷用のデータを保持しコンテンツサーバによって入出力制御されるプリントコンテンツデータベースとがそれぞれ、インターネットに接続され、印刷データの先行配信を行うの配信方法を、印刷データの内容、印刷要求者の過去の利用履歴、印刷機器の性能、ネットワークの通信状況などに応じて、送信処理を行うことができるものである。
この発明のプリントシステムは、Ｗｅｂサーバやメールサーバなどのように情報の送受信を処理するコンテンツサーバと、印刷要求の受信や印刷の起動などの印刷関連処理を制御するプリンタコントローラと、印刷処理を行い情報を紙面に出力するプリンタデバイスと、印刷に関連する課金・統計・履歴管理・認証・セキュリティ管理・データ管理等の処理を行うプリントオンデマンドサーバと、印刷用のデータを保持しコンテンツサーバによって入出力制御されるプリントコンテンツデータベースとがそれぞれインターネットに接続され、インターネットにアクセスできる携帯電話や携帯端末などのブラウザデバイスが受信したデータの存在位置を特定する情報（ＵＲＬなど）を、ブラウザデバイスからプリンタコントローラに送信することにより、プリンタコントローラが受信した情報に基づいて印刷対象となるデータを取得し、プリンタデバイスを通じてそのデータを印刷することができるものである。
この発明のプリントシステムは、Ｗｅｂサーバやメールサーバなどのように情報の送受信を処理するコンテンツサーバと、印刷要求の受信や印刷の起動などの印刷関連処理を制御するプリンタコントローラと、印刷処理を行い情報を紙面に出力するプリンタデバイスと、印刷に関連する課金・統計・履歴管理・認証・セキュリティ管理・データ管理等の処理を行うプリントオンデマンドサーバと、印刷用のデータを保持しコンテンツサーバによって入出力制御されるプリントコンテンツデータベースとがそれぞれインターネットに接続され、インターネットにアクセスできる携帯電話や携帯端末などのブラウザデバイスからコンテンツサーバに対して印刷を要求することにより、印刷データがコンテンツサーバからプリンタコントローラに送信され、プリンタデバイスを通じてそのデータを印刷することができるものである。
この発明のプリントシステムは、Ｗｅｂサーバやメールサーバなどのように情報の送受信を処理するコンテンツサーバと、印刷要求の受信や印刷の起動などの印刷関連処理を制御するプリンタコントローラと、印刷処理を行い情報を紙面に出力するプリンタデバイスと、印刷に関連する課金・統計・履歴管理・認証・セキュリティ管理・データ管理等の処理を行うプリントオンデマンドサーバと、印刷用のデータを保持しコンテンツサーバによって入出力制御されるプリントコンテンツデータベースとがそれぞれインターネットに接続され、プリントオンデマンドサーバで発行される印刷ＩＤをコンテンツサーバを通じてインターネットにアクセスできる携帯電話や携帯端末などのブラウザデバイスが取得し、印刷ＩＤをブラウザデバイスからプリンタコントローラに送信することにより、プリンタコントローラが印刷データをコンテンツサーバから受信して、プリンタデバイスを通じてそのデータを印刷することができるものである。
この発明のプリントシステムは、Ｗｅｂサーバやメールサーバなどのように情報の送受信を処理するコンテンツサーバと、印刷要求の受信や印刷の起動などの印刷関連処理を制御するプリンタコントローラと、印刷処理を行い情報を紙面に出力するプリンタデバイスと、印刷に関連する課金・統計・履歴管理・認証・セキュリティ管理・データ管理等の処理を行うプリントオンデマンドサーバと、印刷用のデータを保持しコンテンツサーバによって入出力制御されるプリントコンテンツデータベースとがそれぞれインターネットに接続され、インターネットにアクセスできる携帯電話や携帯端末などのブラウザデバイスからコンテンツサーバに対して印刷を要求することにより、印刷データもしくはデータの存在位置を特定する情報がコンテンツサーバからプリントオンデマンドサーバを通じてプリントコンテンツデータベースに送信され、その後プリンタコントローラが印刷実行要求を受信すると、印刷実行要求の内容に従ってプリンタコントローラがプリントコンテンツデータベースから印刷データを受信して、プリンタデバイスを通じてそのデータを印刷することができるものである。
この発明のプリントシステムは、インターネットにアクセスできる携帯電話や携帯端末などのブラウザデバイスと、Ｗｅｂサーバやメールサーバなどのように情報の送受信を処理するコンテンツサーバと、印刷要求の受信や印刷の起動などの印刷関連処理を制御するプリンタコントローラと、印刷処理を行い情報を紙面に出力するプリンタデバイスと、印刷に関連する課金・統計・履歴管理・認証・セキュリティ管理・データ管理等の処理を行うプリントオンデマンドサーバと、
印刷用のデータを保持しコンテンツサーバによって入出力制御されるプリントコンテンツデータベースとがそれぞれ、インターネットに接続され、印刷要求の内容に応じて、印刷すべき情報の表現を適切に変更することができるものである。
この発明のプリントシステムは、Ｗｅｂサーバやメールサーバなどのように情報の送受信を処理するコンテンツサーバと、印刷要求の受信や印刷の起動などの印刷関連処理を制御するプリンタコントローラと、印刷処理を行い情報を紙面に出力するプリンタデバイスと、刷に関連する課金・統計・履歴管理・認証・セキュリティ管理・データ管理等の処理を行うプリントオンデマンドサーバと、印刷用のデータを保持しコンテンツサーバによって入出力制御されるプリントコンテンツデータベースとがそれぞれインターネットに接続され、プリンタコントローラの周辺の一定範囲内にインターネットにアクセスできる携帯電話や携帯端末などのブラウザデバイスが進入した際に、プリンタコントローラからブラウザデバイスに対して印刷可能プリンタであることを通知し、もしくは当該ブラウザデバイスにより印刷要求済みのデータがあれば自動的にプリンタコントローラが印刷処理を起動することができるものである。
この発明のプリントシステムは、Ｗｅｂサーバやメールサーバなどのように情報の送受信を処理するコンテンツサーバと、印刷要求の受信や印刷の起動などの印刷関連処理を制御するプリンタコントローラと、印刷処理を行い情報を紙面に出力するプリンタデバイスと、印刷に関連する課金・統計・履歴管理・認証・セキュリティ管理・データ管理等の処理を行うプリントオンデマンドサーバと、印刷用のデータを保持しコンテンツサーバによって入出力制御されるプリントコンテンツデータベースとがそれぞれインターネットに接続され、プリンタコントローラが周辺に自分自身を識別する情報を発信することにより、インターネットにアクセスできる携帯電話や携帯端末などのブラウザデバイスからＰＵＳＨ印刷を指示する際に、プリンタコントローラからの識別情報が自動的にブラウザデバイスを通じてＰＵＳＨ印刷要求先に送信されるものである。
この発明のプリントシステムは、Ｗｅｂサーバやメールサーバなどのように情報の送受信を処理するコンテンツサーバと、印刷要求の受信や印刷の起動などの印刷関連処理を制御するプリンタコントローラと、印刷処理を行い情報を紙面に出力するプリンタデバイスと、印刷に関連する課金・統計・履歴管理・認証・セキュリティ管理・データ管理等の処理を行うプリントオンデマンドサーバと、
印刷用のデータを保持しコンテンツサーバによって入出力制御されるプリントコンテンツデータベースとがそれぞれ全てもしくは一部が、インターネットに接続されることにより構成され、プリンタコントローラが印刷データを受信する際に、プリンタコントローラの自己証明情報を送信し、印刷データ送信側では、正しい自己証明情報を受信できなければ印刷データを送信しないことにより、データを印刷以外の目的に利用できないものである。
この発明のプリントシステムは、Ｗｅｂサーバやメールサーバなどのように情報の送受信を処理するコンテンツサーバと、印刷要求の受信や印刷の起動などの印刷関連処理を制御するプリンタコントローラと、印刷処理を行うとともに情報を紙面に出力するプリンタデバイスと、印刷に関連する課金・統計・履歴管理・認証・セキュリティ管理・データ管理等の処理を行うプリントオンデマンドサーバと、印刷用のデータを保持しコンテンツサーバによって入出力制御されるプリントコンテンツデータベースとが全てもしくは一部が、インターネットに接続されることにより構成され、印刷データそのものを受信したプリンタコントローラが、印刷データの内容を解析することによって、印刷データの存在位置を把握することができるものである。
【発明の効果】
【００１２】
以上詳述したように、この発明によれば、携帯端末・プリンタ・コンテンツサーバなどの既存技術による要素と、印刷用コンテンツを保管するデータベースや、印刷するコンテンツの配信処理・印刷に対する課金・セキュリティ管理・ユーザ管理・印刷履歴管理などを統合的に行うプリントオンデマンドサーバなどの新規要素が、インターネット上で相互に接続され通信することにより実現されるオンデマンドプリントシステムによって、従来よりも利便性の高い印刷サービスを提供できる。
【発明を実施するための最良の形態】
【００１３】
以下、図面を参照してこの発明の実施形態の携帯端末によるオンデマンドプリントシステムを説明する。
【００１４】
［第１の実施形態］
この携帯端末によるオンデマンドプリントシステムは、携帯端末に対して情報を発信するとともに、携帯端末からの印刷指示に基づいて上記情報に関連する詳細情報を所望のプリントデバイスでプリントアウトするものである。
【００１５】
この携帯端末によるオンデマンドプリントシステムは、図１に示すように、インターネット１等の通信網を介して情報受信側の携帯端末としてのブラウザデバイス（ＢＤ）２、情報発信側の情報発信装置としてのコンテンツサーバ（ＣＳ）３、プリントオンデマンドサーバ（ＰＯＤＳ）４、プリントコンテンツデータベース（ＰＣＤＢ）５、プリンタデバイス（ＰＤ）６を制御するプリンタコントローラ（ＰＣ）７が接続されている。
【００１６】
ブラウザデバイス（ＢＤ）２とプリンタコントローラ（ＰＣ）７とはブルートゥース機能による無線（あるいはケーブルによる有線）により接続されている。
【００１７】
ブラウザデバイス（ＢＤ）２は、インターネットにアクセスできる携帯電話（Ｗｅｂ電話・ブラウザフォン・スマートフォン）や携帯機器（Ｐａｌｍ、ＰＤＡ、サブノートパソコン）、または、同等の機能を有するパソコン等により構成されている。
【００１８】
コンテンツサーバ（ＣＳ）３は、情報の送受信・配信を行うサーバであり、ＷＷＷサーバ（ＨＴＴＰサーバ）やメールサーバ（ＳＭＴＰサーバ）などにより構成されている。
【００１９】
プリントオンデマンドサーバ（ＰＯＤＳ）４は、印刷するコンテンツの配信処理・印刷に対する課金・セキュリティ管理・ユーザ管理・印刷履歴管理などを統合的に行うサーバであり、インターネット１上の他の要素に包含されない独立した機能（サービス）として印刷サービスを提供するものである。
【００２０】
プリントコンテンツデータベース（ＰＣＤＢ）５は、印刷用コンテンツ（詳細印刷データ、印刷専用データ）を保管するデータベースであり、第１の実施形態ではＰＯＤＳ４により管理されるものである。上記印刷専用データは、コンテンツサーバ（ＣＳ）３により配信されるＢＤ２用の簡略画像に対して、詳細な画像のデータとなっている。たとえば、地図の画像の場合に、簡略画像は道等が線で表現され、詳細画像は道路に幅を持って表現され、縮尺が変更している画像となっている。
【００２１】
プリンタデバイス（ＰＤ）６は、プリンタもしくはプリント機能を有する機器（複合機、ＦＡＸ）である。
【００２２】
プリンタコントローラ（ＰＣ）７は、プリンタデバイス（ＰＤ）６を制御する機器であり、ＰＤ６内の機能としてＰＤ６内に包含されている場合もある。１台のＰＣ７が、１台もしくは複数のＰＤ６を制御するものである。
【００２３】
このＰＣ７は、後述するＢＤ２の接近検知による自動処理がなされるようになっている。
【００２４】
また、印刷データ送信側（ＣＳ３またはＰＯＤＳ４またはＰＣＤＢ５）において、後述するように、ＰＣ７から発信されている自己証明情報をもとに、印刷データを送信可能か否かを確認するようになっている。
【００２５】
上記ＢＤ２は、図１、図２に示すように、本体１１と送受信用のアンテナ部１２により形成されている。
【００２６】
本体１１の前面には、上から順に、スピーカ孔１３、表示部１４、操作部１５、マイク孔１６により構成されている。スピーカ孔１３に対向する本体１１内には、後述する受話部としてのスピーカ（図示しない）が設けられている。マイク孔１６に対向する本体１１内には、後述する送話部としてのマイク（図示しない）が設けられている。表示部１４は、種々の操作案内が行われるものである。操作部１５は、携帯電話として用いる際の種々の設定を行ったり、電話番号の入力を行ったり、携帯端末として用いる場合の設定を行ったり、モード設定の変更を指示するものである。
【００２７】
本体１１内には、図３に示すように、全体を制御する制御回路２０、携帯電話用の制御プログラム、ブルートゥース（近距離無線通信機能）用の制御プログラム、ＩＤ番号（認識番号、機体番号）等の各種情報を記憶するメモリ２１、変調復調回路（送受信回路回路）としてのモデム２２、２３、送話部２４、受話部２５、電源発生回路２６、電池部２７により構成されている。
【００２８】
モデム２２、２３は、アンテナ部１２に接続され、アンテナ部１２にて受信したリーダライタ４２からの受信データを復調して制御回路２０、電源発生回路２６へ出力したり、制御回路２０からのリーダライタ４２に対する送信データをアンテナ部１２を用いて送信するものである。モデム２２、２３は、携帯電話機として用いられる際と、情報発信システムの端末機器として用いられる際の、信号周波数の違い等に対処して別々に設けられているものである。また、携帯電話機として用いられる際と、情報発信システムの端末機器として用いられる際とは、メモリ２１に登録されている別々のアプリケーションにより制御されるようになっている。
【００２９】
送話部２４は、マイク等により構成され、携帯電話機として用いる際に利用者により発せられた言葉を音声データに変換して出力するものである。
【００３０】
受話部２５は、スピーカ等により構成され、他の機器から供給された受信した音声データを再生してスピーカから出力するものである。
【００３１】
電源発生回路２６は、モデム２２からの受信データ（電波）に基づいて電源電圧を生成し、制御回路２０、モデム２２、２３、送話部２４、受話部２５、操作部１５、表示部１４に供給するものである。
【００３２】
電池部２７は、電源発生回路２６が作動していない際に、各部に電源電圧を供給するものである。
【００３３】
コンテンツサーバ３は、図３に示すように、全体を制御する制御部３ａ、情報出力装置３ｂ、情報入力装置３ｃ、データベース３ｄ、上記インターネット１と接続される情報通信部３ｅにより構成されている。
【００３４】
制御部３ａは、情報通信部３ｅから供給される通信情報を解析し、必要な情報をデータベース３ｄより取り出して情報通信部３ｅから送信したり、または必要な情報をデータベース３ｄに格納したりする。
【００３５】
情報出力装置３ｂは、データベース３ｄの情報を出力するものである。システムの規模により、コンテンツサーバ３の外部に設けられていても良い。この情報出力装置３ｂとしては、プリンタ、ＭＯ、ＣＤ−Ｒ、カセットテープ、ＤＶＤ−ＲＡＭ、ＦＤ、ハードディスク、ビデオテープ等を使用する。
【００３６】
情報入力装置３ｃは、データベース３ｄの情報を入力するものである。この情報入力装置３ｃとしては、キーボード、マウス、ペン入力、スキャナ、ＯＣＲ等を使用する。システムの規模により、コンテンツサーバ３の外部に設けられていても良い。
【００３７】
データベース３ｄは、種々の種類の情報を記憶するものである。この情報としては、文章、画像、動画映像、音声等である。
【００３８】
上記データベース３ｄは、提供する情報を格納しておくとともに、ＢＤ２から受け取った情報の格納も行うものである。
【００３９】
情報通信部３ｅは、ＢＤ２等からインターネット１を介して供給される通信情報を受信したり、データベース３ｄからの通信情報をインターネット１を介してＢＤ２等に送信するものである。
【００４０】
プリントオンデマンドサーバ（ＰＯＤＳ）４は、図４に示すように、全体を制御する制御部４ａ、管理用メモリ４ｂ、上記インターネット１と接続される情報通信部４ｃ、格納部４ｄが設けられている。
【００４１】
この制御部４ａは、情報通信部４ｃから供給される通信情報を解析し、必要な情報を格納部４ｄより取り出して情報通信部４ｃから送信したり、または必要な情報（詳細印刷データ、印刷コンテンツ、印刷専用データ）をプリントコンテンツデータベース（ＰＣＤＢ）５から読み出して格納部４ｄに格納したりする。
【００４２】
制御部４ａは、ＢＤ２から受信した印刷要求に基づいて、今回のプリント用の番号としての新規ＰＩＤを生成し、この生成したＰＩＤと上記ＢＤ２の携帯番号あるいはアドレスと印刷用データとの対応をＰＩＤ管理テーブル４ｆに登録するものである。
【００４３】
管理用メモリ４ｂには、登録場所テーブル４ｅ、ＰＩＤ管理テーブル４ｆが設けられている。
【００４４】
登録場所テーブル４ｅは、各地図ＩＤごとの印刷用データのＰＣＤＢ５内の登録場所を記憶しているものであり、地図ＩＤと印刷データの対応表となっている。
【００４５】
または、登録場所テーブル４ｅは、ホームページのアドレスをキーとした印刷用データのＰＣＤＢ５内の登録場所を記憶しているものである。
【００４６】
登録場所テーブル４ｅは、ＢＤ２の表示データとＰＤ６で印刷する詳細印刷データとを関連づけているものである。
【００４７】
ＰＩＤ管理テーブル４ｆは、発行したＰＩＤとＰＩＤに対応する印刷データとユーザデータとしての携帯番号あるいはアドレスの対応表となっている。
【００４８】
プリントコンテンツデータベース（ＰＣＤＢ）５は、図５に示すように、全体を制御する制御部５ａ、上記インターネット１と接続される情報通信部５ｂ、上記印刷専用データが登録されているデータベース５ｃが設けられている。
【００４９】
この制御部５ａは、情報通信部５ｂから供給される通信情報を解析し、必要な情報をデータベース５ｃより取り出して情報通信部５ｂから送信するものである。
【００５０】
プリンタコントローラ（ＰＣ）７は、分散処理サーバとして用いられるものであり、図８に示すように、全体を制御する制御部７ａが設けられている。この制御部７ａには、上記インターネット１と接続されるネットワークインターフェース７ｂ、印刷データ登録用のＨＤＤ７ｃ、上記ＢＤ２とブルートゥース等のデータ転送機能によりデータのやり取りを行う通信インターフェース７ｄ、上記１台目のＰＤ６とＳＣＳＩにより接続される複写機インターフェース７ｅ、上記２台目のＰＤ６とＳＣＳＩにより接続される複写機インターフェース７ｆ、操作表示部７ｇが接続されている。
【００５１】
上記ＰＤ６の制御回路の内部構成を、図８を用いて説明する。
【００５２】
このＰＤ６には、全体を制御する主制御部６ａが設けられている。この主制御部６ａは、それぞれ図示しないが、その動作の制御を司るＣＰＵ（ｃｅｎｔｒａｌ  ｐｒｏｃｅｓｓｉｎｇ  ｕｎｉｔ）、このＰＤ６の動作のソフトウェアが格納されているＲＯＭ（Ｒｅｎｄ  ｏｎｌｙ  ｍｅｍｏｒｙ）、画像データやその他動作上のデータが一時格納されるＲＡＭ（ｒａｎｄｏｍ  ａｃｃｅｓｓ  ｍｅｍｏｒｙ）（Ｓ−ＲＡＭ）により構成されている。
【００５３】
上記主制御部６ａは、自動原稿送り装置（ＡＤＦ）６ｂ、スキャナ部６ｃ、プリンタ部６ｄ、操作パネル６ｅ、ＨＤＤ６ｆ、コントローラインターフェース６ｇが接続されている。
【００５４】
ＡＤＦ６ｂは、装置本体の上面に設けられ、原稿トレイ（図示しない）にセットされた原稿を原稿載置台（図示しない）上に自動的に送る搬送手段としての自動原稿送り装置である。
【００５５】
スキャナ部６ｃは、原稿載置台上に載置された原稿に対する読取り走査を行うことにより、原稿の読取り画像データを得るものである。
【００５６】
プリンタ部６ｄは、原稿の読取り画像データのプリントを行ったり、外部からの画像データのプリントを行うものである。
【００５７】
操作パネル６ｅは、タッチパネル内蔵の液晶表示部とテンキー等のハードキーで構成される表示入力部として用いられ、タッチパネルやハードキーにより種々の操作や設定等の指示が入力されるとともに、液晶表示部に操作案内やエラー時のエラー内容の案内などが表示されるものである。
【００５８】
ＨＤＤ６ｆは、各種データが格納されるハードディスクで代表される外部記憶装置である。たとえば、複数部数のコピーあるいは印刷を行う際に、複数枚の画像を圧縮した画像を登録し、印刷時にこの圧縮した画像を読出して印刷するようになっている。
【００５９】
コントローラインターフェース６ｇは、ＳＣＳＩを介してプリンタコントローラ７と接続され、画像データのやり取りが行われるようになっている。
【００６０】
次に、上記のような構成において、図９に示すようなデータの送受信の状態と図１０に示すフローチャートを参照しながら、動作を説明する。ただし、各機器でのデータのやり取りがインターネット１を介して行われる点については説明を省略する。
【００６１】
まず、ＢＤ２を携行する利用者により所定のホームページが選択される（ＳＴ１）。この選択に基づいて、ＢＤ２は選択したホームページへのデータの送信要求をこのＢＤ２の携帯番号あるいはアドレスとともに、ＣＳ３へ送信する（Ｓ１）（ＳＴ２）。これにより、ＣＳ３は送信要求があったホームページの表示情報をデータベース３ｄから読出し、この表示情報を特定するための表示ＩＤとともに、要求のあったＢＤ２へ送信する（Ｓ２）（ＳＴ３）。ＢＤ２は、受信したホームページの表示情報を表示部１４により表示する（ＳＴ４）。
【００６２】
この状態において、現在表示されている情報に対する詳細情報が必要な際に、利用者により表示部１４の印刷指示用アイコンが選択される（ＳＴ５）。この選択により、ＢＤ２は、現在表示している情報に対する印刷要求を、このＢＤ２の携帯番号あるいはアドレスとともに、ＣＳ３へ送信する（Ｓ３）（ＳＴ６）。このＣＳ３は、ＢＤ２からの印刷要求をＰＯＤＳ４に送信する（Ｓ４）（ＳＴ７）。このＰＯＤＳ４は、受信した印刷要求に基づく印刷用データのＰＣＤＢ５での登録場所を、登録場所テーブル４ｅから読出す（ＳＴ８）。
【００６３】
ＰＯＤＳ４は、ＰＣＤＢ５に上記登録場所の印刷用データの送信要求を送信する（Ｓ５）（ＳＴ９）。ＰＣＤＢ５は、受信した送信要求に基づく上記登録場所の印刷用データを読出し、ＰＯＤＳ４に送信する（Ｓ６）（ＳＴ１０）。
【００６４】
ＰＯＤＳ４、受信した印刷用データを格納部４ｃに格納し、今回のプリント用の番号としての新規ＰＩＤを生成し、この生成したＰＩＤと上記ＢＤ２の携帯番号あるいはアドレスと上記印刷用データとの対応をＰＩＤ管理テーブル４ｆに登録する（ＳＴ１１）。また、ＰＯＤＳ４は、上記生成した新規ＰＩＤをＣＳ３へ送信する（Ｓ７）（ＳＴ１２）。
【００６５】
このＣＳ３は、受信したＰＩＤを要求のあったＢＤ２へ送信する（Ｓ８）（ＳＴ１３）。ＢＤ２は受信したＰＩＤを表示部１４により表示する（ＳＴ１４）。
【００６６】
この際、ＰＩＤの保存が選択された場合、ＢＤ２のメモリ２１に上記ＰＩＤが登録される。
【００６７】
これにより、上記印刷を指示した利用者に対して、プリント番号としてのＰＩＤを知らせることができる。
【００６８】
この後、上記利用者が印刷を行うＰＤ６の近傍に行き、ＰＣ７の操作表示部７ｇによりＰＩＤを入力するか、あるいはＢＤ２のデータ転送機能により上記メモリ２１に登録されているＰＩＤをＰＣ７に送信する（Ｓ９）（ＳＴ１５）。これにより、ＰＣ７はＰＩＤをＰＯＤＳ４に送信する（Ｓ１０）（ＳＴ１６）
すると、ＰＯＤＳ４は、受信したＰＩＤに基づいてＰＩＤ管理テーブル４ｆから対応する印刷データを判断し、この判断した印刷データを格納部４ｃから読出し、ＰＣ７を介してＰＤ６に送信する（Ｓ１１）（ＳＴ１７）。ＰＤ６は、受信した印刷用データを印刷処理する（ＳＴ１８）。このＰＤ６により印刷処理された用紙Ｐが出力される（Ｓ１２）（ＳＴ１９）。
【００６９】
たとえば、地図情報のサイトが選択され、所望の地図情報（地図Ｎｏ．１０２３：地図ＩＤ）としてＢＤ２の表示部１４に合わせて図１１に示すような、線で表わされるような概略地図のデータが、ＣＳ３から要求のあったＢＤ２へ送信される（Ｓ２）。これにより、ＢＤ２の表示部１４により、図１１に示すような、線で表わされるような概略地図が表示される。この表示により、印刷指示用アイコンが選択される。この選択により、ＢＤ２は、「地図Ｎｏ．１０２３に対する、ユーザ０９０１２３４５６７８＠ａｂｃ．ｘｙｚからの印刷要求」をＣＳ３へ送信する（Ｓ３）。ＣＳ３は、ＢＤ２からの印刷要求をＰＯＤＳ４に送信する（Ｓ４）
これにより、ＰＯＤＳ４は、登録場所テーブル４ｅを参照して、「地図ＩＤ＝１０２３」に対応する、ＰＣＤＢ５内の印刷データの登録場所を”ｍａｐ／ｋａｎａｇａｗａ／ｋａｗａｓａｋｉ／１７”と特定し、この登録場所から印刷データを取得し、ＰＯＤＳ４内の格納部４ｃに“２００１０２１３／１２０５／××××××．ｇｉｆ”として格納する（Ｓ５、Ｓ６）。
【００７０】
ついで、ＰＯＤＳ４は、今回のプリント用の番号としての新規ＰＩＤ「２９０１６７」を生成し、この生成したＰＩＤと上記ＢＤ２のアドレスと上記印刷用データとの対応をＰＩＤ管理テーブル４ｆに登録する。また、ＰＯＤＳ４は、上記生成した新規ＰＩＤをＣＳ３へ送信する（Ｓ７）
このＣＳ３は、受信したＰＩＤを要求のあったＢＤ２へ送信する（Ｓ８）。これにより、ＢＤ２の表示部１４により、図１２に示すように、「印刷登録完了  お近くの対応プリンタから、次のＰＩＤで印刷できます。  ２９０１６７」とＰＩＤ保存アイコンが表示される。
【００７１】
この際、ＰＩＤ保存アイコンが選択された場合、ＢＤ２のメモリ２１に上記ＰＩＤが登録される。
【００７２】
上記ＰＩＤを取得した後、上記利用者は近くの対応プリンタの設置場所に赴き、ＰＣ７のタッチパネル画面によりＰＩＤに基づくプリントモードを選択する。すると、ＰＣ７はＰＩＤに基づくプリントモードを判断すると、操作表示部７ｇのタッチパネル画面により図１３に示すように、「ＰＩＤを入力してください」という入力案内画面が表示される。この案内に基づいて、上記利用者は上記取得したＰＩＤ「２９０１６７」を入力する。
【００７３】
または、ＢＤ２のブルートゥース等のデータ転送機能により、上記メモリ２１に登録されているＰＩＤをＰＣ７に送信する（Ｓ９）。
【００７４】
このＰＣ７は、入力されたＰＩＤをＰＯＤＳ４へ送信する（Ｓ１０）。
【００７５】
ＰＯＤＳ４は、受信したＰＩＤに基づいてＰＩＤ管理テーブル４ｆから対応する印刷データを判断し、この判断した印刷データを格納部４ｃから読出し、ＰＣ７を介してＰＤ６に送信する（Ｓ１１）。ＰＤ６は、受信した印刷用データを印刷処理する。このＰＤ６により印刷処理された用紙Ｐが出力される（Ｓ１２）。
【００７６】
この結果、用紙Ｐには、図１４に示すように、「オフィス        ビル４Ｆ  川崎駅より〜徒歩５分」という案内文と、詳細な地図情報が、印刷されている。
【００７７】
上記したように、第１の実施形態によれば、ＢＤの表示画像に対する詳細画像を、ＢＤ２の表示能力に関係なく、詳細な画像を印刷することができ、利便性の高い印刷サービスを提供することができる。
【００７８】
また、ＰＯＤＳ４が、ＢＤ２からＣＳ３を介して印刷要求を受信した際に、ＰＣＤＢ５内の印刷データを取得し、ＰＯＤＳ４内の格納部４ｃに格納しておくことにより、ＰＣ７からのＰＩＤの問い合わせに対して、印刷データがすぐに返送できるようになっている。
【００７９】
また、上記第１の実施形態では、ＰＣ７により入力されたＰＩＤ、あるいはＢＤ２からＰＣ７に送信されたＰＩＤを用いて、対応する印刷データをＰＯＤＳ４から得る場合について説明したが、これに限らず、ＰＣ７によりＰＯＤＳ４に問い合わせを行い、この問い合わせによりＰＯＤＳ４がＰＩＤ管理テーブル４ｆに登録されている複数のＰＩＤのリストを問い合わせのあったＰＣ７に返送し、ＰＣ７にてＰＩＤリストを表示することにより、ＰＣ７にて選択されるＰＩＤに基づいて、対応する印刷データをＰＯＤＳ４から得る場合も上記第１の実施形態と同様に実施できる。
【００８０】
また、上記第１の実施形態において、ＢＤ２からＣＳ３に印刷要求を送信する際に、携帯番号あるいはアドレスの他に、印刷先としてＰＣ７あるいはＰＤ６の番号あるいはアドレスも一緒に送信することにより、ＰＩＤ管理テーブル４ｆに印刷先としてＰＣ７あるいはＰＤ６の番号あるいはアドレスも記憶しておき、印刷データを上記ＰＣ７あるいはＰＤ６に配信しておくようにしても良い。この場合、たとえば配信された印刷データはＰＩＤに基づいて、ＨＤＤ７ｃに登録される。これにより、利用者により、上記指定した印刷先のＰＣ７あるいはＰＤ６にてＰＩＤの入力により、対応する印刷データがＨＤＤ７ｃから読み出されて印刷される。この場合、図９におけるＳ１０、Ｓ１１の処理、図１０におけるステップ１６、１７の処理を省略することができる。
【００８１】
この第１の実施形態は、ＰＯＤＳ４主導の簡易データＰＩＤ発行型である。
【００８２】
要部の処理手順としては、（１）ＢＤ２からＣＳ３に対して印刷要求し、（２）印刷要求内容をＣＳ３からＰＯＤＳ４に送信（３）ＰＯＤＳ４が受信した印刷要求内容にしたがって、ＰＣＤＢ５から印刷データを受信し、（４）印刷要求に対応するＰＩＤをＰＯＤＳ４が発行し、ＣＳ３が取得し、（５）ＣＳ３がＰＩＤをＢＤ２に送信し、（６）ＢＤ２からＰＣ７にＰＩＤを送信し、（７）ＰＣ７はＢＤ２から受信したＰＩＤをＰＯＤＳ４に送信し、（８）ＰＯＤＳ４からＰＣ７に印刷データを送信し、（９）ＰＣ７からＰＤ６に対する印刷処理が実行され、情報が印刷される。
【００８３】
ＰＩＤの流れは、「ＰＯＤＳ４→ＣＳ３→ＢＤ２→ＰＣ７→ＣＳ３、」となっている。
【００８４】
印刷データの流れは、「ＰＣＤＢ５→ＰＯＤＳ４→ＰＣ７→ＰＤ６」となっている。
【００８５】
これにより、印刷されるデータは、印刷専用データ（非表示、データ）である。
【００８６】
発行済みＰＩＤと印刷データの照合処理（対応付け）はＰＯＤＳ４、ＰＣ７のいずれかで行うが、ＰＣ７が行う場合は、ＰＩＤ発行後に印刷データの先行配信を行うことができる。
【００８７】
この実施形態では、ＢＤ２で印刷データを蓄積する必要がなく、既存のＢＤ２をそのまま利用可能で、ＰＩＤ利用により、簡単にセキュリティ機能・課金を実現でき、印刷専用の出力結果を得られるという利点がある。
【００８８】
また、ＰＯＤＳで発行される印刷ＩＤ（以下、ＰＩＤ）をＣＳを通じてＢＤが取得し、ＰＩＤをＢＤからＰＣに送信することにより、ＰＣが印刷データをＰＣＤＢからＰＯＤＳを通じて受信して、ＰＤを通じてそのデータを印刷することができる。
【００８９】
また、ＰＯＤＳ上でＰＩＤが生成される時点で、対応する印刷データをＰＣＤＢからＰＯＤＳに送信し、ＰＣからＰＯＤＳへのデータ送信要求を受けた場合は、ＰＯＤＳ上のデータを直接ＰＣに送信することができる。
【００９０】
また、ＰＯＤＳ上でＰＩＤが生成される時点で、対応する印刷データをＰＣＤＢからＰＯＤＳに送信せず、ＰＣからＰＯＤＳへのデータ送信要求を受けた場合に、ＰＣＤＢ上のデータをＰＯＤＳで受信し、そのデータをＰＣに送信することができる。
【００９１】
また、ＰＣがＢＤからＰＩＤを受信した後、ＰＣ上で印刷データを正しく取得できないことを検知した場合は、データ取得不可能であることをＢＤに対して通知できる。
【００９２】
［第２の実施形態］
上記第１の実施形態において、ＰＯＤＳ４は、ＢＤ２からＣＳ３を介して印刷要求を受信した際に、ＰＣＤＢ５内の印刷データを取得し、ＰＯＤＳ４内の格納部４ｃに格納しておく場合について説明されている。これに対して、第２の実施形態として、ＰＯＤＳ４は、ＢＤ２からＣＳ３を介して印刷要求を受信した際に、ＰＣＤＢ５内の印刷データを取得せずに、ＰＣ７からのＰＩＤの問合せがあった際に、ＰＣＤＢ５内の印刷データを取得することにより、印刷データをＰＣ７へ返送するようにしも良い。ただし、ＰＩＤ管理テーブル４ｆには、印刷データの代りに地図ＩＤが登録される。
【００９３】
この場合の動作を、図１５に示すようなデータの送受信の状態を用いて説明する。
【００９４】
たとえば、地図情報のサイトが選択され、所望の地図情報（地図Ｎｏ．１０２３：地図ＩＤ）としてＢＤ２の表示部１４に合わせて図１１に示すような、線で表わされるような概略地図のデータが、ＣＳ３から要求のあったＢＤ２へ送信される（Ｓ２１、Ｓ２２）。これにより、ＢＤ２の表示部１４により、図１１に示すような、線で表わされるような概略地図が表示される。この表示により、印刷指示用アイコンが選択される。この選択により、ＢＤ２は、「地図Ｎｏ．１０２３に対する、ユーザ０９０１２３４５６７８＠ａｂｃ．ｘｙｚからの印刷要求」をＣＳ３へ送信する（Ｓ２３）。ＣＳ３は、ＢＤ２からの印刷要求をＰＯＤＳ４に送信する（Ｓ２４）
これにより、ＰＯＤＳ４は、今回のプリント用の番号としての新規ＰＩＤ「２９０１６７」を生成し、この生成したＰＩＤと上記ＢＤ２のアドレスと上記地図ＩＤとの対応をＰＩＤ管理テーブル４ｆに登録する。また、ＰＯＤＳ４は、上記生成した新規ＰＩＤをＣＳ３へ送信する（Ｓ２５）
このＣＳ３は、受信したＰＩＤを要求のあったＢＤ２へ送信する（Ｓ２６）。これにより、ＢＤ２の表示部１４により、図１２に示すように、「印刷登録完了  お近くの対応プリンタから、次のＰＩＤで印刷できます。  ２９０１６７」とＰＩＤ保存アイコンが表示される。
【００９５】
この際、ＰＩＤ保存アイコンが選択された場合、ＢＤ２のメモリ２１に上記ＰＩＤが登録される。
【００９６】
上記ＰＩＤを取得した後、上記利用者は近くの対応プリンタの設置場所に赴き、ＰＣ７のタッチパネル画面によりＰＩＤに基づくプリントモードを選択する。すると、ＰＣ７はＰＩＤに基づくプリントモードを判断すると、操作表示部７ｇのタッチパネル画面により図１３に示すように、「ＰＩＤを入力してください」という入力案内画面が表示される。この案内に基づいて、上記利用者は上記取得したＰＩＤ「２９０１６７」を入力する。
【００９７】
または、ＢＤ２のブルートゥース等のデータ転送機能により、上記メモリ２１に登録されているＰＩＤをＰＣ７に送信する（Ｓ２７）。
【００９８】
このＰＣ７は、入力されたＰＩＤをＰＯＤＳ４へ送信する（Ｓ２８）。
【００９９】
ＰＯＤＳ４は、ＰＩＤ管理テーブル４ｆと登録場所テーブル４ｅを参照して、ＰＩＤ「２９０１６７」に対応する「地図ＩＤ＝１０２３」を読出し、この読出した「地図ＩＤ＝１０２３」に対応する、ＰＣＤＢ５内の印刷データの登録場所を”ｍａｐ／ｋａｎａｇａｗａ／ｋａｗａｓａｋｉ／１７”と特定し、この登録場所から印刷データを取得する（Ｓ２９、Ｓ３０）。
【０１００】
ついで、ＰＯＤＳ４は、この取得した印刷データをＰＣ７を介してＰＤ６に送信する（Ｓ３１）。ＰＤ６は、受信した印刷用データを印刷処理する。このＰＤ６により印刷処理された用紙Ｐが出力される（Ｓ３２）。
【０１０１】
この結果、用紙Ｐには、図１４に示すように、「オフィス        ビル４Ｆ  川崎駅より〜徒歩５分」という案内文と、詳細な地図情報が、印刷されている。
【０１０２】
上記したように、第２の実施形態によれば、ＢＤ２の表示画像に対する詳細画像を、ＢＤ２の表示能力に関係なく、詳細な画像を印刷することができ、利便性の高い印刷サービスを提供することができる。
【０１０３】
また、ＰＯＤＳ４が、ＰＣ７からのＰＩＤの問い合わせに対して、ＰＣＤＢ５内の印刷データを取得して返送するようになっているため、ＰＯＤＳ４に、大容量のメモリを必要としないようになっている。
【０１０４】
また、上記第２の実施形態では、ＰＣ７により入力されたＰＩＤ、あるいはＢＤ２からＰＣ７に送信されたＰＩＤを用いて、対応する印刷データをＰＯＤＳ４から得る場合について説明したが、これに限らず、ＰＣ７によりＰＯＤＳ４に問い合わせを行い、この問い合わせによりＰＯＤＳ４がＰＩＤ管理テーブル４ｆに登録されている複数のＰＩＤのリストを問い合わせのあったＰＣ７に返送し、ＰＣ７にてＰＩＤリストを表示することにより、ＰＣ７にて選択されるＰＩＤに基づいて、対応する印刷データをＰＯＤＳ４から得る場合も上記第１の実施形態と同様に実施できる。
【０１０５】
この第２の実施形態は、ＰＯＤＳ４主導の簡易データＰＩＤ発行型である。
【０１０６】
要部の処理手順としては、（１）ＢＤ２からＣＳ３に対して印刷要求し、（２）印刷要求内容をＣＳ３からＰＯＤＳ４に送信し、（３）印刷要求に対応するＰＩＤをＰＯＤＳ４が発行し、ＣＳ３が取得し、（４）ＣＳ３がＰＩＤをＢＤ２に送信し、（５）ＢＤ２からＰＣ７にＰＩＤを送信し、（６）ＰＣ７はＢＤ２から受信したＰＩＤをＰＯＤＳ４に送信し、（７）ＰＯＤＳ４が受信したＰＩＤに対応する印刷データをＰＣＤＢ５から取得し、（８）ＰＯＤＳ４からＰＣ７に印刷データを送信し、（９）ＰＣ７からＰＤ６に対する印刷処理が実行され、情報が印刷される。
【０１０７】
ＰＩＤの流れは、「ＰＯＤＳ４→ＣＳ３→ＢＤ２→ＰＣ７→ＣＳ３」となっている。
【０１０８】
印刷データの流れは、「ＰＣＤＢ５→ＰＯＤＳ４→ＰＣ７→ＰＤ６」となっている。
【０１０９】
これにより、印刷されるデータは、印刷専用データ（非表示、データ）である。
【０１１０】
発行済みＰＩＤと印刷データの照合処理（対応付け）はＰＯＤＳ４、ＰＣ７のいずれかで行うが、ＰＣ７が行う場合は、ＰＩＤ発行後に印刷データの先行配信を行うことができる。
【０１１１】
この実施形態では、ＢＤ２で印刷データを蓄積する必要がなく、既存のＢＤ２をそのまま利用可能で、ＰＩＤ利用により、簡単にセキュリティ機能・課金を実現でき、印刷専用の出力結果を得られるという利点がある。
【０１１２】
［第３の実施形態］
第３の実施形態のオンデマンドプリントシステムは、図１６に示すように、インターネット１等の通信網を介して情報受信側の携帯端末としてのブラウザデバイス（ＢＤ）２、情報発信側の情報発信装置としてのコンテンツサーバ（ＣＳ）３、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。上記第１の実施形態からＰＯＤＳ４とＰＣＤＢ５とが削除されたものである。
【０１１３】
この第３の実施形態では、ＢＤ２からのコンテンツの供給要求に対して、ＣＳ３のデータベース３ｄから読み出されるデータが、ＢＤ２の表示部１４で表示できない印刷専用データとしての詳細印刷データの１種類の場合と、この印刷専用データとしての詳細印刷データとＢＤ２用の簡略画像データの２種類の場合がある。詳細印刷データは、パソコン、ＩＡ等のリッチクライアントで表示されるデータとなっている。
【０１１４】
詳細印刷データが１種類の場合は、ＢＤ２内の制御回路２０により、上記詳細印刷データをＢＤ２用の簡略画像データに変換する変換ソフトを有している。
【０１１５】
この場合の動作を、図１６に示すようなデータの送受信の状態を用いて説明する。
【０１１６】
たとえば、地図情報のサイトが選択され、所望の地図情報として図１４に示すような、詳細印刷データが、ＣＳ３から要求のあったＢＤ２へ送信される（Ｓ４１、Ｓ４２）。これにより、ＢＤ２は詳細印刷データをＢＤ２の表示部１４に合わせて図１１に示すような、線で表わされるような概略地図のデータに変換し、表示部１４により表示される。この表示により、印刷指示用アイコンが選択される。この場合、印刷指示用アイコンの選択に基づいて、ＣＳ３からのＢＤ２用への変換前の詳細印刷データと印刷要求とをＢＤ２のデータ転送機能によりＰＣ７に送信する（Ｓ４３）。これにより、ＰＣ７は印刷要求により受信した詳細印刷データをＰＤ６に送信する。ＰＤ６は、受信した印刷用データを印刷処理する。このＰＤ６により印刷処理された用紙Ｐが出力される（Ｓ４４）。
【０１１７】
詳細印刷データと簡略画像データの２種類の場合は、ＢＤ２内の制御回路２０により、上記詳細印刷データと簡略画像データとがメモリ２１に登録され、切り換えて使用されるようになっている。
【０１１８】
この場合の動作を、図１６に示すようなデータの送受信の状態を用いて説明する。
【０１１９】
たとえば、地図情報のサイトが選択され、所望の地図情報として図１４に示すような、詳細印刷データと、図１１に示すような、線で表わされるような概略地図のデータとが、ＣＳ３から要求のあったＢＤ２へ送信される（Ｓ４１、Ｓ４２）。これにより、ＢＤ２は概略地図のデータを表示部１４により表示する。この表示により、印刷指示用アイコンが選択される。この場合、印刷指示用アイコンの選択に基づいて、印刷要求と詳細印刷データをＢＤ２のデータ転送機能によりＰＣ７に送信する（Ｓ４３）。これにより、ＰＣ７は印刷要求により受信した詳細印刷データをＰＤ６に送信する。ＰＤ６は、受信した印刷用データを印刷処理する。このＰＤ６により印刷処理された用紙Ｐが出力される（Ｓ４４）。
【０１２０】
上記した第３の実施形態は、簡易データ送信・印刷型である。
【０１２１】
要部の処理手順としては、（１）ＢＤ２でＣＳ３の情報を受信・表示し、（２）ＢＤ２からＰＣ７に対して印刷指示し、ＢＤ２内に蓄積されている印刷データをＰＣ７に転送し、（３）ＰＣ７からＰＤ６に対する印刷処理が実行され、情報が印刷される。
【０１２２】
印刷データの流れは、「ＣＳ３→ＢＤ２→ＰＣ７→ＰＤ６」となっている。
【０１２３】
これにより、ＢＤ２〜ＰＣ７間の通信は、無線でも優先（ケーブル通信）でも可能であり、印刷されるデータは、ＢＤ２上で表示できる情報でも、ＢＤ２上で表示できない情報でもよい。
【０１２４】
この実施形態では、ＢＤ２を一種のモバイルストレージとして利用できるという利点がある。
【０１２５】
また、ＢＤが受信したデータを、ＢＤからＰＣに直接送信することにより、ＰＤを通じ、ＰＣがＢＤから印刷データを受信した後、受信したデータが印刷可能なデータであるかをＰＣが判断し、印刷不可能であると判断した場合は、すでにＢＤとＰＣの接続が切断・終了されていても、印刷不可能であることをＢＤに通知できる。
【０１２６】
［第４の実施形態］
第４の実施形態のオンデマンドプリントシステムは、第３の実施形態と同様に、図１７に示すように、インターネット１等の通信網を介して情報受信側の携帯端末としてのブラウザデバイス（ＢＤ）２、情報発信側の情報発信装置としてのコンテンツサーバ（ＣＳ）３、プリンタデバイス（ＰＤ）６を制御するプリンタコントローラ（ＰＣ）７が接続されている。ＢＤ２とＰＣ７とはブルートゥース機能による無線あるいはケーブルによる有線により接続されている。上記第１の実施形態からＰＯＤＳ４とＰＣＤＢ５とが削除されたものである。
【０１２７】
この第４の実施形態では、ＢＤ２からの印刷要求がそのアドレス等のリンク情報とともにＰＣ７に送信され、この印刷要求を受けたＰＣ７はインターネット１を介して上記アドレス等のリンク情報に基づいて、印刷専用データとしての詳細印刷データあるいはＢＤ２用の簡略画像データをＣＳ３からダウンロードするようにしたものである。
【０１２８】
このＰＣ７によるダウンロードのタイミングとしては、ＢＤ２からの印刷要求が供給された際、次の印刷要求が供給された際、ＢＤ２からの印刷要求が供給されてから次の印刷要求が供給されるまでの間の最適な時となっている。この最適な時とは、ネットワークの効率の良いとき、ＰＤ６のスケージューリングに基づくタイミングとなっている。
【０１２９】
上記ＰＣ７によるダウンロードのタイミングが、ＢＤ２からの印刷要求が供給された直後の動作を、図１７に示すようなデータの送受信の状態を用いて説明する。
【０１３０】
たとえば、地図情報のサイトが選択され、図１１に示すような、線で表わされるような概略地図のデータが、ＣＳ３から要求のあったＢＤ２へ送信される（Ｓ５１、Ｓ５２）。これにより、ＢＤ２は概略地図のデータを表示部１４により表示する。この表示により、印刷指示用アイコンが選択される。この場合、印刷指示用アイコンの選択に基づいて、印刷要求とリンクデータとしてのホームページのアドレスをＢＤ２のデータ転送機能によりＰＣ７に送信する（Ｓ５３）。これにより、ＰＣ７は印刷要求とともに受信したアドレスに基づくコンテンツのダウンロードの指示をＣＳ３へ送信する（Ｓ５４）。ＣＳ３は上記アドレスに基づくコンテンツの詳細印刷データあるいは簡略画像データをデータベース３ｄから読み出してＰＣ７へ送信することにより（Ｓ５５）、ダウンロードする。
【０１３１】
これにより、ＰＣ７はダウンロードされた詳細印刷データあるいは簡略画像データをＰＤ６に送信する。ＰＤ６は、受信した印刷用データを印刷処理する。このＰＤ６により印刷処理された用紙Ｐが出力される（Ｓ５６）。
【０１３２】
上記したように、ＢＤが受信したデータの存在位置を特定する情報（ＵＲＬなど）を、ＢＤからＰＣに送信することにより、ＰＣが受信した情報に基づいて、印刷対象となるデータをＣＳからダウンロードにより取得し、ＰＤを通じてそのデータを印刷することができる。
【０１３３】
また、ＰＣがＢＤから印刷データを受信した後、受信したデータが印刷可能なデータであるかをＰＣが判断し、印刷不可能であると判断した場合は、すでにＢＤとＰＣの接続が切断・終了されていても、印刷不可能であることをＢＤに通知できる。
【０１３４】
さらに、ＰＣがＢＤからデータの存在位置を特定する情報を受信した後、受信した情報に基づいて印刷対象となるデータを即時に取得することによって、その後データ内容が更新されても、以前の情報を印刷することができる。
【０１３５】
また、ＰＣがＢＤからデータの存在位置を特定する情報を受信した後、受信した情報に基づいて印刷対象となるデータを即時に取得せず、次に印刷要求を受けた時点で印刷データを取得して印刷することによって、印刷要求時の（最新の）情報を印刷物として入手できる。
【０１３６】
また、ＰＣがＢＤからデータの存在位置を特定する情報を受信した後、受信した情報に基づいて印刷対象となるデータを即時に取得せず、次に印刷要求を受けるまでの時間のうち、最適な時点で印刷データを取得することができる。
【０１３７】
上記した第４の実施形態は、簡易データＰＵＬＬ印刷型である。
【０１３８】
要部の処理手順としては、（１）ＢＤ２でＣＳ３の情報を受信・表示し、（２）ＢＤ２からＰＣ７に対して印刷指示し、印刷したいデータの所在・アドレスをＰＣ７に通知し、（３）ＰＣ７がＣＳ３から印刷データをダウンロードし、（４）ＰＣ７からＰＤ６に対する印刷処理が実行され、情報が印刷される。
【０１３９】
印刷データの流れは、「ＣＳ３→ＰＣ７→ＰＤ６」となっている。
【０１４０】
また、ＢＤ２〜ＰＣ７間の通信は、無線でも優先（ケーブル通信）でも可能であり、印刷されるデータは、ＢＤ２上で表示できる情報でも、ＢＤ２上で表示できない情報でもよい。
【０１４１】
この実施形態では、ＢＤ２で印刷データを蓄積する必要がないという利点がある。
【０１４２】
また、ＢＤが受信したデータの存在位置を特定する情報（ＵＲＬなど）を、ＢＤからＰＣに送信することにより、ＰＣが受信した情報に基づいて印刷対象となるデータを取得し、ＰＤを通じてそのデータを印刷することができる。
【０１４３】
また、ＰＣがＢＤからデータの存在位置を特定する情報を受信した後、受信した情報に基づいて印刷対象となるデータを取得できなかった場合は、すでにＢＤとＰＣの接続が切断・終了されていても、データ取得不可能であることをＢＤに通知できる。
【０１４４】
また、ＰＣがＢＤからデータの存在位置を特定する情報を受信した後、受信した情報に基づいて印刷対象となるデータを即時に取得することによって、その後データ内容が更新されても、以前の情報を印刷することができる。
【０１４５】
ＰＣがＢＤからデータの存在位置を特定する情報を受信した後、受信した情報に基づいて印刷対象となるデータを即時に取得せず、次に印刷要求を受けた時点で印刷データを取得して印刷することによって、印刷要求時の（最新の）情報を印刷物として入手できる。
【０１４６】
また、ＰＣがＢＤからデータの存在位置を特定する情報を受信した後、受信した情報に基づいて印刷対象となるデータを即時に取得せず、次に印刷要求を受けるまでの時間のうち、最適な時点で印刷データを取得することができる。
【０１４７】
［第５の実施形態］
第５の実施形態のオンデマンドプリントシステムは、第３の実施形態と同様に、図１８に示すように、インターネット１等の通信網を介して情報受信側の携帯端末としてのブラウザデバイス（ＢＤ）２、情報発信側の情報発信装置としてのコンテンツサーバ（ＣＳ）３、プリンタデバイス（ＰＤ）６を制御するプリンタコントローラ（ＰＣ）７が接続されている。ＢＤ２とＰＣ７とはブルートゥース機能による無線あるいはケーブルによる有線により接続されている。上記第１の実施形態からＰＯＤＳ４とＰＣＤＢ５とが削除されたものである。
【０１４８】
この第５の実施形態では、ＢＤ２からの印刷要求が印刷を行うＰＤ６（ＰＣ７）を指定するアドレスとともにＣＳ３に送信され、この印刷要求を受けたＣＳ３は上記印刷要求に対応するホームページアドレスに登録されている詳細印刷データあるいは簡略画像データをデータベース３ｄから読み出し、インターネット１を介して上記アドレスに対応するＰＤ６（ＰＣ７）に対して、詳細印刷データあるいは簡略画像データをダウンロードし、印刷するようにしたものである。
【０１４９】
上記印刷するＰＤ６（ＰＣ７）の指定は、印刷要求が行われる前に、あらかじめ自動的に行われる場合と、人手により行われる場合がある。
【０１５０】
あらかじめ自動的に行われる場合について説明する。この場合、ＢＤ２のブルートゥース機能により近くのＰＤ６（ＰＣ７）に対して問い合わせを行う。この問い合わせに対してＰＤ６（ＰＣ７）は、自身のインターネット１におけるアドレスをＢＤ２に返送する（Ｓａ）。これにより、ＢＤ２は印刷要求を行う際に印刷要求と一緒にそのアドレスも送信される。
【０１５１】
また、ＢＤ２の操作部１５の指示により印刷先設定モードにして、近くのあるいは任意のＰＤ６（ＰＣ７）の番号を入力することにより、設定するようにしても良い。
【０１５２】
また、上記ＣＳ３からのプリントデータがＰＣ７にダウンロードされた際に、印刷処理が行われる場合について説明したが、認証処理がなされてから印刷処理が行われるようにしても良い。
【０１５３】
すなわち、ＣＳ３からＰＣ７にダウンロードされるプリントデータに認証番号としての印刷要求がなされたＢＤ２の電話番号も付加して送信し、上記ＣＳ３からのプリントデータがＰＣ７にダウンロードされた際に、ＰＣ７からＢＤ２に対してＢＤ２の電話番号の送信要求を行うことにより、返送される電話番号（Ｓｂ）と上記プリントデータに付加されている電話番号の一致により、認証処理が行われた後、印刷処理が行われる。
【０１５４】
このように、認証による確認が為されてから、印刷を行うことができ、安全性が高いものとなる。
【０１５５】
この第５の実施形態の動作を、図１８に示すようなデータの送受信の状態を用いて説明する。
【０１５６】
たとえば、地図情報のサイトが選択され、図１１に示すような、線で表わされるような概略地図のデータが、ＣＳ３から要求のあったＢＤ２へ送信される（Ｓ６１、Ｓ６２）。これにより、ＢＤ２は概略地図のデータを表示部１４により表示する。この表示により、印刷指示用アイコンが選択される。この場合、印刷指示用アイコンの選択に基づいて、印刷要求とあらかじめ設定されている印刷先のＰＣ７のアドレスがＣＳ３に送信される（Ｓ６３）。これにより、ＣＳ３は上記概略地図のデータ（のアドレス）に基づくコンテンツの詳細印刷データあるいは簡略画像データをデータベース３ｄから読み出して上記ＰＣ７へ送信することにより（Ｓ６４）、ダウンロードする。
【０１５７】
これにより、ＰＣ７はダウンロードされた詳細印刷データあるいは簡略画像データをＰＤ６に送信する。ＰＤ６は、受信した印刷用データを印刷処理する。このＰＤ６により印刷処理された用紙Ｐが出力される（Ｓ６５）。
【０１５８】
上記したように、ＢＤからＣＳに対して現在開いているホームページ等の印刷を要求することにより、対応するホームページに係る印刷データがＣＳのデータベースから読み出されてＰＣに送信され、ＰＤを通じてそのデータを印刷することができる。この際、ＢＤにより近くのＰＣに対する問合せ応答により、印刷するＰＤを決めておき、ＢＤからＣＳへの印刷要求に印刷先のＰＣ（ＰＤ）のアドレスを付加して送信し、ＣＳに対して送信先、印刷先を通知することができる。
【０１５９】
この場合、印刷先のＰＣ（ＰＤ）がＢＤの所持者にも解るように、表示部１４により案内するようにしても良い。
【０１６０】
また、ＢＤからＰＣ（ＰＤ）に対して問合せ、応答を行う場合について説明したが、これに限らず、ＢＤによるＰＣ（ＰＤ）からの一方的な通知により、印刷先を決定するようにしても良い。
【０１６１】
また、ＢＤの操作部１５により印刷を指定するＰＣ（ＰＤ）の番号をキー入力するものであっても良い。
【０１６２】
上記した第５の実施形態は、簡易データＰＵＳＨ印刷型である。
【０１６３】
要部の処理手順としては、（１）ＢＤ２からＣＳ３に対して印刷指示し、（２）ＣＳ３からＰＣ７に印刷データを送信し、（３）ＰＣ７からＰＤ６に対する印刷処理が実行され、情報が印刷される。
【０１６４】
印刷データの流れは、「ＣＳ３→ＰＣ７→ＰＤ６」となっている。
【０１６５】
これにより、印刷されるデータは、ＢＤ２上で表示できる情報でも、ＢＤ２上で表示できない情報でもよい。
【０１６６】
（１）の前にＰＣ７からＢＤ２に対してＰＣ７を特定するための情報を伝える場合もある。
【０１６７】
（３）の前に、ＰＣ７上での操作やＢＤ２からＰＣ７へのデータ送信によって、印刷処理の開始指示を行う場合もある。
【０１６８】
この実施形態では、ＢＤ２で印刷データを蓄積する必要がなく、既存のＢＤ２をそのまま利用可能であるという利点がある。
【０１６９】
また、ＢＤからＣＳに対して印刷を要求することにより、印刷データがＣＳからＰＣに送信され、ＰＤを通じてそのデータを印刷することができる。
【０１７０】
また、ＣＳがＢＤから印刷要求を受信した後、印刷データを送信する宛先のＰＣ上で印刷データを正しく処理できない（または、ＰＤで正しく印刷できない）ことを検知した場合は、データ印刷不可能であることをＢＤに対して通知できる。
【０１７１】
［第６の実施形態］
第６の実施形態のオンデマンドプリントシステムは、図１９に示すように、インターネット１等の通信網を介して情報受信側の携帯端末としてのブラウザデバイス（ＢＤ）２、情報発信側の情報発信装置としてのコンテンツサーバ（ＣＳ）３、印刷用コンテンツ（詳細印刷データ、印刷専用データ）を保管するＰＣＤＢ５、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。上記第１の実施形態からＰＯＤＳ４とが削除されたものである。
【０１７２】
ＰＣＤＢ５は、印刷用コンテンツ（詳細印刷データ、印刷専用データ）を保管するデータベースであり、この第６の実施形態ではコンテンツサーバ（ＣＳ）３により管理されるものである。これにより、ＣＳ３に、登録場所テーブル４ｅを有している。
【０１７３】
この第６の実施形態の動作を、図１９に示すようなデータの送受信の状態を用いて説明する。
【０１７４】
たとえば、地図情報のサイトが選択され、所望の地図情報（地図Ｎｏ．１０２３：地図ＩＤ）としてＢＤ２の表示部１４に合わせて図１１に示すような、線で表わされるような概略地図のデータが、ＣＳ３から要求のあったＢＤ２へ送信される（Ｓ７１、Ｓ７２）。これにより、ＢＤ２の表示部１４により、図１１に示すような、線で表わされるような概略地図が表示される。この表示により、印刷指示用アイコンが選択される。この選択により、ＢＤ２は、「地図Ｎｏ．１０２３に対する、ユーザ０９０１２３４５６７８＠ａｂｃ．ｘｙｚからの印刷要求」をＣＳ３へ送信する（Ｓ７３）。
【０１７５】
これにより、ＣＳ３は、登録場所テーブル４ｅを参照して、「地図ＩＤ＝１０２３」に対応する、ＰＣＤＢ５内の印刷データの登録場所を”ｍａｐ／ｋａｎａｇａｗａ／ｋａｗａｓａｋｉ／１７”と特定し、この登録場所から印刷データを取得する（Ｓ７４、Ｓ７５）。
【０１７６】
ついで、ＣＳ３は、この取得した印刷データを印刷要求のあったＢＤ２へ送信する（Ｓ７６）。これにより、ＢＤ２は受信した印刷データをメモリ２１に一旦登録した後、ブルートゥース等のデータ転送機能により、上記メモリ２１に登録されている印刷データをＰＣ７を介してＰＤ６に送信する（Ｓ７７）。ＰＤ６は、受信した印刷用データを印刷処理する。このＰＤ６により印刷処理された用紙Ｐが出力される（Ｓ７８）。
【０１７７】
この結果、用紙Ｐには、図１４に示すように、「オフィス        ビル４Ｆ  川崎駅より〜徒歩５分」という案内文と、詳細な地図情報が印刷される。
【０１７８】
上記したように、ＢＤからＣＳに対して現在開いているホームページ等の印刷を要求することにより、対応するホームページに係る印刷データがＣＳが管理するＰＣＤＢから読み出されてＣＳを通じてＢＤに送信され、このＢＤが受信した印刷データを、ＢＤからＰＣに直接送信することにより、ＰＤを通じてその印刷データを印刷することができる。
【０１７９】
上記例では、印刷データが１つの場合であったが、複数の中から選択できるようになっていても良い。この場合、ＣＳ３にたとえばホームページごとの印刷データのリストが登録され、この登録されている印刷データのリストを合成して出力する機能が付加されている。
【０１８０】
この動作を、図２０に示すようなデータの送受信の状態を用いて説明する。
【０１８１】
たとえば、地図情報のサイトが選択され、所望の地図情報（地図Ｎｏ．１０２３：地図ＩＤ）としてＢＤ２の表示部１４に合わせて図１１に示すような、線で表わされるような概略地図のデータが、ＣＳ３から要求のあったＢＤ２へ送信される（Ｓ８１、Ｓ８２）。これにより、ＢＤ２の表示部１４により、図１１に示すような、線で表わされるような概略地図が表示される。この表示に基づいて、ＢＤ２の所持者により印刷指示用アイコンが選択される。この選択により、ＢＤ２は、「地図Ｎｏ．１０２３に対する、ユーザ０９０１２３４５６７８＠ａｂｃ．ｘｙｚからの印刷要求」をＣＳ３へ送信する（Ｓ８３）。
【０１８２】
これにより、ＣＳ３は、「地図ＩＤ＝１０２３」に対応する印刷データのリストを合成して、印刷データの選択リストを生成し、印刷要求のあったＢＤ２へ送信する（Ｓ８４）。これにより、ＢＤ２は受信した印刷データの選択リストを表示部１４により表示する。たとえば、上記地図をそれぞれ分割して拡大した地図や、異なった目的に合わせた種別の地図（車用、自転車用、歩行者用）等が選択できるようになっている。
【０１８３】
この表示によりＢＤ２の所持者が所望の印刷データを選択する。この選択により、ＢＤ２は、選択内容をＣＳ３へ送信する（Ｓ８５）。
【０１８４】
これにより、ＣＳ３は、登録場所テーブル４ｅを参照してＰＣＤＢ５内の印刷データの登録場所を特定し、この登録場所から印刷データを取得する（Ｓ８６、Ｓ８７）。
【０１８５】
ついで、ＣＳ３は、この取得した印刷データを印刷要求のあったＢＤ２へ送信する（Ｓ８８）。これにより、ＢＤ２は受信した印刷データをメモリ２１に一旦登録した後、ブルートゥース等のデータ転送機能により、上記メモリ２１に登録されている印刷データをＰＣ７を介してＰＤ６に送信する（Ｓ８９）。ＰＤ６は、受信した印刷用データを印刷処理する。このＰＤ６により印刷処理された用紙Ｐが出力される（Ｓ９０）。
【０１８６】
上記した第６の実施形態は、専用データ送信・印刷型である。
【０１８７】
要部の処理手順として（１）ＰＣＤＢ５からＣＳ３を通じてＢＤ２が印刷データを受信し、（２）ＢＤ２からＰＣ７に対して印刷指示し、ＢＤ２内に蓄積されている印刷データをＰＣ７に転送し、（３）ＰＣ７からＰＤ６に対する印刷処理が実行され、情報が印刷される。
【０１８８】
印刷データの流れは、「ＰＣＤＢ５→ＣＳ３→ＢＤ２→ＰＣ７→ＰＤ６」となっている。
【０１８９】
これにより、ＢＤ２〜ＰＣ７間の通信は、無線でも優先（ケーブル通信）でも可能であり、印刷されるデータは、印刷専用データ（非表示データ）である。
【０１９０】
この実施形態では、ＢＤ２を一種のモバイルストレージとして利用でき、印刷専用の出力結果を得られるという利点がある。
【０１９１】
また、ＰＣＤＢからＣＳを通じてＢＤが受信したデータを、ＢＤからＰＣに直接送信することにより、ＰＤを通じてそのデータを印刷することができる。
【０１９２】
また、ＰＣがＢＤから印刷データを受信した後、受信したデータが印刷可能なデータであるかをＰＣが判断し、印刷不可能であると判断した場合は、すでにＢＤとＰＣの接続が切断・終了されていても、印刷不可能であることをＢＤに通知できる。
【０１９３】
［第７の実施形態］
第７の実施形態のオンデマンドプリントシステムは、図２１に示すように、インターネット１等の通信網を介して情報受信側の携帯端末としてのブラウザデバイス（ＢＤ）２、情報発信側の情報発信装置としてのコンテンツサーバ（ＣＳ）３、印刷用コンテンツ（詳細印刷データ、印刷専用データ）を保管するＰＣＤＢ５、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。上記第１の実施形態からＰＯＤＳ４とが削除されたものである。
【０１９４】
ＰＣＤＢ５は、印刷用コンテンツ（詳細印刷データ、印刷専用データ）を保管するデータベースであり、この第７の実施形態ではコンテンツサーバ（ＣＳ）３により管理されるものである。これにより、ＣＳ３に、登録場所テーブル４ｅを有している。
【０１９５】
この第７の実施形態では、ＢＤ２からの印刷要求がそのアドレス等のリンク情報とともにＰＣ７に送信され、この印刷要求を受けたＰＣ７はインターネット１を介して上記アドレス等のリンク情報に基づいて、印刷専用データとしての詳細印刷データをＣＳ３により管理されているＰＣＤＢ５からＣＳ３を介してダウンロードするようにしたものである。
【０１９６】
このＰＣ７によるダウンロードのタイミングとしては、ＢＤ２からの印刷要求が供給された際、次の印刷要求が供給された際、ＢＤ２からの印刷要求が供給されてから次の印刷要求が供給されるまでの間の最適な時となっている。この最適な時とは、ネットワークの効率の良いとき、ＰＤ６のスケージューリングに基づくタイミングとなっている。
【０１９７】
上記ＰＣ７によるダウンロードのタイミングが、ＢＤ２からの印刷要求が供給された直後の動作を、図２１に示すようなデータの送受信の状態を用いて説明する。
【０１９８】
たとえば、地図情報のサイトが選択され、図１１に示すような、線で表わされるような概略地図のデータが、ＣＳ３から要求のあったＢＤ２へ送信される（Ｓ９１、Ｓ９２）。これにより、ＢＤ２は概略地図のデータを表示部１４により表示する。この表示により、印刷指示用アイコンが選択される。この場合、印刷指示用アイコンの選択に基づいて、印刷要求とリンクデータとしてのホームページのアドレスをＢＤ２のデータ転送機能によりＰＣ７に送信する（Ｓ９３）。これにより、ＰＣ７は印刷要求とともに受信したアドレスに基づくコンテンツのダウンロードの指示をＣＳ３へ送信する（Ｓ９４）。
【０１９９】
これにより、ＣＳ３は、登録場所テーブル４ｅを参照して、ＰＣＤＢ５内の印刷データの登録場所を特定し、この登録場所から印刷データを取得する（Ｓ９５、Ｓ９６）。
【０２００】
ついで、ＣＳ３は、この取得した印刷データを印刷要求のあったＰＣ７へ送信することにより（Ｓ９７）、ダウンロードする。
【０２０１】
これにより、ＰＣ７はダウンロードされた詳細印刷データをＰＤ６に送信する。ＰＤ６は、受信した印刷用データを印刷処理する。このＰＤ６により印刷処理された用紙Ｐが出力される（Ｓ９８）。
【０２０２】
上記したように、ＢＤが受信したデータの存在位置を特定する情報（ＵＲＬなど）を、ＢＤからＰＣに送信することにより、ＰＣが受信した情報に基づいて、印刷対象となるデータをＣＳにより管理されるＰＣＤＢからのダウンロードにより取得し、ＰＤを通じてそのデータを印刷することができる。
【０２０３】
また、ＰＣがＢＤから印刷データを受信した後、受信したデータが印刷可能なデータであるかをＰＣが判断し、印刷不可能であると判断した場合は、すでにＢＤとＰＣの接続が切断・終了されていても、印刷不可能であることをＢＤに通知できる。
【０２０４】
さらに、ＰＣがＢＤからデータの存在位置を特定する情報を受信した後、受信した情報に基づいて印刷対象となるデータを即時に取得することによって、その後データ内容が更新されても、以前の情報を印刷することができる。
【０２０５】
また、ＰＣがＢＤからデータの存在位置を特定する情報を受信した後、受信した情報に基づいて印刷対象となるデータを即時に取得せず、次に印刷要求を受けた時点で印刷データを取得して印刷することによって、印刷要求時の（最新の）情報を印刷物として入手できる。
【０２０６】
また、ＰＣがＢＤからデータの存在位置を特定する情報を受信した後、受信した情報に基づいて印刷対象となるデータを即時に取得せず、次に印刷要求を受けるまでの時間のうち、最適な時点で印刷データを取得することができる。
【０２０７】
上記例では、印刷データが１つの場合であったが、複数の中から選択できるようになっていても良い。この場合、ＣＳ３にたとえばホームページごとの印刷データのリストが登録され、この登録されている印刷データのリストを合成して出力する機能が付加されている。
【０２０８】
この動作を、図２２に示すようなデータの送受信の状態を用いて説明する。
【０２０９】
たとえば、地図情報のサイトが選択され、図１１に示すような、線で表わされるような概略地図のデータが、ＣＳ３から要求のあったＢＤ２へ送信される（Ｓ１０１、Ｓ１０２）。これにより、ＢＤ２は概略地図のデータを表示部１４により表示する。この表示に基づいて、ＢＤ２の所持者により、印刷指示用アイコンが選択される。この場合、印刷指示用アイコンの選択に基づいて、印刷要求をＣＳ３へ送信する（Ｓ１０３）。
【０２１０】
これにより、ＣＳ３は、「地図ＩＤ＝１０２３」に対応する印刷データのリストを合成して、印刷データの選択リストを生成し、印刷要求のあったＢＤ２へ送信する（Ｓ１０４）。これにより、ＢＤ２は受信した印刷データの選択リストを表示部１４により表示する。たとえば、上記地図をそれぞれ分割して拡大した地図や、異なった目的に合わせた種別の地図（車用、自転車用、歩行者用）等が選択できるようになっている。これらの地図には地図ＩＤあるいはＰＣＤＢ５のアドレスが付与されている。
【０２１１】
この表示によりＢＤ２の所持者が所望の印刷データを選択する。この選択により、ＢＤ２は、印刷要求とリンクデータとしての地図ＩＤあるいはＰＣＤＢ５のアドレスをデータ転送機能によりＰＣ７に送信する（Ｓ１０５）。これにより、ＰＣ７は印刷要求とともに受信した地図ＩＤあるいはＰＣＤＢ５のアドレスに基づく印刷データのダウンロードの指示をＣＳ３へ送信する（Ｓ１０６）。
【０２１２】
これにより、ＣＳ３は、地図ＩＤにより登録場所テーブル４ｅを参照して、ＰＣＤＢ５内の印刷データの登録場所を特定し、この登録場所から印刷データを取得する（Ｓ１０７、Ｓ１０８）。あるいはアドレスに基づいて印刷データを取得する。
【０２１３】
ついで、ＣＳ３は、この取得した印刷データを印刷要求のあったＰＣ７へ送信することにより（Ｓ１０９）、ダウンロードする。
【０２１４】
これにより、ＰＣ７はダウンロードされた詳細印刷データをＰＤ６に送信する。ＰＤ６は、受信した印刷用データを印刷処理する。このＰＤ６により印刷処理された用紙Ｐが出力される（Ｓ１１０）。
【０２１５】
上記した第７の実施形態は、専用データＰＵＬＬ印刷型である。
【０２１６】
要部の処理手順としては、（１）ＢＤ２でＣＳ３の情報を受信・表示し、（２）ＢＤ２からＰＣ７に対して印刷指示し、印刷したいデータの所在・アドレスをＰＣ７に通知し、（３）ＰＣ７がＰＣＤＢ５からＣＳ３を通じて印刷データをダウンロードし、（４）ＰＣ７からＰＤ６に対する印刷処理が実行され、情報が印刷される。
【０２１７】
印刷データの流れは、「ＰＣＤＢ５→ＣＳ３→ＰＣ７→ＰＤ６」となっている。
【０２１８】
これにより、ＢＤ２〜ＰＣ７間の通信は、無線でも優先（ケーブル通信）でも可能、印刷されるデータは、印刷専用データ（非表示データ）である。
【０２１９】
この実施形態では、ＢＤ２で印刷データを蓄積する必要がなく、印刷専用の出力結果を得られる。
【０２２０】
また、ＢＤが受信したデータの存在位置を特定する情報（ＵＲＬなど）を、ＢＤからＰＣに送信することにより、ＰＣが受信した情報に基づいて印刷対象となるデータを取得し、ＰＤを通じてそのデータを印刷することができる。
【０２２１】
また、ＰＣがＢＤからデータの存在位置を特定する情報を受信した後、受信した情報に基づいて印刷対象となるデータを取得できなかった場合は、すでにＢＤとＰＣの接続が切断・終了されていても、データ取得不可能であることをＢＤに通知できる。
【０２２２】
また、ＰＣがＢＤからデータの存在位置を特定する情報を受信した後、受信した情報に基づいて印刷対象となるデータを即時に取得することによって、その後データ内容が更新されても、以前の情報を印刷することができる。
【０２２３】
また、ＰＣがＢＤからデータの存在位置を特定する情報を受信した後、受信した情報に基づいて印刷対象となるデータを即時に取得せず、次に印刷要求を受けた時点で印刷データを取得して印刷することによって、印刷要求時の（最新の）情報を印刷物として入手できる。
【０２２４】
また、ＰＣがＢＤからデータの存在位置を特定する情報を受信した後、受信した情報に基づいて印刷対象となるデータを即時に取得せず、次に印刷要求を受けるまでの時間のうち、最適な時点で印刷データを取得することができる。
【０２２５】
ＣＳ上にあるＢＤ表示用データとＰＣＤＢ上の印刷用データの対応付けをあらかじめ行い、その結果をＣＳが管理することによって、ＢＤ表示用データの存在位置を特定する情報を、印刷専用データの位置を特定する情報に変換することできる。
【０２２６】
［第８の実施形態］
第８の実施形態のオンデマンドプリントシステムは、図２１に示すように、インターネット１等の通信網を介して情報受信側の携帯端末としてのブラウザデバイス（ＢＤ）２、情報発信側の情報発信装置としてのコンテンツサーバ（ＣＳ）３、印刷用コンテンツ（詳細印刷データ、印刷専用データ）を保管するＰＣＤＢ５、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。上記第１の実施形態からＰＯＤＳ４とが削除されたものである。
【０２２７】
ＰＣＤＢ５は、印刷用コンテンツ（詳細印刷データ、印刷専用データ）を保管するデータベースであり、この第８の実施形態ではコンテンツサーバ（ＣＳ）３により管理されるものである。これにより、ＣＳ３に、登録場所テーブル４ｅを有している。
【０２２８】
この第８の実施形態では、ＢＤ２からの印刷要求が印刷を行うＰＤ６（ＰＣ７）を指定するアドレスとともにＣＳ３に送信され、この印刷要求を受けたＣＳ３は上記印刷要求に対応するホームページアドレスに登録されている詳細印刷データをデータベース３ｄから読み出し、インターネット１を介して上記アドレスに対応するＰＤ６（ＰＣ７）に対して、詳細印刷データをＣＳ３により管理されているＰＣＤＢ５からＣＳ３を介してダウンロードし、印刷するようにしたものである。
【０２２９】
上記印刷するＰＤ６（ＰＣ７）の指定は、印刷要求が行われる前に、あらかじめ自動的に行われる場合と、人手により行われる場合がある。
【０２３０】
あらかじめ自動的に行われる場合について説明する。この場合、ＢＤ２のブルートゥース機能により近くのＰＤ６（ＰＣ７）に対して問い合わせを行う。この問い合わせに対してＰＤ６（ＰＣ７）は、自身のインターネット１におけるアドレスをＢＤ２に返送する（Ｓａ）。これにより、ＢＤ２は印刷要求を行う際に印刷要求と一緒にそのアドレスも送信される。また、ＢＤ２の操作部１５の指示により印刷先設定モードにして、近くのあるいは任意のＰＤ６（ＰＣ７）の番号を入力することにより、設定する。
【０２３１】
また、上記ＣＳ３からのプリントデータがＰＣ７にダウンロードされた際に、印刷処理が行われる場合について説明したが、認証処理がなされてから印刷処理が行われるようにしても良い。
【０２３２】
すなわち、ＣＳ３からＰＣ７にダウンロードされるプリントデータに認証番号としての印刷要求がなされたＢＤ２の電話番号も付加して送信し、上記ＣＳ３からのプリントデータがＰＣ７にダウンロードされた際に、ＰＣ７からＢＤ２に対してＢＤ２の電話番号の送信要求を行うことにより、返送される電話番号（Ｓｂ）と上記プリントデータに付加されている電話番号の一致により、認証処理が行われた後、印刷処理が行われる。
【０２３３】
このように、認証による確認が為されてから、印刷を行うことができ、安全性が高いものとなる。
【０２３４】
この第８の実施形態の動作を、図２３に示すようなデータの送受信の状態を用いて説明する。
【０２３５】
たとえば、地図情報のサイトが選択され、図１１に示すような、線で表わされるような概略地図のデータが、ＣＳ３から要求のあったＢＤ２へ送信される（Ｓ４１１、Ｓ４１２）。これにより、ＢＤ２は概略地図のデータを表示部１４により表示する。この表示により、印刷指示用アイコンが選択される。この場合、印刷指示用アイコンの選択に基づいて、「地図Ｎｏ．１０２３に対する、ユーザ０９０１２３４５６７８＠ａｂｃ．ｘｙｚからの印刷要求」とあらかじめ設定されている印刷先のＰＣ７のアドレスがＣＳ３に送信される（Ｓ４１３）。
【０２３６】
これにより、ＣＳ３は、登録場所テーブル４ｅを参照して、「地図ＩＤ＝１０２３」に対応する、ＰＣＤＢ５内の印刷データの登録場所を”ｍａｐ／ｋａｎａｇａｗａ／ｋａｗａｓａｋｉ／１７”と特定し、この登録場所から印刷データを取得する（Ｓ４１４、Ｓ４１５）。ついで、ＣＳ３は、この取得した印刷データを印刷先のＰＣ７へ送信することにより（Ｓ４１６）、ダウンロードする。
【０２３７】
これにより、ＰＣ７はダウンロードされた詳細印刷データをＰＤ６に送信する。ＰＤ６は、受信した印刷用データを印刷処理する。このＰＤ６により印刷処理された用紙Ｐが出力される（Ｓ４１７）。
【０２３８】
上記したように、ＢＤからＣＳに対して現在開いているホームページ等の印刷を要求することにより、対応するホームページに係る印刷データがＣＳがかんりするＰＣＤＢから読み出されてＰＣに送信され、ＰＤを通じてそのデータを印刷することができる。この際、ＢＤにより近くのＰＣに対する問合せ応答により、印刷するＰＤを決めておき、ＢＤからＣＳへの印刷要求に印刷先のＰＣ（ＰＤ）のアドレスを付加して送信し、ＣＳに対して送信先、印刷先を通知することができる。
【０２３９】
この場合、印刷先のＰＣ（ＰＤ）がＢＤの所持者にも解るように、表示部１４により案内するようにしても良い。
【０２４０】
また、ＢＤからＰＣ（ＰＤ）に対して問合せ、応答を行う場合について説明したが、これに限らず、ＢＤによるＰＣ（ＰＤ）からの一方的な通知により、印刷先を決定するようにしても良い。
【０２４１】
また、ＢＤの操作部１５により印刷を指定するＰＣ（ＰＤ）の番号をキー入力するものであっても良い。
【０２４２】
上記した第８の実施形態は、専用データＰＵＳＨ印刷型である。
【０２４３】
要部の処理手順としては、（１）ＢＤ２からＣＳ３に対して印刷指示し、（２）ＰＣＤＢ５からＣＳ３を通じてＰＣ７に印刷データを送信し、（３）ＰＣ７からＰＤ６に対する印刷処理が実行され、情報が印刷される。
【０２４４】
印刷データの流れとしては、「ＰＣＤＢ５→ＣＳ３→ＰＣ７→ＰＤ６」となっている。
【０２４５】
これにより、印刷されるデータは、印刷専用データ（非表示データ）であり、（１）の前にＰＣ７からＢＤ２に対してＰＣ７を特定するための情報を伝える場合もあり、（３）の前に、ＰＣ７上での操作やＢＤ２からＰＣ７へのデータ送信によって、印刷処理の開始指示を行う場合もある。
【０２４６】
この実施形態では、ＢＤ２で印刷データを蓄積する必要がなく、既存のＢＤ２をそのまま利用可能であり、印刷専用の出力結果を得られるという利点がある。
【０２４７】
また、ＢＤからＣＳに対して印刷を要求することにより、印刷データがＰＣＤＢからＣＳを通じてＰＣに送信され、ＰＤを通じてそのデータを印刷することができる。
【０２４８】
また、ＣＳがＢＤから印刷要求を受信した後、対応するＰＣＤＢ上の印刷データを、送信する宛先のＰＣ上で正しく処理できない（または、ＰＤで正しく印刷できない）ことを検知した場合は、データ印刷不可能であることをＢＤに対して通知できる。
【０２４９】
［第９の実施形態］
第９の実施形態のオンデマンドプリントシステムは、図２４に示すように、インターネット１等の通信網を介して情報受信側の携帯端末としてのブラウザデバイス（ＢＤ）２、情報発信側の情報発信装置としてのコンテンツサーバ（ＣＳ）３、印刷用コンテンツ（詳細印刷データ、印刷専用データ）を保管するＰＣＤＢ５、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。上記第１の実施形態からＰＯＤＳ４とが削除されたものである。
【０２５０】
ＰＣＤＢ５は、印刷用コンテンツ（詳細印刷データ、印刷専用データ）を保管するデータベースであり、この第９の実施形態ではプリンタコントローラ（ＰＣ）７により管理されるものである。これにより、ＰＣ７に、登録場所テーブル４ｅを有している。
【０２５１】
この第９の実施形態の動作を、図２４に示すようなデータの送受信の状態を用いて説明する。
【０２５２】
たとえば、地図情報のサイトが選択され、所望の地図情報（地図Ｎｏ．１０２３：地図ＩＤ）としてＢＤ２の表示部１４に合わせて図１１に示すような、線で表わされるような概略地図のデータが、ＣＳ３から要求のあったＢＤ２へ送信される（Ｓ１１１、Ｓ１１２）。これにより、ＢＤ２の表示部１４により、図１１に示すような、線で表わされるような概略地図が表示される。この表示により、印刷指示用アイコンが選択される。この選択により、ＢＤ２は、「地図Ｎｏ．１０２３に対する、ユーザ０９０１２３４５６７８＠ａｂｃ．ｘｙｚからの印刷要求」をＰＣ７へ送信する（Ｓ１１３）。
【０２５３】
これにより、ＰＣ７は、登録場所テーブル４ｅを参照して、「地図ＩＤ＝１０２３」に対応する、ＰＣＤＢ５内の印刷データの登録場所を”ｍａｐ／ｋａｎａｇａｗａ／ｋａｗａｓａｋｉ／１７”と特定し、この登録場所から印刷データを取得する（Ｓ１１４、Ｓ１１５）。
【０２５４】
ついで、ＰＣ７は、この取得した印刷データをＰＤ６に送信する。ＰＤ６は、受信した印刷用データを印刷処理する。このＰＤ６により印刷処理された用紙Ｐが出力される（Ｓ１１６）。
【０２５５】
この結果、用紙Ｐには、図１４に示すように、「オフィス        ビル４Ｆ  川崎駅より〜徒歩５分」という案内文と、詳細な地図情報が印刷される。
【０２５６】
上記したように、ＢＤからＰＣに対して現在開いているホームページ等の印刷を要求することにより、対応するホームページに係る印刷データがＰＣが管理するＰＣＤＢから読み出されてＰＣに直接送信することにより、ＰＤを通じてその印刷データを印刷することができる。
【０２５７】
上記した第９の実施形態は、プリンタ主導の専用データＰＵＬＬ印刷型である。
【０２５８】
要部の処理手順としては、（１）ＢＤ２でＣＳ３の情報を受信・表示し、（２）ＢＤ２からＰＣ７に対して印刷指示し、印刷したいデータの所在・アドレスをＰＣ７に通知し、（３）ＰＣ７がＰＣＤＢ５から印刷データをダウンロードし、（４）ＰＣ７からＰＤ６に対する印刷処理が実行され、情報が印刷される。
【０２５９】
印刷データの流れとしては、「ＰＣＤＢ５→ＰＣ７→ＰＤ６」となっている。
【０２６０】
これにより、ＢＤ２〜ＰＣ７間の通信は、無線でも優先（ケーブル通信）でも可能であり、印刷されるデータは、印刷専用データ（非表示データ）である。
【０２６１】
この実施形態では、ＢＤ２で印刷データを蓄積する必要がなく、印刷専用の出力結果を得られるという利点がある。
【０２６２】
また、ＢＤが受信したデータの存在位置を特定する情報（ＵＲＬなど）を、ＢＤからＰＣに送信することにより、ＰＣが受信した情報に基づいて印刷対象となるデータを取得し、ＰＤを通じてそのデータを印刷することができる。
【０２６３】
また、ＰＣがＢＤからデータの存在位置を特定する情報を受信した後、受信した情報に基づいて印刷対象となるデータを取得できなかった場合は、すでにＢＤとＰＣの接続が切断・終了されていても、データ取得不可能であることをＢＤに通知できる。
【０２６４】
また、ＰＣがＢＤからデータの存在位置を特定する情報を受信した後、受信した情報に基づいて印刷対象となるデータを即時に取得することによって、その後データ内容が更新されても、以前の情報を印刷することができる。
【０２６５】
また、ＰＣがＢＤからデータの存在位置を特定する情報を受信した後、受信した情報に基づいて印刷対象となるデータを即時に取得せず、次に印刷要求を受けた時点で印刷データを取得して印刷することによって、印刷要求時の（最新の）情報を印刷物として入手できる。
【０２６６】
また、ＰＣがＢＤからデータの存在位置を特定する情報を受信した後、受信した情報に基づいて印刷対象となるデータを即時に取得せず、次に印刷要求を受けるまでの時間のうち、最適な時点で印刷データを取得することができる。
【０２６７】
また、ＣＳ上にあるＢＤ表示用データとＰＣＤＢ上の印刷用データの対応付けをあらかじめ行い、その結果をＰＣが管理することによって、ＢＤ表示用データの存在位置を特定する情報を、印刷専用データの位置を特定する情報に変換することできる。
【０２６８】
［第１０の実施形態］
第１０の実施形態のオンデマンドプリントシステムは、図２５に示すように、インターネット１等の通信網を介して情報受信側の携帯端末としてのブラウザデバイス（ＢＤ）２、情報発信側の情報発信装置としてのコンテンツサーバ（ＣＳ）３、印刷用コンテンツ（詳細印刷データ、印刷専用データ）を保管するＰＣＤＢ５、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。上記第１の実施形態からＰＯＤＳ４とが削除されたものである。
【０２６９】
ＰＣＤＢ５は、印刷用コンテンツ（詳細印刷データ、印刷専用データ）を保管するデータベースであり、この第１０の実施形態ではプリンタコントローラ（ＰＣ）７により管理されるものである。これにより、ＰＣ７に、ホームページのアドレスをキーとした印刷用データのＰＣＤＢ５内の登録場所を記憶している登録場所テーブル４ｅを有している。
【０２７０】
この第１０の実施形態では、ＢＤ２からの印刷要求が印刷を行うＰＣ７を指定するアドレスとともにＣＳ３に送信され、この印刷要求を受けたＣＳ３は印刷要求とこの印刷要求に対応するホームページアドレスを上記ＰＣ７を指定するアドレスに対応するＰＣ７に対して送信され、ＰＣ７が管理するＰＣＤＢから印刷データをダウンロードし、印刷するようにしたものである。
【０２７１】
上記印刷するＰＤ６（ＰＣ７）の指定は、印刷要求が行われる前に、あらかじめ自動的に行われる場合と、人手により行われる場合がある。
【０２７２】
あらかじめ自動的に行われる場合について説明する。この場合、ＢＤ２のブルートゥース機能により近くのＰＤ６（ＰＣ７）に対して問い合わせを行う。この問い合わせに対してＰＤ６（ＰＣ７）は、自身のインターネット１におけるアドレスをＢＤ２に返送する（Ｓａ）。これにより、ＢＤ２は印刷要求を行う際に印刷要求と一緒にそのアドレスも送信される。
【０２７３】
また、ＢＤ２の操作部１５の指示により印刷先設定モードにして、近くのあるいは任意のＰＤ６（ＰＣ７）の番号を入力することにより、設定するようにしても良い。
【０２７４】
また、上記ＣＳ３からのリンク情報がＰＣ７に送信された際に、印刷処理が行われる場合について説明したが、認証処理がなされてから印刷処理が行われるようにしても良い。
【０２７５】
すなわち、ＣＳ３からＰＣ７に送信されるリンク情報に認証番号としての印刷要求がなされたＢＤ２の電話番号も付加して送信し、上記ＣＳ３からのリンク情報がＰＣ７に供給された際に、ＰＣ７からＢＤ２に対してＢＤ２の電話番号の送信要求を行うことにより、返送される電話番号（Ｓｂ）と上記リンク情報に付加されている電話番号の一致により、認証処理が行われた後、印刷データのダウンロードと印刷処理が行われる。
【０２７６】
このように、認証による確認が為されてから、印刷を行うことができ、安全性が高いものとなる。
【０２７７】
この第１０の実施形態の動作を、図２５に示すようなデータの送受信の状態を用いて説明する。
【０２７８】
たとえば、地図情報のサイトが選択され、所望の地図情報（地図Ｎｏ．１０２３：地図ＩＤ）としてＢＤ２の表示部１４に合わせて図１１に示すような、線で表わされるような概略地図のデータが、ＣＳ３から要求のあったＢＤ２へ送信される（Ｓ１２１、Ｓ１２２）。これにより、ＢＤ２の表示部１４により、図１１に示すような、線で表わされるような概略地図が表示される。この表示により、印刷指示用アイコンが選択される。この選択により、ＢＤ２は、「地図Ｎｏ．１０２３に対する、ユーザ０９０１２３４５６７８＠ａｂｃ．ｘｙｚからの印刷要求」をＣＳ３へ送信する（Ｓ１２３）。ＣＳ３はＢＤ２からの印刷要求に基づいて、印刷要求とリンクデータとしてのホームページのアドレスをＰＣ７に送信する（Ｓ１２４）。これにより、ＰＣ７は、登録場所テーブル４ｅを参照して、ＰＣＤＢ５内の印刷データの登録場所を特定し、この登録場所から印刷データを取得する（Ｓ１２５、Ｓ１２６）。
【０２７９】
これにより、ＰＣ７はこの取得した印刷データをＰＤ６に送信する。ＰＤ６は、受信した印刷用データを印刷処理する。このＰＤ６により印刷処理された用紙Ｐが出力される（Ｓ１２７）。
【０２８０】
上記したように、ＢＤからＣＳを介してあらかじめ指定されているＰＣに対して現在開いているホームページ等の印刷を要求することにより、対応するホームページに係る印刷データがＰＣが管理するＰＣＤＢから読み出されてＰＣに直接送信することにより、ＰＤを通じてその印刷データを印刷することができる。
【０２８１】
この第１０の実施形態は、プリンタ主導の専用データＰＵＳＨ印刷型である。
【０２８２】
要部の処理手順としては、（１）ＢＤ２からＣＳ３に対して印刷指示し、（２）ＣＳ３からＰＣ７に印刷データの所在・アドレスを送信し、（３）ＰＣ７がＰＣＤＢ５から印刷データをダウンロードし、（４）ＰＣ７からＰＤ６に対する印刷処理が実行され、情報が印刷される。
【０２８３】
印刷データの流れとしては、「ＰＣＤＢ５→ＰＣ７→ＰＤ６」となっている。
【０２８４】
これにより、印刷されるデータは、印刷専用データ（非表示データ）であり、（１）の前にＰＣ７からＢＤ２に対してＰＣ７を特定するための情報を伝える場合もあり、（３）の前に、ＰＣ７上での操作やＢＤ２からＰＣ７へのデータ送信によって、印刷処理の開始指示を行う場合もある。
【０２８５】
この実施形態では、ＢＤ２で印刷データを蓄積する必要がなく、既存のＢＤ２をそのまま利用可能で、印刷専用の出力結果を得られるという利点がある。
【０２８６】
また、ＢＤからＣＳに対して印刷を要求することにより、データの存在位置を特定する情報（ＵＲＬなど）がＣＳからＰＣに送信され、その情報をもとにＰＣがＰＣＤＢから印刷データを受信して、ＰＤを通じてそのデータを印刷することができる。
【０２８７】
また、データの存在位置を特定する情報（ＵＲＬなど）がＣＳからＰＣに送信された後、ＰＣ上において、対応するＰＣＤＢ上の印刷データを正しく処理できない（または、ＰＤで正しく印刷できない）ことを検知した場合は、データ印刷不可能であることをＢＤに対して通知できる。
【０２８８】
また、ＣＳ上にあるＢＤ表示用データとＰＣＤＢ上の印刷用データの対応付けをあらかじめ行い、その結果をＰＣが管理することによって、ＢＤ表示用データの存在位置を特定する情報を、印刷専用データの位置を特定する情報に変換することできる。
【０２８９】
［第１１の実施形態］
第１１の実施形態のオンデマンドプリントシステムは、図２６に示すように、インターネット１等の通信網を介して情報受信側の携帯端末としてのブラウザデバイス（ＢＤ）２、情報発信側の情報発信装置としてのコンテンツサーバ（ＣＳ）３、印刷用コンテンツ（詳細印刷データ、印刷専用データ）を保管するＰＣＤＢ５、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。上記第１の実施形態からＰＯＤＳ４とが削除されたものである。
【０２９０】
ＰＣＤＢ５は、印刷用コンテンツ（詳細印刷データ、印刷専用データ）を保管するデータベースであり、この第１０の実施形態ではプリンタコントローラ（ＰＣ）７により管理されるものである。これにより、ＰＣ７に、ホームページのアドレスをキーとした印刷用データのＰＣＤＢ５内の登録場所を記憶している登録場所テーブル４ｅを有している。
【０２９１】
第１１の実施形態の動作を、図２１に示すようなデータの送受信の状態を用いて説明する。
【０２９２】
たとえば、地図情報のサイトが選択され、所望の地図情報（地図Ｎｏ．１０２３：地図ＩＤ）としてＢＤ２の表示部１４に合わせて図１１に示すような、線で表わされるような概略地図のデータが、ＣＳ３から要求のあったＢＤ２へ送信される（Ｓ１３１、Ｓ１３２）。これにより、ＢＤ２の表示部１４により、図１１に示すような、線で表わされるような概略地図が表示される。この表示により、印刷指示用アイコンが選択される。この選択により、ＢＤ２は、「地図Ｎｏ．１０２３に対する、ユーザ０９０１２３４５６７８＠ａｂｃ．ｘｙｚからの印刷要求」をＣＳ３へ送信する（Ｓ１３３）。ＣＳ３は、ＢＤ２からの印刷要求とリンクデータとしてのホームページのアドレスと詳細な印刷データ（あるいはＢＤ２での簡略データ）をＰＣＤＢ５に送信する（Ｓ１３４）。これにより、ＰＣＤＢ５はＣＳ３から供給された詳細な印刷データ（あるいはＢＤ２での簡略データ）をホームページのアドレスに対応して、データベース５ｃに記憶する。これにより、印刷データが先行配信される。
【０２９３】
この後、上記ＢＤ２の所持者がＰＣの近くに行き、ＢＤ２により印刷実行要求と印刷するホームページのアドレスを設定する。これにより、ＢＤ２は、ブルートゥース等のデータ転送機能により印刷実行要求と印刷するホームページのアドレスとをＰＣ７に送信する（Ｓ１３５）。
【０２９４】
これにより、ＰＣ７は供給されるホームページのアドレスが登録場所テーブル４ｅに登録されているか否かを検索し、登録されている場合、上記第９の実施形態の場合（Ｓ１２５からＳ１２７）と同様に印刷処理がなされる。
【０２９５】
また、登録されていなかった場合、ＰＣ７はホームページのアドレスをＰＣＤＢ５に送信する（Ｓ１３６）。この送信により、ＰＣＤＢ５はホームページのアドレスに基づいてあらかじめ配信されている詳細な印刷データ（あるいはＢＤ２での簡略データ）を検索し、検索された印刷データをＰＣ７を介してＰＤ６に送信する（Ｓ１３７）。ＰＤ６は、受信した印刷用データを印刷処理する。このＰＤ６により印刷処理された用紙Ｐが出力される（Ｓ１３８）。
【０２９６】
この第１１の実施形態は、先行配信型である。
【０２９７】
要部の処理手順としては、（１）ＢＤ２からＣＳ３に対して印刷指示し、（２）ＣＳ３からＰＣＤＢ５に印刷データを送信し、（３）ＰＣ７に対して印刷指示
（４）ＰＣ７がＰＣＤＢ５から印刷データをダウンロードし、（５）ＰＣ７からＰＤ６に対する印刷処理が実行され、情報が印刷される。
【０２９８】
印刷データの流れとしては、「ＣＳ３→ＰＣＤＢ５→ＰＣ７→ＰＤ６」となっている。
【０２９９】
これにより、印刷されるデータは、ＢＤ２上で表示できる情報でも、ＢＤ２上で表示できない情報でもよく、印刷専用データでもよい。（３）では、ＢＤ２が印刷データの所在・アドレスをＰＣ７に通知することによって印刷対象を指定する場合、ＰＣ７に対して所在・アドレスを直接指定する場合、ＰＣＤＢ５の内容一覧の中から選択して指定する場合がある。
【０３００】
この実施形態では、ＢＤ２で印刷データを蓄積する必要がなく、あらかじめ印刷データをＰＣＤＢ５に転送しておく（先行配信）により、ＰＣ７での印刷処理時間を短縮できるという利点がある。
【０３０１】
また、ＢＤからＣＳに対して印刷を要求することにより、印刷データもしくはデータの存在位置を特定する情報（ＵＲＬなど）がＣＳからＰＣＤＢに送信され、その後ＰＣが印刷実行要求を受信すると、印刷実行要求の内容に従ってＰＣがＰＣＤＢから印刷データを受信して、ＰＤを通じてそのデータを印刷することができる。
【０３０２】
また、ＰＣがＢＤからデータの存在位置を特定する情報を受信した後、受信した情報に基づいて印刷対象となるデータを取得できなかった場合は、すでにＢＤとＰＣの接続が切断・終了されていても、データ取得不可能であることをＢＤに通知できる。
【０３０３】
また、ＢＤからＰＣへデータの存在位置を特定する情報を送信することにより、印刷対象を指定することができる。
【０３０４】
また、ＰＣ上で印刷対象を特定する方法として、印刷対象を特定する情報を直接入力する方法、または印刷対象の一覧の中から選択して指定する方法のいずれかを用いることができる。
【０３０５】
［第１２の実施形態］
第１２の実施形態のオンデマンドプリントシステムは、図２７に示すように、インターネット１等の通信網を介して情報受信側の携帯端末としてのブラウザデバイス（ＢＤ）２、情報発信側の情報発信装置としてのコンテンツサーバ（ＣＳ）３、印刷するコンテンツの配信処理・印刷に対する課金・セキュリティ管理・ユーザ管理・印刷履歴管理などを統合的に行うプリントオンデマンドサーバ（ＰＯＤＳ）４、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。上記第１の実施形態からＰＣＤＢ５が削除されたものである。
【０３０６】
この第１２の実施形態では、ＢＤ２からのコンテンツの供給要求に対して、ＣＳ３のデータベース３ｄから読み出されるデータが、ＢＤ２の表示部１４で表示できない印刷専用データとしての詳細印刷データの１種類の場合と、この印刷専用データとしての詳細印刷データとＢＤ２用の簡略画像データの２種類の場合がある。詳細印刷データは、パソコン、ＩＡ等のリッチクライアントで表示されるデータとなっている。
【０３０７】
詳細印刷データが１種類の場合は、ＢＤ２内の制御回路２０により、上記詳細印刷データをＢＤ２用の簡略画像データに変換する変換ソフトを有している。また、ＰＯＤＳ４がＢＤ２からＰＣ７へのデータの送信途中に介在している。
【０３０８】
この場合の動作を、図２７に示すようなデータの送受信の状態を用いて説明する。
【０３０９】
たとえば、地図情報のサイトが選択され、所望の地図情報として図１４に示すような、詳細印刷データが、ＣＳ３から要求のあったＢＤ２へ送信される（Ｓ１４１、Ｓ１４２）。これにより、ＢＤ２は詳細印刷データをＢＤ２の表示部１４に合わせて図１１に示すような、線で表わされるような概略地図のデータに変換し、表示部１４により表示される。この表示により、印刷指示用アイコンが選択される。この場合、印刷指示用アイコンの選択に基づいて、ＣＳ３からのＢＤ２用への変換前の詳細印刷データと印刷要求とをＰＯＤＳ４に送信する（Ｓ１４３）。これにより、ＰＯＤＳ４は印刷するコンテンツの配信処理・印刷に対する課金・セキュリティ管理・ユーザ管理・印刷履歴管理などを統合的に行う。このＰＯＤＳ４はＢＤ２からののＢＤ２用への変換前の詳細印刷データと印刷要求とをＰＣ７に送信する（Ｓ１４４）。これにより、ＰＣ７は印刷要求により受信した詳細印刷データをＰＤ６に送信する。ＰＤ６は、受信した印刷用データを印刷処理する。このＰＤ６により印刷処理された用紙Ｐが出力される（Ｓ１４５）。
【０３１０】
詳細印刷データと簡略画像データの２種類の場合は、ＢＤ２内の制御回路２０により、上記詳細印刷データと簡略画像データとがメモリ２１に登録され、切り換えて使用されるようになっている。
【０３１１】
この場合の動作を、図２７に示すようなデータの送受信の状態を用いて説明する。
【０３１２】
たとえば、地図情報のサイトが選択され、所望の地図情報として図１４に示すような、詳細印刷データと、図１１に示すような、線で表わされるような概略地図のデータとが、ＣＳ３から要求のあったＢＤ２へ送信される（Ｓ１４１、Ｓ１４２）。これにより、ＢＤ２は概略地図のデータを表示部１４により表示する。この表示により、印刷指示用アイコンが選択される。この場合、印刷指示用アイコンの選択に基づいて、印刷要求と詳細印刷データをＰＯＤＳ４に送信する（Ｓ１４３）。これにより、ＰＯＤＳ４は印刷するコンテンツの配信処理・印刷に対する課金・セキュリティ管理・ユーザ管理・印刷履歴管理などを統合的に行う。このＰＯＤＳ４はＢＤ２からの詳細印刷データと印刷要求とをＰＣ７に送信する（Ｓ１４４）。これにより、ＰＣ７は印刷要求により受信した詳細印刷データをＰＤ６に送信する。ＰＤ６は、受信した印刷用データを印刷処理する。このＰＤ６により印刷処理された用紙Ｐが出力される（Ｓ１４５）。
【０３１３】
また、詳細印刷データが１種類の場合で、ＰＯＤＳ４がＣＳ３からＢＤ２へのデータの送信途中に介在している場合の動作を、図２８に示すようなデータの送受信の状態を用いて説明する。
【０３１４】
たとえば、地図情報のサイトが選択され、所望の地図情報として図１４に示すような、詳細印刷データが、ＣＳ３から要求のあったＢＤ２へＰＯＤＳ４を介して送信される（Ｓ１５１、Ｓ１５２、Ｓ１５３）。これにより、ＰＯＤＳ４は印刷するコンテンツの配信処理・印刷に対する課金・セキュリティ管理・ユーザ管理・印刷履歴管理などを統合的に行う。
【０３１５】
これにより、ＢＤ２は詳細印刷データをＢＤ２の表示部１４に合わせて図１１に示すような、線で表わされるような概略地図のデータに変換し、表示部１４により表示される。この表示により、印刷指示用アイコンが選択される。この場合、印刷指示用アイコンの選択に基づいて、ＣＳ３からのＢＤ２用への変換前の詳細印刷データと印刷要求とをＰＣ７に送信する（Ｓ１５４）。これにより、ＰＣ７は印刷要求により受信した詳細印刷データをＰＤ６に送信する。ＰＤ６は、受信した印刷用データを印刷処理する。このＰＤ６により印刷処理された用紙Ｐが出力される（Ｓ１５５）。
【０３１６】
また、詳細印刷データと簡略画像データの２種類を扱う場合も上記実施形態と同様に実施できる。
【０３１７】
この第１２の実施形態は、ＰＯＤＳ４経由の簡易データ送信・印刷型である。
【０３１８】
要部の処理手順としては、（１）ＢＤ２でＣＳ３の情報を受信・表示し、またはＣＳ３の情報をＰＯＤＳ４経由で受信・表示し、（２）ＢＤ２からＰＣ７に対してＰＯＤＳ４経由で印刷指示し、またはＢＤ２からＰＣ７に対して直接印刷指示し、ＢＤ２内に蓄積されている印刷データをＰＣ７に転送し、（３）ＰＣ７からＰＤ６に対する印刷処理が実行され、情報が印刷される。
【０３１９】
印刷データの流れとしては、「ＣＳ３→ＢＤ２→ＰＯＤＳ４→ＰＣ７→ＰＤ６
または、ＣＳ３→ＰＯＤＳ４→ＢＤ２→ＰＣ７→ＰＤ６」となっている。
【０３２０】
これにより、ＢＤ２〜ＰＣ７間の直接通信は、無線でも優先（ケーブル通信）でも可能で、印刷されるデータは、ＢＤ２上で表示できる情報でも、ＢＤ２上で表示できない情報でもよい。
【０３２１】
この実施形態では、ＢＤ２を一種のモバイルストレージとして利用でき、ＰＯＤＳ４の課金・セキュリティ機能などを利用できるという利点がある。
【０３２２】
また、ＢＤが受信したデータを、ＢＤからＰＣに送信することにより、ＰＤを通じてそのデータを印刷することができる。
【０３２３】
また、ＢＤがデータを受信する際に、ＰＯＤＳでの処理を経ることにより、ＰＯＤＳの実現する機能を利用することができる。
【０３２４】
また、ＢＤからＰＣにデータを送信する際に、ＰＯＤＳでの処理を経ることにより、ＰＯＤＳの実現する機能を利用することができる。
【０３２５】
また、ＰＣがＢＤから印刷データを受信した後、受信したデータが印刷可能なデータであるかをＰＣが判断し、印刷不可能であると判断した場合は、すでにＢＤとＰＣの接続が切断・終了されていても、印刷不可能であることをＢＤに通知できる。
【０３２６】
［第１３の実施形態］
第１３の実施形態のオンデマンドプリントシステムは、図２９に示すように、インターネット１等の通信網を介して情報受信側の携帯端末としてのブラウザデバイス（ＢＤ）２、情報発信側の情報発信装置としてのコンテンツサーバ（ＣＳ）３、印刷するコンテンツの配信処理・印刷に対する課金・セキュリティ管理・ユーザ管理・印刷履歴管理などを統合的に行うプリントオンデマンドサーバ（ＰＯＤＳ）４、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。上記第１の実施形態からＰＣＤＢ５が削除されたものである。
【０３２７】
この第１３の実施形態では、ＢＤ２からの印刷要求がそのアドレス等のリンク情報とともにＰＣ７に送信され、この印刷要求を受けたＰＣ７はインターネット１を介して上記アドレス等のリンク情報に基づいて、印刷専用データとしての詳細印刷データあるいはＢＤ２用の簡略画像データをＣＳ３からダウンロードするようにしたものである。さらに、ＰＯＤＳ４がＣＳ３からＰＣ７へのデータの送信途中に介在している場合、あるいはＰＯＤＳ４がＣＳ３からＢＤ２へのデータの送信途中に介在している場合の２通りの例について説明する。
【０３２８】
このＰＣ７によるダウンロードのタイミングとしては、ＢＤ２からの印刷要求が供給された際、次の印刷要求が供給された際、ＢＤ２からの印刷要求が供給されてから次の印刷要求が供給されるまでの間の最適な時となっている。この最適な時とは、ネットワークの効率の良いとき、ＰＤ６のスケージューリングに基づくタイミングとなっている。
【０３２９】
上記ＰＣ７によるダウンロードのタイミングが、ＢＤ２からの印刷要求が供給された直後であり、ＰＯＤＳ４がＣＳ３からＰＣ７へのデータの送信途中に介在している場合の動作を、図２９に示すようなデータの送受信の状態を用いて説明する。
【０３３０】
たとえば、地図情報のサイトが選択され、図１１に示すような、線で表わされるような概略地図のデータが、ＣＳ３から要求のあったＢＤ２へ送信される（Ｓ１６１、Ｓ１６２）。これにより、ＢＤ２は概略地図のデータを表示部１４により表示する。この表示により、印刷指示用アイコンが選択される。この場合、印刷指示用アイコンの選択に基づいて、印刷要求とリンクデータとしてのホームページのアドレスをＢＤ２のデータ転送機能によりＰＣ７に送信する（Ｓ１６３）。これにより、ＰＣ７は印刷要求とともに受信したアドレスに基づくコンテンツのダウンロードの指示をＣＳ３へ送信する（Ｓ１６４）。ＣＳ３は上記アドレスに基づくコンテンツの詳細印刷データあるいは簡略画像データをデータベース３ｄから読み出してＰＯＤＳ４に送信する（Ｓ１６５）。これにより、ＰＯＤＳ４は印刷するコンテンツの配信処理・印刷に対する課金・セキュリティ管理・ユーザ管理・印刷履歴管理などを統合的に行う。このＰＯＤＳ４はＢＤ２からの詳細印刷データと印刷要求とをＰＣ７へ送信することにより（Ｓ１６６）、ダウンロードする。
【０３３１】
これにより、ＰＣ７はダウンロードされた詳細印刷データあるいは簡略画像データをＰＤ６に送信する。ＰＤ６は、受信した印刷用データを印刷処理する。このＰＤ６により印刷処理された用紙Ｐが出力される（Ｓ１６７）。
【０３３２】
上記ＰＣ７によるダウンロードのタイミングが、ＢＤ２からの印刷要求が供給された直後であり、ＰＯＤＳ４がＣＳ３からＢＤ２へのデータの送信途中に介在している場合の動作を、図３０に示すようなデータの送受信の状態を用いて説明する。
【０３３３】
たとえば、地図情報のサイトが選択され、図１１に示すような、線で表わされるような概略地図のデータが、ＣＳ３から要求のあったＢＤ２へＰＯＤＳ４を介して送信される（Ｓ１７１、Ｓ１７２、Ｓ１７３）。これにより、ＰＯＤＳ４は印刷するコンテンツの配信処理・印刷に対する課金・セキュリティ管理・ユーザ管理・印刷履歴管理などを統合的に行う。
【０３３４】
これにより、ＢＤ２は概略地図のデータを表示部１４により表示する。この表示により、印刷指示用アイコンが選択される。この場合、印刷指示用アイコンの選択に基づいて、印刷要求とリンクデータとしてのホームページのアドレスをＢＤ２のデータ転送機能によりＰＣ７に送信する（Ｓ１７４）。これにより、ＰＣ７は印刷要求とともに受信したアドレスに基づくコンテンツのダウンロードの指示をＣＳ３へ送信する（Ｓ１７５）。ＣＳ３は上記アドレスに基づくコンテンツの詳細印刷データあるいは簡略画像データをデータベース３ｄから読み出してＰＣ７へ送信することにより（Ｓ１７６）、ダウンロードする。
【０３３５】
これにより、ＰＣ７はダウンロードされた詳細印刷データあるいは簡略画像データをＰＤ６に送信する。ＰＤ６は、受信した印刷用データを印刷処理する。このＰＤ６により印刷処理された用紙Ｐが出力される（Ｓ１７７）。
【０３３６】
この第１３の実施形態は、ＰＯＤＳ４経由の簡易データＰＵＬＬ印刷型である。
【０３３７】
要部の処理手順としては、（１）ＢＤ２でＣＳ３の情報を受信・表示し、またはＣＳ３の情報をＰＯＤＳ４経由で受信・表示し、（２）ＢＤ２からＰＣ７に対して印刷指示し、印刷したいデータの所在・アドレスをＰＣ７に通知し、（３）ＰＣ７がＣＳ３からＰＯＤＳ４経由で印刷データをダウンロード、またはＣＳ３から印刷データを直接ダウンロードし、（４）ＰＣ７からＰＤ６に対する印刷処理が実行され、情報が印刷される。
【０３３８】
印刷データの流れとしては、「ＣＳ３→ＰＯＤＳ４→ＰＣ７→ＰＤ６またはＣＳ３→ＰＣ７→ＰＤ６」となっている。
【０３３９】
これにより、ＢＤ２〜ＰＣ７間の通信は、無線でも優先（ケーブル通信）でも可能で、印刷されるデータは、ＢＤ２上で表示できる情報でも、ＢＤ２上で表示できない情報でもよい。
【０３４０】
この実施形態では、ＢＤ２で印刷データを蓄積する必要がなく、ＰＯＤＳ４の課金・セキュリティ機能などを利用できるという利点がある。
【０３４１】
また、ＢＤが受信したデータの存在位置を特定する情報（ＵＲＬなど）を、ＢＤからＰＣに送信することにより、ＰＣが受信した情報に基づいて印刷対象となるデータを取得し、ＰＤを通じてそのデータを印刷することができる。
【０３４２】
また、ＢＤがデータを受信する際に、ＰＯＤＳでの処理を経ることにより、ＰＯＤＳの実現する機能を利用することができる。
【０３４３】
また、ＰＣがＣＳから印刷データを受信する際に、ＰＯＤＳでの処理を経ることにより、ＰＯＤＳの実現する機能を利用することができる。
【０３４４】
また、ＰＣがＢＤからデータの存在位置を特定する情報を受信した後、受信した情報に基づいて印刷対象となるデータを取得できなかった場合は、すでにＢＤとＰＣの接続が切断・終了されていても、データ取得不可能であることをＢＤに通知できる。
【０３４５】
また、ＰＣがＢＤからデータの存在位置を特定する情報を受信した後、受信した情報に基づいて印刷対象となるデータを即時に取得することによって、その後データ内容が更新されても、以前の情報を印刷することができる。
【０３４６】
また、ＰＣがＢＤからデータの存在位置を特定する情報を受信した後、受信した情報に基づいて印刷対象となるデータを即時に取得せず、次に印刷要求を受けた時点で印刷データを取得して印刷することによって、印刷要求時の（最新の）情報を印刷物として入手できる。
【０３４７】
また、ＰＣがＢＤからデータの存在位置を特定する情報を受信した後、受信した情報に基づいて印刷対象となるデータを即時に取得せず、次に印刷要求を受けるまでの時間のうち、最適な時点で印刷データを取得することができる。
【０３４８】
［第１４の実施形態］
第１４の実施形態のオンデマンドプリントシステムは、図３１に示すように、インターネット１等の通信網を介して情報受信側の携帯端末としてのブラウザデバイス（ＢＤ）２、情報発信側の情報発信装置としてのコンテンツサーバ（ＣＳ）３、印刷するコンテンツの配信処理・印刷に対する課金・セキュリティ管理・ユーザ管理・印刷履歴管理などを統合的に行うプリントオンデマンドサーバ（ＰＯＤＳ）４、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。上記第１の実施形態からＰＣＤＢ５が削除されたものである。
【０３４９】
この第１４の実施形態では、ＢＤ２からの印刷要求が印刷を行うＰＤ６（ＰＣ７）を指定するアドレスとともにＣＳ３に送信され、この印刷要求を受けたＣＳ３は上記印刷要求に対応するホームページアドレスに登録されている詳細印刷データあるいは簡略画像データをデータベース３ｄから読み出し、インターネット１を介して上記アドレスに対応するＰＤ６（ＰＣ７）に対して、詳細印刷データあるいは簡略画像データをダウンロードし、印刷するようにしたものである。
【０３５０】
また、ＰＯＤＳ４にＣＳ３からＰＣ７への印刷データの送信が通知される場合、あるいはＰＯＤＳ４がＣＳ３からＰＣ７へのデータの送信途中に介在している場合の２通りの例について説明する。
【０３５１】
上記印刷するＰＤ６（ＰＣ７）の指定は、印刷要求が行われる前に、あらかじめ自動的に行われる場合と、人手により行われる場合がある。
【０３５２】
あらかじめ自動的に行われる場合について説明する。この場合、ＢＤ２のブルートゥース機能により近くのＰＤ６（ＰＣ７）に対して問い合わせを行う。この問い合わせに対してＰＤ６（ＰＣ７）は、自身のインターネット１におけるアドレスをＢＤ２に返送する（Ｓａ）。これにより、ＢＤ２は印刷要求を行う際に印刷要求と一緒にそのアドレスも送信される。
【０３５３】
また、ＢＤ２の操作部１５の指示により印刷先設定モードにして、近くのあるいは任意のＰＤ６（ＰＣ７）の番号を入力することにより、設定するようにしても良い。
【０３５４】
また、上記ＣＳ３からのプリントデータがＰＣ７にダウンロードされた際に、印刷処理が行われる場合について説明したが、認証処理がなされてから印刷処理が行われるようにしても良い。
【０３５５】
すなわち、ＣＳ３からＰＣ７にダウンロードされるプリントデータに認証番号としての印刷要求がなされたＢＤ２の電話番号も付加して送信し、上記ＣＳ３からのプリントデータがＰＣ７にダウンロードされた際に、ＰＣ７からＢＤ２に対してＢＤ２の電話番号の送信要求を行うことにより、返送される電話番号（Ｓｂ）と上記プリントデータに付加されている電話番号の一致により、認証処理が行われた後、印刷処理が行われる。
【０３５６】
このように、認証による確認が為されてから、印刷を行うことができ、安全性が高いものとなる。
【０３５７】
この第１４の実施形態で、ＰＯＤＳ４にＣＳ３からＰＣ７への印刷データの送信が通知される場合の動作を、図３１に示すようなデータの送受信の状態を用いて説明する。ＰＯＤＳ４がＣＳ３からＰＣ７へのデータの送信途中に介在している場合
たとえば、地図情報のサイトが選択され、図１１に示すような、線で表わされるような概略地図のデータが、ＣＳ３から要求のあったＢＤ２へ送信される（Ｓ１８１、Ｓ１８２）。これにより、ＢＤ２は概略地図のデータを表示部１４により表示する。この表示により、印刷指示用アイコンが選択される。この場合、印刷指示用アイコンの選択に基づいて、印刷要求とあらかじめ設定されている印刷先のＰＣ７のアドレスがＣＳ３に送信される（Ｓ１８３）。ＣＳ３は印刷要求をＰＯＤＳ４に送信する（Ｓ１８４）。これにより、ＰＯＤＳ４は印刷するコンテンツの配信処理・印刷に対する課金・セキュリティ管理・ユーザ管理・印刷履歴管理などを統合的に行い、処理の終了をＣＳ４に通知する（Ｓ１８５）。
【０３５８】
これにより、ＣＳ３は上記概略地図のデータ（のアドレス）に基づくコンテンツの詳細印刷データあるいは簡略画像データをデータベース３ｄから読み出して上記ＰＣ７へ送信することにより（Ｓ１８６）、ダウンロードする。
【０３５９】
これにより、ＰＣ７はダウンロードされた詳細印刷データあるいは簡略画像データをＰＤ６に送信する。ＰＤ６は、受信した印刷用データを印刷処理する。このＰＤ６により印刷処理された用紙Ｐが出力される（Ｓ１８７）。
【０３６０】
この第１４の実施形態で、ＰＯＤＳ４がＣＳ３からＰＣ７へのデータの送信途中に介在している場合の動作を、図３２に示すようなデータの送受信の状態を用いて説明する。
【０３６１】
たとえば、地図情報のサイトが選択され、図１１に示すような、線で表わされるような概略地図のデータが、ＣＳ３から要求のあったＢＤ２へ送信される（Ｓ１９１、Ｓ１９２）。これにより、ＢＤ２は概略地図のデータを表示部１４により表示する。この表示により、印刷指示用アイコンが選択される。この場合、印刷指示用アイコンの選択に基づいて、印刷要求とあらかじめ設定されている印刷先のＰＣ７のアドレスがＣＳ３に送信される（Ｓ１９３）。
【０３６２】
これにより、ＣＳ３は上記概略地図のデータ（のアドレス）に基づくコンテンツの詳細印刷データあるいは簡略画像データをデータベース３ｄから読み出してＰＯＤＳ４に送信する（Ｓ１９４）。これにより、ＰＯＤＳ４は印刷するコンテンツの配信処理・印刷に対する課金・セキュリティ管理・ユーザ管理・印刷履歴管理などを統合的に行い、上記概略地図のデータ（のアドレス）に基づくコンテンツの詳細印刷データあるいは簡略画像データを上記ＰＣ７へ送信することにより（Ｓ１９５）、ダウンロードする。
【０３６３】
これにより、ＰＣ７はダウンロードされた詳細印刷データあるいは簡略画像データをＰＤ６に送信する。ＰＤ６は、受信した印刷用データを印刷処理する。このＰＤ６により印刷処理された用紙Ｐが出力される（Ｓ１９６）。
【０３６４】
この第１４の実施形態は、ＰＯＤＳ４経由の簡易データＰＵＳＨ印刷型である。
【０３６５】
要部の処理手順としては、（１）ＢＤ２からＣＳ３に対して印刷指示し、（２）ＣＳ３がＰＯＤＳ４と通信し、またはＣＳ３からＰＯＤＳ４に印刷データを送信し、（３）ＣＳ３からＰＣ７に印刷データを送信し、またはＰＯＤＳ４からＰＣ７に印刷データを送信し、（４）ＰＣ７からＰＤ６に対する印刷処理が実行され、情報が印刷される。
【０３６６】
印刷データの流れとしては、「ＣＳ３→ＰＣ７→ＰＤ６または、ＣＳ３→ＰＯＤＳ４→ＰＣ７→ＰＤ６」となっている。
【０３６７】
これにより、印刷されるデータは、ＢＤ２上で表示できる情報でも、ＢＤ２上で表示できない情報でもよい。また、（１）の前にＰＣ７からＢＤ２に対してＰＣ７を特定するための情報を伝える場合もあり、（４）の前に、ＰＣ７上での操作やＢＤ２からＰＣ７へのデータ送信によって、印刷処理の開始指示を行う場合もある。
【０３６８】
この実施形態では、ＢＤ２で印刷データを蓄積する必要がなく、既存のＢＤ２をそのまま利用可能であり、ＰＯＤＳ４の課金・セキュリティ機能などを利用できるという利点がある。
【０３６９】
また、ＢＤからＣＳに対して印刷を要求することにより、印刷データがＣＳからＰＣに送信され、ＰＤを通じてそのデータを印刷することができる。
【０３７０】
また、ＣＳがＰＣにデータを送信する前に、ＰＯＤＳでの処理を経ることにより、ＰＯＤＳの実現する機能を利用することができる。
【０３７１】
また、ＣＳがＰＣにデータを直接送信せず、ＣＳからＰＯＤＳにデータを送信し、ＰＯＤＳからＰＣにデータを送信することにより、ＰＯＤＳの実現する機能を利用することができる。
【０３７２】
また、ＣＳがＢＤから印刷要求を受信した後、印刷データを送信する宛先のＰＣ上で印刷データを正しく処理できない（または、ＰＤで正しく印刷できない）ことを検知した場合は、データ印刷不可能であることをＢＤに対して通知できる。
【０３７３】
［第１５の実施形態］
第１５の実施形態のオンデマンドプリントシステムは、図３３に示すように、インターネット１等の通信網を介して情報受信側の携帯端末としてのブラウザデバイス（ＢＤ）２、情報発信側の情報発信装置としてのコンテンツサーバ（ＣＳ）３、印刷するコンテンツの配信処理・印刷に対する課金・セキュリティ管理・ユーザ管理・印刷履歴管理などを統合的に行うプリントオンデマンドサーバ（ＰＯＤＳ）４、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。上記第１の実施形態からＰＣＤＢ５が削除されたものである。
【０３７４】
この第１５の実施形態の動作を、ＰＯＤＳ４にＣＳ３からＰＣ７への印刷データの送信が通知される場合の動作を、図３３に示すようなデータの送受信の状態を用いて説明する。
【０３７５】
たとえば、地図情報のサイトが選択され、所望の地図情報（地図Ｎｏ．１０２３：地図ＩＤ）としてＢＤ２の表示部１４に合わせて図１１に示すような、線で表わされるような概略地図のデータが、ＣＳ３から要求のあったＢＤ２へ送信される（Ｓ２０１、Ｓ２０２）。これにより、ＢＤ２の表示部１４により、図１１に示すような、線で表わされるような概略地図が表示される。この表示により、印刷指示用アイコンが選択される。この選択により、ＢＤ２は、「地図Ｎｏ．１０２３に対する、ユーザ０９０１２３４５６７８＠ａｂｃ．ｘｙｚからの印刷要求」をＣＳ３へ送信する（Ｓ２０３）。ＣＳ３は、ＢＤ２からの印刷要求をＰＯＤＳ４に送信する（Ｓ２０４）
これにより、ＰＯＤＳ４は、印刷するコンテンツの配信処理・印刷に対する課金・セキュリティ管理・ユーザ管理・印刷履歴管理などを統合的に行う。
【０３７６】
また、ＰＯＤＳ４は、今回のプリント用の番号としての新規ＰＩＤ「２９０１６７」を生成し、この生成したＰＩＤをＣＳ３へ送信する（Ｓ２０５）。
【０３７７】
これにより、ＣＳ３はＰＩＤに対する印刷データのコンテンツの関連付けを登録する。
【０３７８】
このＣＳ３は、受信したＰＩＤを要求のあったＢＤ２へ送信する（Ｓ２０６）。これにより、ＢＤ２の表示部１４により、図１２に示すように、「印刷登録完了  お近くの対応プリンタから、次のＰＩＤで印刷できます。  ２９０１６７」とＰＩＤ保存アイコンが表示される。
【０３７９】
この際、ＰＩＤ保存アイコンが選択された場合、ＢＤ２のメモリ２１に上記ＰＩＤが登録される。
【０３８０】
上記ＰＩＤを取得した後、上記利用者は近くの対応プリンタの設置場所に赴き、ＰＣ７のタッチパネル画面によりＰＩＤに基づくプリントモードを選択する。すると、ＰＣ７はＰＩＤに基づくプリントモードを判断すると、操作表示部７ｇのタッチパネル画面により図１３に示すように、「ＰＩＤを入力してください」という入力案内画面が表示される。この案内に基づいて、上記利用者は上記取得したＰＩＤ「２９０１６７」を入力する。
【０３８１】
または、ＢＤ２のブルートゥース等のデータ転送機能により、上記メモリ２１に登録されているＰＩＤをＰＣ７に送信する（Ｓ２０７）。
【０３８２】
このＰＣ７は、入力されたＰＩＤをＣＳ３へ送信する（Ｓ２０８）。
【０３８３】
このＣＳ３は、受信したＰＩＤに基づいて印刷データを判断し、データベース３ｄから読出し、ＰＣ７を介してＰＤ６に送信する（Ｓ２０９）。ＰＤ６は、受信した印刷用データを印刷処理する。このＰＤ６により印刷処理された用紙Ｐが出力される（Ｓ２１０）。
【０３８４】
この結果、用紙Ｐには、図１４に示すように、「オフィス        ビル４Ｆ  川崎駅より〜徒歩５分」という案内文と、詳細な地図情報が、印刷されている。
【０３８５】
この第１５の実施形態において、ＰＯＤＳ４がＣＳ３からＰＣ７へのデータの送信途中に介在している場合の動作を、図３４に示すようなデータの送受信の状態を用いて説明する。
【０３８６】
たとえば、地図情報のサイトが選択され、所望の地図情報（地図Ｎｏ．１０２３：地図ＩＤ）としてＢＤ２の表示部１４に合わせて図１１に示すような、線で表わされるような概略地図のデータが、ＣＳ３から要求のあったＢＤ２へ送信される（Ｓ２２１、Ｓ２２２）。これにより、ＢＤ２の表示部１４により、図１１に示すような、線で表わされるような概略地図が表示される。この表示により、印刷指示用アイコンが選択される。この選択により、ＢＤ２は、「地図Ｎｏ．１０２３に対する、ユーザ０９０１２３４５６７８＠ａｂｃ．ｘｙｚからの印刷要求」をＣＳ３へ送信する（Ｓ２２３）。ＣＳ３は、ＢＤ２からの印刷要求をＰＯＤＳ４に送信する（Ｓ２２４）
これにより、ＰＯＤＳ４は、印刷するコンテンツの配信処理・印刷に対する課金・セキュリティ管理・ユーザ管理・印刷履歴管理などを統合的に行う。
【０３８７】
また、ＰＯＤＳ４は、今回のプリント用の番号としての新規ＰＩＤ「２９０１６７」を生成し、この生成したＰＩＤと上記ＢＤ２のアドレスと上記印刷用データとの対応をＰＩＤ管理テーブル４ｆに登録する。また、ＰＯＤＳ４は、上記生成した新規ＰＩＤをＣＳ３へ送信する（Ｓ２２５）
このＣＳ３は、受信したＰＩＤを要求のあったＢＤ２へ送信する（Ｓ２２６）。これにより、ＢＤ２の表示部１４により、図１２に示すように、「印刷登録完了  お近くの対応プリンタから、次のＰＩＤで印刷できます。  ２９０１６７」とＰＩＤ保存アイコンが表示される。
【０３８８】
この際、ＰＩＤ保存アイコンが選択された場合、ＢＤ２のメモリ２１に上記ＰＩＤが登録される。
【０３８９】
上記ＰＩＤを取得した後、上記利用者は近くの対応プリンタの設置場所に赴き、ＰＣ７のタッチパネル画面によりＰＩＤに基づくプリントモードを選択する。すると、ＰＣ７はＰＩＤに基づくプリントモードを判断すると、操作表示部７ｇのタッチパネル画面により図１３に示すように、「ＰＩＤを入力してください」という入力案内画面が表示される。この案内に基づいて、上記利用者は上記取得したＰＩＤ「２９０１６７」を入力する。
【０３９０】
または、ＢＤ２のブルートゥース等のデータ転送機能により、上記メモリ２１に登録されているＰＩＤをＰＣ７に送信する（Ｓ２２７）。
【０３９１】
このＰＣ７は、入力されたＰＩＤをＰＯＤＳ４へ送信する（Ｓ２２８）。
【０３９２】
ＰＯＤＳ４は、受信したＰＩＤに基づいてＰＩＤ管理テーブル４ｆから対応する印刷データを判断し、この判断結果をＣＳ３に返送する（Ｓ２２９）。ＣＳ３は、この印刷データをデータベース３ｄから読出し、ＰＯＤＳ４へ送信する（Ｓ２３０）。これにより、ＰＯＤＳ４は印刷データをＰＣ７を介してＰＤ６へ送信する（Ｓ２３１）。ＰＤ６は、受信した印刷用データを印刷処理する。このＰＤ６により印刷処理された用紙Ｐが出力される（Ｓ２３２）。
【０３９３】
この結果、用紙Ｐには、図１４に示すように、「オフィス        ビル４Ｆ  川崎駅より〜徒歩５分」という案内文と、詳細な地図情報が、印刷されている。
【０３９４】
この第１５の実施形態は、ＰＯＤＳ４経由の簡易データＰＩＤ発行型である。
【０３９５】
要部の処理手順としては、（１）ＢＤ２からＣＳ３に対して印刷要求し、（２）印刷要求に対応するＰＩＤをＰＯＤＳ４が発行し、ＣＳ３が取得し、（３）ＣＳ３がＰＩＤをＢＤ２に送信し、（４）ＢＤ２からＰＣ７にＰＩＤを送信し、（５）ＰＣ７はＢＤ２から受信したＰＩＤをＣＳ３に送信し、または、ＢＤ２から受信したＰＩＤをＰＯＤＳ４に送信し、（６）ＣＳ３がＰＯＤＳ４と通信し、または、ＰＯＤＳ４がＣＳ３と受信し、ＣＳ３から印刷データを取得し、（７）ＣＳ３からＰＣ７に印刷データを送信し、またはＰＯＤＳ４からＰＣ７に印刷データを送信し、（８）ＰＣ７からＰＤ６に対する印刷処理が実行され、情報が印刷される。
【０３９６】
ＰＩＤの流れとしては、「ＰＯＤＳ４→ＣＳ３→ＢＤ２→ＰＣ７→ＣＳ３、または、ＰＯＤＳ４→ＣＳ３→ＢＤ２→ＰＣ７→ＰＯＤＳ４」となっている。
【０３９７】
印刷データの流れとしては、「ＣＳ３→ＰＣ７→ＰＤ６または、ＣＳ３→ＰＯＤＳ４→ＰＣ７→ＰＤ６」となっている。
【０３９８】
これにより、印刷されるデータは、ＢＤ２上で表示できる情報でも、ＢＤ２上で表示できない情報でもよい。
【０３９９】
また、発行済みＰＩＤと印刷データの照合処理（対応付け）はＰＯＤＳ４、ＣＳ３、ＰＣ７のいずれかで行うが、特にＰＣ７が行う場合は、ＰＩＤ発行後に印刷データの先行配信を行うことができる。
【０４００】
この実施形態では、ＢＤ２で印刷データを蓄積する必要がなく、既存のＢＤ２をそのまま利用可能で、ＰＩＤ利用により、簡単にセキュリティ機能・課金を実現できるという利点がある。
【０４０１】
また、ＰＯＤＳで発行される印刷ＩＤ（以下、ＰＩＤ）をＣＳを通じてＢＤが取得し、ＰＩＤをＢＤからＰＣに送信することにより、ＰＣが印刷データをＣＳから受信して、ＰＤを通じてそのデータを印刷することができる。
【０４０２】
また、ＰＣがＣＳからデータを受信する際に、ＰＯＤＳでの処理を経ることにより、ＰＯＤＳの実現する機能を利用することができる。
【０４０３】
また、ＰＣがＣＳからデータを直接送信せず、ＣＳからＰＯＤＳにデータを送信し、ＰＯＤＳからＰＣにデータを送信することにより、ＰＯＤＳの実現する機能を利用することができる。
【０４０４】
また、ＰＣがＢＤからＰＩＤを受信した後、ＰＣ上で印刷データを正しく取得できないことを検知した場合は、データ取得不可能であることをＢＤに対して通知できる。
【０４０５】
［第１６の実施形態］
第１６の実施形態のオンデマンドプリントシステムは、図３５に示すように、インターネット１等の通信網を介して情報受信側の携帯端末としてのブラウザデバイス（ＢＤ）２、情報発信側の情報発信装置としてのコンテンツサーバ（ＣＳ）３、印刷するコンテンツの配信処理・印刷に対する課金・セキュリティ管理・ユーザ管理・印刷履歴管理などを統合的に行うプリントオンデマンドサーバ（ＰＯＤＳ）４、印刷用コンテンツ（詳細印刷データ、印刷専用データ）を保管するＰＣＤＢ５、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。
【０４０６】
ＰＣＤＢ５は、印刷用コンテンツ（詳細印刷データ、印刷専用データ）を保管するデータベースであり、この第１６の実施形態ではＣＳ３により管理されるものである。これにより、ＣＳ３に、各地図ＩＤごとの印刷用データのＰＣＤＢ５内の登録場所を記憶している登録場所テーブル４ｅを有している。
【０４０７】
この第１６の実施形態は、第１２の実施形態に、ＰＣＤＢ５を追加したものであり、図３５に示すように、図２７におけるＣＳ３内のデータベース３ｄから印刷データが読み出される代わりに、地図情報のサイトの選択に基づいて（Ｓ１４１）、登録場所テーブル４ｅを参照してＰＣＤＢ５から印刷データを取得する処理が追加される（Ｓ２４２、Ｓ２４３）。
【０４０８】
また、図３６に示すように、図２８におけるＣＳ３内のデータベース３ｄから印刷データが読み出される代わりに、地図情報のサイトの選択に基づいて（Ｓ１５１）、登録場所テーブル４ｅを参照してＰＣＤＢ５から印刷データを取得する処理が追加される（Ｓ２５２、Ｓ２５３）。
【０４０９】
この第１６の実施形態は、ＰＯＤＳ４経由の専用データ送信・印刷型である。
【０４１０】
要部の処理手順としては、（１）ＢＤ２がＰＣＤＢ５の情報をＣＳ３経由で受信、またはＰＣＤＢ５の情報をＣＳ３経由・ＰＯＤＳ４経由で受信し、（２）ＢＤ２からＰＣ７に対してＰＯＤＳ４経由で印刷指示、またはＢＤ２からＰＣ７に対して直接印刷指示
ＢＤ２内に蓄積されている印刷データをＰＣ７に転送
（３）ＰＣ７からＰＤ６に対する印刷処理が実行され、情報が印刷される
印刷データの流れとしては、「ＰＣＤＢ５→ＣＳ３→ＢＤ２→ＰＯＤＳ４→ＰＣ７→ＰＤ６または、ＰＣＤＢ５→ＣＳ３→ＰＯＤＳ４→ＢＤ２→ＰＣ７→ＰＤ６」となっている。
【０４１１】
これにより、ＢＤ２〜ＰＣ７間の直接通信は、無線でも優先（ケーブル通信）でも可能であり、印刷されるデータは、印刷専用データ（非表示データ）である。
【０４１２】
この実施形態では、ＢＤ２を一種のモバイルストレージとして利用でき、ＰＯＤＳ４の課金・セキュリティ機能などを利用でき、印刷専用の出力結果を得られるという利点がある。
【０４１３】
また、ＰＣＤＢからＣＳを通じてＢＤが受信したデータを、ＢＤからＰＣに送信することにより、ＰＤを通じてそのデータを印刷することができる。
【０４１４】
また、ＰＣＤＢからＣＳを通じてＢＤがデータを受信する際に、ＰＯＤＳでの処理を経ることにより、ＰＯＤＳの実現する機能を利用することができる。
【０４１５】
また、ＢＤからＰＣにデータを送信する際に、ＰＯＤＳでの処理を経ることにより、ＰＯＤＳの実現する機能を利用することができる。
【０４１６】
また、ＰＣがＢＤから印刷データを受信した後、受信したデータが印刷可能なデータであるかをＰＣが判断し、印刷不可能であると判断した場合は、すでにＢＤとＰＣの接続が切断・終了されていても、印刷不可能であることをＢＤに通知できる。
【０４１７】
［第１７の実施形態］
第１７の実施形態のオンデマンドプリントシステムは、図３７に示すように、インターネット１等の通信網を介して情報受信側の携帯端末としてのブラウザデバイス（ＢＤ）２、情報発信側の情報発信装置としてのコンテンツサーバ（ＣＳ）３、印刷するコンテンツの配信処理・印刷に対する課金・セキュリティ管理・ユーザ管理・印刷履歴管理などを統合的に行うプリントオンデマンドサーバ（ＰＯＤＳ）４、印刷用コンテンツ（詳細印刷データ、印刷専用データ）を保管するＰＣＤＢ５、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。
【０４１８】
ＰＣＤＢ５は、印刷用コンテンツ（詳細印刷データ、印刷専用データ）を保管するデータベースであり、この第１７の実施形態ではＣＳ３により管理されるものである。これにより、ＣＳ３に、各地図ＩＤごとの印刷用データのＰＣＤＢ５内の登録場所を記憶している登録場所テーブル４ｅを有している。
【０４１９】
この第１７の実施形態は、第１３の実施形態に、ＰＣＤＢ５を追加したものであり、図３７に示すように、図２９におけるＣＳ３内のデータベース３ｄから印刷データが読み出される代わりに、地図情報のサイトの選択に基づいて（Ｓ１６４）、登録場所テーブル４ｅを参照してＰＣＤＢ５から印刷データを取得する処理が追加される（Ｓ２６４、Ｓ２６５）。
【０４２０】
また、図３８に示すように、図３０におけるＣＳ３内のデータベース３ｄから印刷データが読み出される代わりに、地図情報のサイトの選択に基づいて（Ｓ１７５）、登録場所テーブル４ｅを参照してＰＣＤＢ５から印刷データを取得する処理が追加される（Ｓ２７５、Ｓ２７６）。
【０４２１】
この第１７の実施形態は、ＰＯＤＳ４経由の専用データＰＵＬＬ印刷型である。
【０４２２】
要部の処理手順としては、（１）ＢＤ２でＣＳ３の情報を受信・表示し、またはＣＳ３の情報をＰＯＤＳ４経由で受信・表示し、（２）ＢＤ２からＰＣ７に対して印刷指示し、印刷したいデータの所在・アドレスをＰＣ７に通知し、（３）ＰＣ７がＰＯＤＳ４からＣＳ３経由・ＰＯＤＳ４経由で印刷データをダウンロード、またはＰＯＤＳ４からＣＳ３経由で印刷データをダウンロードし、（４）ＰＣ７からＰＤ６に対する印刷処理が実行され、情報が印刷される。
【０４２３】
印刷データの流れとしては、「ＰＣＤＢ５→ＣＳ３→ＰＯＤＳ４→ＰＣ７→ＰＤ６またはＰＣＤＢ５→ＣＳ３→ＰＣ７→ＰＤ６」となっている。
【０４２４】
また、ＢＤ２〜ＰＣ７間の通信は、無線でも優先（ケーブル通信）でも可能であり、印刷されるデータは、印刷専用データ（非表示データ）である。
【０４２５】
この実施形態では、ＢＤ２で印刷データを蓄積する必要がなく、ＰＯＤＳ４の課金・セキュリティ機能などを利用でき、印刷専用の出力結果を得られるという利点がある。
【０４２６】
また、ＢＤが受信したデータの存在位置を特定する情報（ＵＲＬなど）を、ＢＤからＰＣに送信することにより、ＰＣが受信した情報に基づいて印刷対象となるデータを取得し、ＰＤを通じてそのデータを印刷することができる。
【０４２７】
また、ＢＤがデータを受信する際に、ＰＯＤＳでの処理を経ることにより、ＰＯＤＳの実現する機能を利用することができる。
【０４２８】
また、ＰＣがＰＣＤＢからＣＳを通じて印刷データを受信する際に、ＰＯＤＳでの処理を経ることにより、ＰＯＤＳの実現する機能を利用することができる。
【０４２９】
また、ＰＣがＢＤからデータの存在位置を特定する情報を受信した後、受信した情報に基づいて印刷対象となるデータを取得できなかった場合は、すでにＢＤとＰＣの接続が切断・終了されていても、データ取得不可能であることをＢＤに通知できる。
【０４３０】
また、ＰＣがＢＤからデータの存在位置を特定する情報を受信した後、受信した情報に基づいて印刷対象となるデータを即時に取得することによって、その後データ内容が更新されても、以前の情報を印刷することができる。
【０４３１】
また、ＰＣがＢＤからデータの存在位置を特定する情報を受信した後、受信した情報に基づいて印刷対象となるデータを即時に取得せず、次に印刷要求を受けた時点で印刷データを取得して印刷することによって、印刷要求時の（最新の）情報を印刷物として入手できる。
【０４３２】
また、ＰＣがＢＤからデータの存在位置を特定する情報を受信した後、受信した情報に基づいて印刷対象となるデータを即時に取得せず、次に印刷要求を受けるまでの時間のうち、最適な時点で印刷データを取得することができる。
【０４３３】
また、ＣＳ上にあるＢＤ表示用データとＰＣＤＢ上の印刷用データの対応付けをあらかじめ行い、その結果をＣＳが管理することによって、ＢＤ表示用データの存在位置を特定する情報を、印刷専用データの位置を特定する情報に変換することできる。
【０４３４】
［第１８の実施形態］
第１８の実施形態のオンデマンドプリントシステムは、図３９に示すように、インターネット１等の通信網を介して情報受信側の携帯端末としてのブラウザデバイス（ＢＤ）２、情報発信側の情報発信装置としてのコンテンツサーバ（ＣＳ）３、印刷するコンテンツの配信処理・印刷に対する課金・セキュリティ管理・ユーザ管理・印刷履歴管理などを統合的に行うプリントオンデマンドサーバ（ＰＯＤＳ）４、印刷用コンテンツ（詳細印刷データ、印刷専用データ）を保管するＰＣＤＢ５、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。
【０４３５】
ＰＣＤＢ５は、印刷用コンテンツ（詳細印刷データ、印刷専用データ）を保管するデータベースであり、この第１８の実施形態ではＣＳ３により管理されるものである。これにより、ＣＳ３に、各地図ＩＤごとの印刷用データのＰＣＤＢ５内の登録場所を記憶している登録場所テーブル４ｅを有している。
【０４３６】
この第１８の実施形態は、第１４の実施形態に、ＰＣＤＢ５を追加したものであり、図３９に示すように、図３１におけるＣＳ３内のデータベース３ｄから印刷データが読み出される代わりに、地図情報のサイトの選択に基づいて（Ｓ１８３）、登録場所テーブル４ｅを参照してＰＣＤＢ５から印刷データを取得する処理が追加される（Ｓ２８４、Ｓ２８５）。
【０４３７】
また、図４０に示すように、図３２におけるＣＳ３内のデータベース３ｄから印刷データが読み出される代わりに、地図情報のサイトの選択に基づいて（Ｓ１９３）、登録場所テーブル４ｅを参照してＰＣＤＢ５から印刷データを取得する処理が追加される（Ｓ４２４、Ｓ４２５）。
【０４３８】
この第１８の実施形態は、ＰＯＤＳ４経由の専用データＰＵＳＨ印刷型である。
【０４３９】
要部の処理手順としては、（１）ＢＤ２からＣＳ３に対して印刷指示し、（２）ＣＳ３がＰＣＤＢ５から印刷データを取得し、（３）ＣＳ３がＰＯＤＳ４と通信、またはＣＳ３からＰＯＤＳ４に印刷データを送信し、（４）ＣＳ３からＰＣ７に印刷データを送信し、またはＰＯＤＳ４からＰＣ７に印刷データを送信し、（５）ＰＣ７からＰＤ６に対する印刷処理が実行され、情報が印刷される。
【０４４０】
印刷データの流れとしては、「ＰＣＤＢ５→ＣＳ３→ＰＣ７→ＰＤ６または、ＰＣＤＢ５→ＣＳ３→ＰＯＤＳ４→ＰＣ７→ＰＤ６」となっている。
【０４４１】
また、印刷されるデータは、印刷専用データ（非表示データ）である。
【０４４２】
また、（１）の前にＰＣ７からＢＤ２に対してＰＣ７を特定するための情報を伝える場合もあり、（５）の前に、ＰＣ７上での操作やＢＤ２からＰＣ７へのデータ送信によって、印刷処理の開始指示を行う場合もある。
【０４４３】
この実施形態では、ＢＤ２で印刷データを蓄積する必要がなく、既存のＢＤ２をそのまま利用可能で、ＰＯＤＳ４の課金・セキュリティ機能などを利用でき、印刷専用の出力結果を得られるという利点がある。
【０４４４】
また、ＢＤからＣＳに対して印刷を要求することにより、印刷データがＣＳからＰＣに送信され、ＰＤを通じてそのデータを印刷することができる。
【０４４５】
また、ＣＳがＰＣにデータを送信する前に、ＰＯＤＳでの処理を経ることにより、ＰＯＤＳの実現する機能を利用することができる。
【０４４６】
また、ＣＳがＰＣにデータを直接送信せず、ＣＳからＰＯＤＳにデータを送信し、ＰＯＤＳからＰＣにデータを送信することにより、ＰＯＤＳの実現する機能を利用することができる。
【０４４７】
また、ＣＳがＢＤから印刷要求を受信した後、印刷データを送信する宛先のＰＣ上で印刷データを正しく処理できない（または、ＰＤで正しく印刷できない）ことを検知した場合は、データ印刷不可能であることをＢＤに対して通知できる。
【０４４８】
［第１９の実施形態］
第１９の実施形態のオンデマンドプリントシステムは、図４１に示すように、インターネット１等の通信網を介して情報受信側の携帯端末としてのブラウザデバイス（ＢＤ）２、情報発信側の情報発信装置としてのコンテンツサーバ（ＣＳ）３、印刷するコンテンツの配信処理・印刷に対する課金・セキュリティ管理・ユーザ管理・印刷履歴管理などを統合的に行うプリントオンデマンドサーバ（ＰＯＤＳ）４、印刷用コンテンツ（詳細印刷データ、印刷専用データ）を保管するＰＣＤＢ５、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。
【０４４９】
ＰＣＤＢ５は、印刷用コンテンツ（詳細印刷データ、印刷専用データ）を保管するデータベースであり、この第１９の実施形態ではＣＳ３により管理されるものである。これにより、ＣＳ３に、各地図ＩＤごとの印刷用データのＰＣＤＢ５内の登録場所を記憶している登録場所テーブル４ｅを有している。
【０４５０】
この第１９の実施形態は、第１５の実施形態に、ＰＣＤＢ５を追加したものであり、図４１に示すように、図３３におけるＣＳ３内のデータベース３ｄから印刷データが読み出される代わりに、地図情報のサイトの選択に基づいて（Ｓ２０８）、登録場所テーブル４ｅを参照してＰＣＤＢ５から印刷データを取得する処理が追加される（Ｓ２９９、Ｓ３００）。
【０４５１】
また、図４２に示すように、図３４におけるＣＳ３内のデータベース３ｄから印刷データが読み出される代わりに、地図情報のサイトの選択に基づいて（Ｓ２２９）、登録場所テーブル４ｅを参照してＰＣＤＢ５から印刷データを取得する処理が追加される（Ｓ３２０、Ｓ３２１）。
【０４５２】
この第１９の実施形態は、ＰＯＤＳ４経由の専用データＰＩＤ発行型である。
【０４５３】
要部の処理手順としては、（１）ＢＤ２からＣＳ３に対して印刷要求し、（２）印刷要求に対応するＰＩＤをＰＯＤＳ４が発行し、ＣＳ３が取得し、（３）ＣＳ３がＰＩＤをＢＤ２に送信し、（４）ＢＤ２からＰＣ７にＰＩＤを送信し、（５）ＰＣ７はＢＤ２から受信したＰＩＤをＣＳ３に送信し、または、ＢＤ２から受信したＰＩＤをＰＯＤＳ４に送信し、（６）ＣＳ３がＰＣＤＢ５から印刷データを取得し、または、ＰＯＤＳ４からの要求によりＰＣＤＢ５からＣＳ３へ印刷データを転送し、（７）ＣＳ３がＰＯＤＳ４と通信し、または、ＰＯＤＳ４がＣＳ３と受信し、ＣＳ３から印刷データを取得し、（８）ＣＳ３からＰＣ７に印刷データを送信し、またはＰＯＤＳ４からＰＣ７に印刷データを送信し、（９）ＰＣ７からＰＤ６に対する印刷処理が実行され、情報が印刷される。
【０４５４】
ＰＩＤの流れとしては、「ＰＯＤＳ４→ＣＳ３→ＢＤ２→ＰＣ７→ＣＳ３、または、ＰＯＤＳ４→ＣＳ３→ＢＤ２→ＰＣ７→ＰＯＤＳ４」となっている。
【０４５５】
印刷データの流れとしては、「ＰＣＤＢ５→ＣＳ３→ＰＣ７→ＰＤ６または、ＰＣＤＢ５→ＣＳ３→ＰＯＤＳ４→ＰＣ７→ＰＤ６」となっている。
【０４５６】
また、印刷されるデータは、印刷専用データ（非表示データ）である。
【０４５７】
発行済みＰＩＤと印刷データの照合処理（対応付け）はＰＯＤＳ４、ＣＳ３、ＰＣ７のいずれかで行うが、特にＰＣ７が行う場合は、ＰＩＤ発行後に印刷データの先行配信を行うことができる。
【０４５８】
この実施形態では、ＢＤ２で印刷データを蓄積する必要がなく、既存のＢＤ２をそのまま利用可能で、ＰＩＤ利用により、簡単にセキュリティ機能・課金を実現でき、印刷専用の出力結果を得られるという利点がある。
【０４５９】
また、ＰＯＤＳで発行される印刷ＩＤ（以下、ＰＩＤ）をＣＳを通じてＢＤが取得し、ＰＩＤをＢＤからＰＣに送信することにより、ＰＣが印刷データをＣＳから受信して、ＰＤを通じてそのデータを印刷することができる。
【０４６０】
また、ＰＣがＣＳからデータを受信する際に、ＰＯＤＳでの処理を経ることにより、ＰＯＤＳの実現する機能を利用することができる。
【０４６１】
また、ＰＣがＣＳからデータを直接送信せず、ＣＳからＰＯＤＳにデータを送信し、ＰＯＤＳからＰＣにデータを送信することにより、ＰＯＤＳの実現する機能を利用することができる。
【０４６２】
また、ＰＣがＢＤからＰＩＤを受信した後、ＰＣ上で印刷データを正しく取得できないことを検知した場合は、データ取得不可能であることをＢＤに対して通知できる。
【０４６３】
［第２０の実施形態］
第２０の実施形態のオンデマンドプリントシステムは、図４３に示すように、インターネット１等の通信網を介して情報受信側の携帯端末としてのブラウザデバイス（ＢＤ）２、情報発信側の情報発信装置としてのコンテンツサーバ（ＣＳ）３、印刷するコンテンツの配信処理・印刷に対する課金・セキュリティ管理・ユーザ管理・印刷履歴管理などを統合的に行うプリントオンデマンドサーバ（ＰＯＤＳ）４、印刷用コンテンツ（詳細印刷データ、印刷専用データ）を保管するＰＣＤＢ５、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。
【０４６４】
ＰＣＤＢ５は、印刷用コンテンツ（詳細印刷データ、印刷専用データ）を保管するデータベースであり、この第２０の実施形態ではＰＣ７により管理されるものである。これにより、ＰＣ７に、登録場所テーブル４ｅを有している。
【０４６５】
この第２０の実施形態は、第９の実施形態に、ＰＯＤＳ４を追加したものであり、図４３に示すように、図２４におけるＰＣＤＢ５から印刷データを取得する処理を行う際に（Ｓ１１４）、ＰＯＤＳ４を介して印刷データを取得する処理が追加されるものであっても良い（Ｓ３３５、Ｓ３３６）。
【０４６６】
また、図４４に示すように、図２４におけるＣＳ３からデータを取得する処理を行う際に（Ｓ１１１）、ＰＯＤＳ４を介してデータを取得する処理に変更されるものであっても良い（Ｓ３４２、Ｓ３４３）。
【０４６７】
これにより、ＰＯＤＳ４は、印刷するコンテンツの配信処理・印刷に対する課金・セキュリティ管理・ユーザ管理・印刷履歴管理などを統合的に行う。
【０４６８】
この第２０の実施形態は、ＰＯＤＳ４経由のプリンタ主導で専用データＰＵＬＬ印刷型である。
【０４６９】
要部の処理手順としては、（１）ＢＤ２でＣＳ３の情報を受信し、または、ＣＳ３の情報をＰＯＤＳ４経由で受信し、（２）ＢＤ２からＰＣ７に対して印刷指示し、印刷したいデータの所在・アドレスをＰＣ７に通知し、（３）ＰＣ７がＰＣＤＢ５からＰＯＤＳ４経由で印刷データをダウンロードし、または、ＰＣＤＢ５から印刷データを直接ダウンロードし、（４）ＰＣ７からＰＤ６に対する印刷処理が実行され、情報が印刷される。
【０４７０】
印刷データの流れは、「ＰＣＤＢ５→ＰＯＤＳ４→ＰＣ７→ＰＤ６」または、ＰＣＤＢ５→ＰＣ７→ＰＤ６」となっている。
【０４７１】
また、ＢＤ２〜ＰＣ７間の通信は、無線でも優先（ケーブル通信）でも可能であり、印刷されるデータは、印刷専用データ（非表示データ）である。
【０４７２】
この実施形態では、ＢＤ２で印刷データを蓄積する必要がなく、印刷専用の出力結果を得られ、ＰＯＤＳ４の課金・セキュリティ機能などを利用できるという利点がある。
【０４７３】
また、ＢＤが受信したデータの存在位置を特定する情報（ＵＲＬなど）を、ＢＤからＰＣに送信することにより、ＰＣが受信した情報に基づいて印刷対象となるデータを取得し、ＰＤを通じてそのデータを印刷することができる。
【０４７４】
また、ＣＳからＢＤがデータを受信する際に、ＰＯＤＳでの処理を経ることにより、ＰＯＤＳの実現する機能を利用することができる。
【０４７５】
また、ＰＣがＰＣＤＢからデータを受信する際に、ＰＯＤＳでの処理を経ることにより、ＰＯＤＳの実現する機能を利用することができる。
【０４７６】
また、ＰＣがＢＤからデータの存在位置を特定する情報を受信した後、受信した情報に基づいて印刷対象となるデータを取得できなかった場合は、すでにＢＤとＰＣの接続が切断・終了されていても、データ取得不可能であることをＢＤに通知できる。
【０４７７】
また、ＰＣがＢＤからデータの存在位置を特定する情報を受信した後、受信した情報に基づいて印刷対象となるデータを即時に取得することによって、その後データ内容が更新されても、以前の情報を印刷することができる。
【０４７８】
また、ＰＣがＢＤからデータの存在位置を特定する情報を受信した後、受信した情報に基づいて印刷対象となるデータを即時に取得せず、次に印刷要求を受けた時点で印刷データを取得して印刷することによって、印刷要求時の（最新の）情報を印刷物として入手できる。
【０４７９】
また、ＰＣがＢＤからデータの存在位置を特定する情報を受信した後、受信した情報に基づいて印刷対象となるデータを即時に取得せず、次に印刷要求を受けるまでの時間のうち、最適な時点で印刷データを取得することができる。
【０４８０】
また、ＣＳ上にあるＢＤ表示用データとＰＣＤＢ上の印刷用データの対応付けをあらかじめ行い、その結果をＰＯＤＳが管理することによって、ＢＤ表示用データの存在位置を特定する情報を、印刷専用データの位置を特定する情報に変換することできる。
【０４８１】
［第２１の実施形態］
第２１の実施形態のオンデマンドプリントシステムは、図４５に示すように、インターネット１等の通信網を介して情報受信側の携帯端末としてのブラウザデバイス（ＢＤ）２、情報発信側の情報発信装置としてのコンテンツサーバ（ＣＳ）３、印刷するコンテンツの配信処理・印刷に対する課金・セキュリティ管理・ユーザ管理・印刷履歴管理などを統合的に行うプリントオンデマンドサーバ（ＰＯＤＳ）４、印刷用コンテンツ（詳細印刷データ、印刷専用データ）を保管するＰＣＤＢ５、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。
【０４８２】
ＰＣＤＢ５は、印刷用コンテンツ（詳細印刷データ、印刷専用データ）を保管するデータベースであり、この第２１の実施形態ではＰＣ７により管理されるものである。これにより、ＰＣ７に、登録場所テーブル４ｅを有している。
【０４８３】
この第２１の実施形態は、第１０の実施形態に、ＰＯＤＳ４を追加したものであり、図４５に示すように、図２５におけるＰＣＤＢ５から印刷データを取得する処理を行う際に（Ｓ１２５）、ＰＯＤＳ４を介して印刷データを取得する処理が追加されるものであっても良い（Ｓ３５６、Ｓ３５７）。
【０４８４】
また、図４６に示すように、図２５におけるＣＳ３から印刷要求とリンクデータとしてのホームページのアドレスをＰＣ７に送信する処理を行う際に（Ｓ１２４）、ＰＯＤＳ４を介して送信する処理に変更されるものであっても良い（Ｓ３６４、Ｓ３６５）。
【０４８５】
これにより、ＰＯＤＳ４は、印刷するコンテンツの配信処理・印刷に対する課金・セキュリティ管理・ユーザ管理・印刷履歴管理などを統合的に行う。
【０４８６】
この第２１の実施形態は、ＰＯＤＳ４経由のプリンタ主導で専用データＰＵＳＨ印刷型である。
【０４８７】
要部の処理手順としては、（１）ＢＤ２からＣＳ３に対して印刷指示し、（２）ＣＳ３からＰＣ７に印刷データの所在・アドレスを送信し、または、ＣＳ３からＰＯＤＳ４経由でＰＣ７に印刷データの所在。アドレスを送信し、（３）ＰＣ７がＰＣＤＢ５からＰＯＤＳ４経由で印刷データをダウンロードまたは、ＰＣＤＢ５から印刷データを直接ダウンロードし、（４）ＰＣ７からＰＤ６に対する印刷処理が実行され、情報が印刷される。
【０４８８】
印刷データの流れとしては、「ＰＣＤＢ５→ＰＯＤＳ４→ＰＣ７→ＰＤ６または、ＰＣＤＢ５→ＰＣ７→ＰＤ６」となっている。
【０４８９】
印刷されるデータは、印刷専用データ（非表示データ）である。
【０４９０】
（１）の前にＰＣ７からＢＤ２に対してＰＣ７を特定するための情報を伝える場合もあり、（３）の前に、ＰＣ７上での操作やＢＤ２からＰＣ７へのデータ送信によって、印刷処理の開始指示を行う場合もある。
【０４９１】
この実施形態では、ＢＤ２で印刷データを蓄積する必要がなく、既存のＢＤ２をそのまま利用可能で、印刷専用の出力結果を得られ、ＰＯＤＳ４の課金・セキュリティ機能などを利用できるという利点がある。
【０４９２】
また、ＢＤからＣＳに対して印刷を要求することにより、データの存在位置を特定する情報（ＵＲＬなど）がＣＳからＰＣに送信され、その情報をもとにＰＣがＰＣＤＢから印刷データを受信して、ＰＤを通じてそのデータを印刷することができる。
【０４９３】
また、ＰＣがＣＳからデータを受信する際に、ＰＯＤＳでの処理を経ることにより、ＰＯＤＳの実現する機能を利用することができる。
【０４９４】
また、ＣがＰＣＤＢから印刷データを受信する際に、ＰＯＤＳでの処理を経ることにより、ＰＯＤＳの実現する機能を利用することができる。
【０４９５】
また、データの存在位置を特定する情報（ＵＲＬなど）がＣＳからＰＣに送信された後、ＰＣ上において、対応するＰＣＤＢ上の印刷データを正しく処理できない（または、ＰＤで正しく印刷できない）ことを検知した場合は、データ印刷不可能であることをＢＤに対して通知できる。
【０４９６】
また、ＣＳ上にあるＢＤ表示用データとＰＣＤＢ上の印刷用データの対応付けをあらかじめ行い、その結果をＰＯＤＳが管理することによって、ＢＤ表示用データの存在位置を特定する情報を、印刷専用データの位置を特定する情報に変換することできる。
【０４９７】
［第２２の実施形態］
第２２の実施形態のオンデマンドプリントシステムは、図４７に示すように、インターネット１等の通信網を介して情報受信側の携帯端末としてのブラウザデバイス（ＢＤ）２、情報発信側の情報発信装置としてのコンテンツサーバ（ＣＳ）３、印刷するコンテンツの配信処理・印刷に対する課金・セキュリティ管理・ユーザ管理・印刷履歴管理などを統合的に行うプリントオンデマンドサーバ（ＰＯＤＳ）４、印刷用コンテンツ（詳細印刷データ、印刷専用データ）を保管するＰＣＤＢ５、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。
【０４９８】
ＰＣＤＢ５は、印刷用コンテンツ（詳細印刷データ、印刷専用データ）を保管するデータベースであり、この第２２の実施形態ではＰＣ７により管理されるものである。これにより、ＰＣ７に、登録場所テーブル４ｅを有している。
【０４９９】
この第２２の実施形態は、第１１の実施形態に、ＰＯＤＳ４を追加したものであり、図４７に示すように、図２６におけるＣＳ３からＢＤ２からの印刷要求とリンクデータとしてのホームページのアドレスと詳細な印刷データ（あるいはＢＤ２での簡略データ）をＰＣＤＢ５に送信する処理を行う際に（Ｓ１３４）、ＰＯＤＳ４を介して印刷データを取得する処理が追加されるものであっても良い（Ｓ３７４、Ｓ３７５）。
【０５００】
これにより、ＰＯＤＳ４は、印刷するコンテンツの配信処理・印刷に対する課金・セキュリティ管理・ユーザ管理・印刷履歴管理などを統合的に行う。
【０５０１】
この第２２の実施形態は、ＰＯＤＳ４経由の先行配信型である。
【０５０２】
要部の処理手順としては、（１）ＢＤ２からＣＳ３に対して印刷指示し、（２）ＣＳ３からＰＯＤＳ４に印刷データを送信し、（３）ＰＯＤＳ４からＰＣＤＢ５に印刷データを送信し、（４）ＢＤ２からＰＣ７に対して印刷指示し、（５）ＰＣ７がＰＣＤＢ５から印刷データをダウンロードし、（６）ＰＣ７からＰＤ６に対する印刷処理が実行され、情報が印刷される。
【０５０３】
印刷データの流れとしては、「ＣＳ３→ＰＯＤＳ４→ＰＣＤＢ５→ＰＣ７→ＰＤ６」となっている。
【０５０４】
印刷されるデータは、ＢＤ２上で表示できる情報でも、ＢＤ２上で表示できない情報でもよく、印刷専用データでもよい。
【０５０５】
（４）では、ＢＤ２が印刷データの所在・アドレスをＰＣ７に通知することによって印刷対象を指定する場合、ＰＣ７に対して所在・アドレスを直接指定する場合、ＰＣＤＢ５の内容一覧の中から選択して指定する場合がある。
【０５０６】
この実施形態では、ＢＤ２で印刷データを蓄積する必要がなく、あらかじめ印刷データをＰＣＤＢ５に転送しておく（先行配信）により、ＰＣ７での印刷処理時間を短縮でき、ＰＯＤＳ４の課金・セキュリティ機能などを利用できるという利点がある。
【０５０７】
また、ＢＤからＣＳに対して印刷を要求することにより、印刷データもしくはデータの存在位置を特定する情報（ＵＲＬなど）がＣＳからＰＯＤＳを通じてＰＣＤＢに送信され、その後ＰＣが印刷実行要求を受信すると、印刷実行要求の内容に従ってＰＣがＰＣＤＢから印刷データを受信して、ＰＤを通じてそのデータを印刷することができる。
【０５０８】
また、ＰＣがＢＤからデータの存在位置を特定する情報を受信した後、受信した情報に基づいて印刷対象となるデータを取得できなかった場合は、すでにＢＤとＰＣの接続が切断・終了されていても、データ取得不可能であることをＢＤに通知できる。
【０５０９】
また、ＢＤからＰＣへデータの存在位置を特定する情報を送信することにより、印刷対象を指定することができる。
【０５１０】
また、ＰＣ上で印刷対象を特定する方法として、印刷対象を特定する情報を直接入力する方法、または印刷対象の一覧の中から選択して指定する方法のいずれかを用いることができる。
【０５１１】
［第２３の実施形態］
第２３の実施形態のオンデマンドプリントシステムは、図４８に示すように、インターネット１等の通信網を介して情報受信側の携帯端末としてのブラウザデバイス（ＢＤ）２、情報発信側の情報発信装置としてのコンテンツサーバ（ＣＳ）３、印刷するコンテンツの配信処理・印刷に対する課金・セキュリティ管理・ユーザ管理・印刷履歴管理などを統合的に行うプリントオンデマンドサーバ（ＰＯＤＳ）４、印刷用コンテンツ（詳細印刷データ、印刷専用データ）を保管するＰＣＤＢ５、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。
【０５１２】
ＰＣＤＢ５は、印刷用コンテンツ（詳細印刷データ、印刷専用データ）を保管するデータベースであり、この第２３の実施形態ではＰＯＤＳ４により管理されるものである。これにより、ＰＯＤＳ４に、登録場所テーブル４ｅを有している。
【０５１３】
この第２３の実施形態は、第３の実施形態に、ＰＯＤＳ４とＰＣＤＢ５を追加したものであり、図４８に示すように、図１６における地図情報のサイトの選択に基づいて（Ｓ４１）、登録場所テーブル４ｅを参照してＰＯＤＳ４を介してＰＣＤＢ５から印刷データを取得する処理が追加されるものであっても良い（Ｓ３８２、Ｓ３８３、Ｓ３８４）。
【０５１４】
これにより、ＰＯＤＳ４は、印刷するコンテンツの配信処理・印刷に対する課金・セキュリティ管理・ユーザ管理・印刷履歴管理などを統合的に行う。
【０５１５】
このＧ−１第２３の実施形態は、ＰＯＤＳ４主導の専用データ送信・印刷型である。
【０５１６】
要部の処理手順としては、（１）ＢＤ２がＰＣＤＢ５の情報をＣＳ３経由で受信し、（２）ＢＤ２からＰＣ７に対して印刷指示し、ＢＤ２内に蓄積されている印刷データをＰＣ７に転送し、（３）ＰＣ７からＰＤ６に対する印刷処理が実行され、情報が印刷される。
【０５１７】
印刷データの流れは、「ＰＯＤＳ４→ＰＣＤＢ５→ＣＳ３→ＢＤ２→ＰＣ７→ＰＤ６」となっている。
【０５１８】
これにより、ＢＤ２〜ＰＣ７間の直接通信は、無線でも優先（ケーブル通信）でも可能であり、印刷されるデータは、印刷専用データ（非表示データ）である。
【０５１９】
この実施形態では、ＢＤ２を一種のモバイルストレージとして利用でき、ＰＯＤＳ４の課金・セキュリティ機能などを利用でき、印刷専用の出力結果を得られるという利点がある。
【０５２０】
また、ＰＯＤＳからＰＣＤＢおよびＣＳを通じてＢＤが受信したデータを、ＢＤからＰＣに送信することにより、ＰＤを通じてそのデータを印刷することができる。
【０５２１】
また、ＰＣがＢＤから印刷データを受信した後、受信したデータが印刷可能なデータであるかをＰＣが判断し、印刷不可能であると判断した場合は、すでにＢＤとＰＣの接続が切断・終了されていても、印刷不可能であることをＢＤに通知できる。
【０５２２】
［第２４の実施形態］
第２４の実施形態のオンデマンドプリントシステムは、図４９に示すように、インターネット１等の通信網を介して情報受信側の携帯端末としてのブラウザデバイス（ＢＤ）２、情報発信側の情報発信装置としてのコンテンツサーバ（ＣＳ）３、印刷するコンテンツの配信処理・印刷に対する課金・セキュリティ管理・ユーザ管理・印刷履歴管理などを統合的に行うプリントオンデマンドサーバ（ＰＯＤＳ）４、印刷用コンテンツ（詳細印刷データ、印刷専用データ）を保管するＰＣＤＢ５、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。
【０５２３】
ＰＣＤＢ５は、印刷用コンテンツ（詳細印刷データ、印刷専用データ）を保管するデータベースであり、この第２４の実施形態ではＰＯＤＳ４により管理されるものである。これにより、ＰＯＤＳ４に、登録場所テーブル４ｅを有している。
【０５２４】
この第２４の実施形態は、第４の実施形態に、ＰＯＤＳ４とＰＣＤＢ５を追加したものであり、図４９に示すように、図１７におけるＣＳ３が概略地図のデータ（のアドレス）に基づくコンテンツの詳細印刷データあるいは簡略画像データをデータベース３ｄから読み出してＰＣ７へ送信する代わりに（Ｓ５５）、登録場所テーブル４ｅを参照してＰＯＤＳ４を介してＰＣＤＢ５から印刷データを取得する処理が追加されるものであっても良い（Ｓ３９４〜Ｓ３９７）。
【０５２５】
これにより、ＰＯＤＳ４は、印刷するコンテンツの配信処理・印刷に対する課金・セキュリティ管理・ユーザ管理・印刷履歴管理などを統合的に行う。
【０５２６】
この第２４の実施形態は、ＰＯＤＳ４主導の専用データＰＵＬＬ印刷型である。
【０５２７】
要部の処理手順としては、（１）ＢＤ２でＣＳ３の情報を受信・表示し、（２）ＢＤ２からＰＣ７に対して印刷指示し、印刷したいデータの所在・アドレスをＰＣ７に通知し、（３）印刷要求に基づいてＰＣ７からＣＳ３に送信された内容にしたがって、ＰＣＤＢ５の印刷データがＰＯＤＳ４経由でＰＣ７に送信される
（４）ＰＣ７からＰＤ６に対する印刷処理が実行され、情報が印刷される。
【０５２８】
印刷データの流れとしては、「ＰＣＤＢ５→ＰＯＤＳ４→ＰＣ７→ＰＤ６」となっている。
【０５２９】
ＢＤ２〜ＰＣ７間の通信は、無線でも優先（ケーブル通信）でも可能であり、印刷されるデータは、印刷専用データ（非表示データ）である。
【０５３０】
この実施形態では、ＢＤ２で印刷データを蓄積する必要がなく、ＰＯＤＳ４の課金・セキュリティ機能などを利用でき、印刷専用の出力結果を得られるという利点がある。
【０５３１】
また、ＢＤが受信したデータの存在位置を特定する情報（ＵＲＬなど）を、ＢＤからＰＣに送信することにより、ＰＣが受信した情報に基づいて印刷対象となるデータを取得し、ＰＤを通じてそのデータを印刷することができる。
【０５３２】
また、ＰＣがＣＳを通じてＰＣＤＢから印刷データを受信する際に、ＰＯＤＳでの処理を経ることにより、ＰＯＤＳの実現する機能を利用することができる。
【０５３３】
また、ＰＣがＢＤからデータの存在位置を特定する情報を受信した後、受信した情報に基づいて印刷対象となるデータを取得できなかった場合は、すでにＢＤとＰＣの接続が切断・終了されていても、データ取得不可能であることをＢＤに通知できる。
【０５３４】
また、ＰＣがＢＤからデータの存在位置を特定する情報を受信した後、受信した情報に基づいて印刷対象となるデータを即時に取得することによって、その後データ内容が更新されても、以前の情報を印刷することができる。
【０５３５】
また、ＰＣがＢＤからデータの存在位置を特定する情報を受信した後、受信した情報に基づいて印刷対象となるデータを即時に取得せず、次に印刷要求を受けた時点で印刷データを取得して印刷することによって、印刷要求時の（最新の）情報を印刷物として入手できる。
【０５３６】
また、ＰＣがＢＤからデータの存在位置を特定する情報を受信した後、受信した情報に基づいて印刷対象となるデータを即時に取得せず、次に印刷要求を受けるまでの時間のうち、最適な時点で印刷データを取得することができる。
【０５３７】
また、ＣＳ上にあるＢＤ表示用データとＰＣＤＢ上の印刷用データの対応付けをあらかじめ行い、その結果をＰＯＤＳが管理することによって、ＢＤ表示用データの存在位置を特定する情報を、印刷専用データの位置を特定する情報に変換することできる。
【０５３８】
［第２５の実施形態］
第２５の実施形態のオンデマンドプリントシステムは、図５０に示すように、インターネット１等の通信網を介して情報受信側の携帯端末としてのブラウザデバイス（ＢＤ）２、情報発信側の情報発信装置としてのコンテンツサーバ（ＣＳ）３、印刷するコンテンツの配信処理・印刷に対する課金・セキュリティ管理・ユーザ管理・印刷履歴管理などを統合的に行うプリントオンデマンドサーバ（ＰＯＤＳ）４、印刷用コンテンツ（詳細印刷データ、印刷専用データ）を保管するＰＣＤＢ５、プリンタデバイス（ＰＤ）６を制御するプリンタコントローラ（ＰＣ）７が接続されている。また、ＢＤ２とＰＣ７とはブルートゥース機能による無線あるいはケーブルによる有線により接続されている。
【０５３９】
ＰＣＤＢ５は、印刷用コンテンツ（詳細印刷データ、印刷専用データ）を保管するデータベースであり、この第２５の実施形態ではＰＯＤＳ４により管理されるものである。これにより、ＰＯＤＳ４に、登録場所テーブル４ｅを有している。
【０５４０】
この第２５の実施形態は、第５の実施形態に、ＰＯＤＳ４とＰＣＤＢ５を追加したものであり、図５０に示すように、図１８におけるＣＳ３が概略地図のデータ（のアドレス）に基づくコンテンツの詳細印刷データあるいは簡略画像データをデータベース３ｄから読み出してＰＣ７へ送信する代わりに（Ｓ６４）、登録場所テーブル４ｅを参照してＰＯＤＳ４を介してＰＣＤＢ５から印刷データを取得する処理が追加されるものであっても良い（Ｓ４０４〜Ｓ４０７）。
【０５４１】
これにより、ＰＯＤＳ４は、印刷するコンテンツの配信処理・印刷に対する課金・セキュリティ管理・ユーザ管理・印刷履歴管理などを統合的に行う。
【０５４２】
この第２５の実施形態は、ＰＯＤＳ４主導の専用データＰＵＳＨ印刷型である。
【０５４３】
要部の処理手順としては、（１）ＢＤ２からＣＳ３に対して印刷指示し、（２）ＣＳ３からＰＯＤＳ４に印刷指示内容を送信し、（３）ＰＯＤＳ４がＰＣＤＢ５から印刷データを取得して、ＰＣ７に送信し、（４）ＰＣ７からＰＤ６に対する印刷処理が実行され、情報が印刷される。
【０５４４】
印刷データの流れは、「ＰＣＤＢ５→ＰＯＤＳ４→ＰＣ７→ＰＤ６」となっている。
【０５４５】
印刷されるデータは、印刷専用データ（非表示データ）である。
【０５４６】
（１）の前にＰＣ７からＢＤ２に対してＰＣ７を特定するための情報を伝える場合もある。
【０５４７】
（４）の前に、ＰＣ７上での操作やＢＤ２からＰＣ７へのデータ送信によって、印刷処理の開始指示を行う場合もある。
【０５４８】
この実施形態では、ＢＤ２で印刷データを蓄積する必要がなく、既存のＢＤ２をそのまま利用可能で。ＰＯＤＳ４の課金・セキュリティ機能などを利用でき、印刷専用の出力結果を得られるという利点がある。
【０５４９】
また、ＢＤからＣＳに対して印刷を要求することにより、印刷データがＰＣＤＢからＰＯＤＳを通じてＰＣに送信され、ＰＤを通じてそのデータを印刷することができる。
【０５５０】
また、ＣＳがＢＤから印刷要求を受信した後、印刷データを送信する宛先のＰＣ上で印刷データを正しく処理できない（または、ＰＤで正しく印刷できない）ことをＰＯＤＳが検知した場合は、データ印刷不可能であることをＢＤに対して通知できる。
【０５５１】
図５１は、ＢＤ（携帯端末）２の接近検知による自動処理に関する。
【０５５２】
ＰＣ７またはＰＤ６が、自機周辺の一定領域を無線など（ブルートゥース機能等）を使って監視し、対象となるＢＤ２が範囲内に存在することを検知した場合に、対応する処理を行う。対応する処理としては、プリンタ自身の存在を通知する、ＢＤ２から要求された印刷データの印刷を開始する、などがある。
【０５５３】
この処理は上述した各実施形態において用いられるようになっている。
【０５５４】
図５２は、たとえばＰＣ７内の制御部７ａによる接近検知による自動処理を説明するためのフローチャートである。
【０５５５】
すなわち、監視領域内にＢＤ２を検知した際に（ＳＴ２１）、つまりＢＤ２との回線が接続された際に、処理対象のＢＤ２か否かをチェックする（ＳＴ２２）。このチェックの結果、処理対象のＢＤ２の場合、ＢＤ２への通知が必要か否かをチェックする（ＳＴ２３）。このチェックの結果、通知が必要な場合は、ＢＤ２へ通知を送信する（ＳＴ２６）。
【０５５６】
上記通知が不要な場合、あるいは通知を送信済みの場合、プリンタ側での処理が必要か否かをチェックする（ＳＴ２４）。このチェックの結果、処理が必要な場合は、ＰＣ７あるいはＰＤ６で処理を実行する（ＳＴ２５）。
【０５５７】
したがって、ＰＣ７の周辺の一定範囲内にＢＤ２が進入した際に、ＰＣ７からＢＤ２に対して印刷可能プリンタであることを通知し、もしくは当該ＢＤ２により印刷要求済みのデータがあれば自動的にＰＣ７が印刷処理を起動することができる（印刷可能通知）。
【０５５８】
図５３は、プリンタ識別情報の周辺領域への発信に関する。
【０５５９】
ＰＣ７またはＰＤ６が、自機周辺の一定領域に自機を識別するための情報（プリンタ識別情報）を発信する。プリンタ識別情報を取得できる領域内で、ＢＤ２を操作してプリンタ識別情報の取得処理モードに設定していた場合に、受信したプリンタ識別情報を利用することによって、ユーザが特別な操作を行わずに、近くのプリンタを指定することができる。この処理は上述した各実施形態において用いられるようになっている。
【０５６０】
したがって、ＰＣ７が周辺に自分自身を識別する情報を発信することにより、ＢＤ２からＰＵＳＨ印刷を指示する際に、ＰＣ７からの識別情報が自動的にＢＤ２を通じてＰＵＳＨ印刷要求先に送信される（ＰＵＳＨ印刷時のプリンタ指定方法）。
【０５６１】
図５４は、ＰＣ７の自己証明による印刷許可方法に関する。
【０５６２】
ＰＣ７が印刷データを受信するための要求を発する際に、対応するシステムのＰＣ７であることを証明する情報を同時に送信する。印刷データ送信側（ＣＳ３またはＰＯＤＳ４またはＰＣＤＢ５）では、ＰＣ７の自己証明情報をもとに、ＰＣ７の正当性、印刷データとの適合性などを確認し、印刷可能と判断される場合のみ、印刷データをＰＣ７に送信する。これにより、データを印刷以外の目的に利用しないシステムを実現できる。この処理は上述した各実施形態において用いられるようになっている。
【０５６３】
たとえば今、ＣＳ３における印刷許可について説明する。
【０５６４】
まず、ＰＣ７からの印刷要求が送信されてきた際に（ＳＴ３１）、ＰＣ７の自己証明情報が在るか否かをチェックする（ＳＴ３２）。このチェックの結果、ＰＣ７の自己証明情報が在る場合に、ＰＣ７の自己証明が正当か否かをチェックする（ＳＴ３３）。このチェックの結果、ＰＣ７の自己証明が正当な場合、対象の印刷データがこのＰＣ７で印刷可能か否かをチェックする（ＳＴ３４）。このチェックの結果、このＰＣ７で印刷可能な場合に、ＰＣ７へ印刷データを送信する（ＳＴ３５）。上記各チェック結果がＮＧの場合には、印刷不可となる（ＳＴ３６）。
【０５６５】
したがって、ＰＣ７が印刷データを受信する際に、ＰＣ７の自己証明情報を送信し、印刷データ送信側では、正しい自己証明情報を受信できなければ印刷データを送信しないことにより、データを印刷以外の目的に利用できないようにできる（印刷以外の用途への利用禁止）。
【０５６６】
図５５の（ａ）（ｂ）（ｃ）は、データの内容からネットワーク上の所在情報（アドレス）を特定する方法に関する。
【０５６７】
ＨＴＭＬファイルのように、他ファイル（他データ）へのリンク情報を持つデータの場合に利用できる。ネットワーク上のデータは、同一サーバ内に存在するデータ同士で相互にリンク情報を持つことがあり、リンク情報をたどることによって、自分自身に戻ることができる可能性が高い性質を利用する。
【０５６８】
データ内のリンク情報を使って、ネットワーク（インターネット１）上を検索し、元データと同一データを発見することによって、所在を特定できる。
【０５６９】
ネットワーク上の所在情報（アドレス）を利用することが前提となっているＰＯＤシステムにおいて、なんらかの障害により正しい所在情報を得られなかった場合でも、データそのものを解析することによって適応可能となる。
【０５７０】
したがって、印刷データそのものを受信したＰＣ７が、印刷データの内容を解析することによって、印刷データの存在位置を把握することができる（データ内容から位置特定）。
【０５７１】
また、印刷データの先行配信を行う配信方法（配信先の選択）を、印刷データの内容、印刷要求者（ユーザ）の過去の利用履歴、印刷機器の性能、ネットワークの通信状況などに応じて、自動的に判断して送信処理を行うことができる（印刷データの先行配信）ようにしても良い。
【０５７２】
また、印刷データをＰＣに対して送信する場合の送信時期（タイミング）を、印刷データの内容、印刷要求者（ユーザ）の過去の利用履歴、印刷機器の性能、ネットワークの通信状況などに応じて、自動的に判断して送信処理を行うことができるようにしても良い（印刷データの配信タイミング）。
【０５７３】
また、印刷対象を特定する情報以外に、認証情報、課金情報、印刷に関する詳細設定情報を含み、ユーザ毎もしくはドキュメント毎に割り当てられ一意に対象を特定しうる印刷ＩＤを発行・利用することができるようにしても良い。
【０５７４】
また、印刷要求の内容に応じて、印刷すべき情報の表現を適切に変更することができるようにしても良い。
【図面の簡単な説明】
【０５７５】
【図１】この発明の第１の実施形態を説明するための携帯端末によるオンデマンドプリントシステムの概略構成を示す図。
【図２】ＢＤの概略構成を示すブロック図。
【図３】携帯端末の概略構成を示すブロック図。
【図４】プリントオンデマンドサーバの概略構成を示すブロック図。
【図５】登録場所テーブルの記憶例を説明する図。
【図６】ＰＩＤ管理テーブルの記憶例を説明する図。
【図７】プリントコンテンツデータベース（ＰＣＤＢ）の構成例を説明するための図。
【図８】ＰＤの制御回路の内部構成を示す図。
【図９】第１の実施形態における概略構成とデータの送受信の状態を説明するための図。
【図１０】データの送受信の状態を説明するためのフローチャート。
【図１１】ＢＤの表示部における表示例を示す図。
【図１２】ＢＤの表示部における表示例を示す図。
【図１３】ＰＩＤの入力案内画面を説明するための図。
【図１４】案内文と詳細な地図情報の印刷例を説明するための図。
【図１５】第２の実施形態における概略構成とデータの送受信の状態を説明するための図。
【図１６】第３の実施形態における概略構成とデータの送受信の状態を説明するための図。
【図１７】第４の実施形態における概略構成とデータの送受信の状態を説明するための図。
【図１８】第５の実施形態における概略構成とデータの送受信の状態を説明するための図。
【図１９】第６の実施形態における概略構成とデータの送受信の状態を説明するための図。
【図２０】第７の実施形態における概略構成とデータの送受信の状態を説明するための図。
【図２１】第７の実施形態における概略構成とデータの送受信の状態を説明するための図。
【図２２】第７の実施形態における概略構成とデータの送受信の状態を説明するための図。
【図２３】第８の実施形態における概略構成とデータの送受信の状態を説明するための図。
【図２４】第９の実施形態における概略構成とデータの送受信の状態を説明するための図。
【図２５】第１０の実施形態における概略構成とデータの送受信の状態を説明するための図。
【図２６】第１１の実施形態における概略構成とデータの送受信の状態を説明するための図。
【図２７】第１２の実施形態における概略構成とデータの送受信の状態を説明するための図。
【図２８】第１２の実施形態における概略構成とデータの送受信の状態を説明するための図。
【図２９】第１３の実施形態における概略構成とデータの送受信の状態を説明するための図。
【図３０】第１３の実施形態における概略構成とデータの送受信の状態を説明するための図。
【図３１】第１４の実施形態における概略構成とデータの送受信の状態を説明するための図。
【図３２】第１４の実施形態における概略構成とデータの送受信の状態を説明するための図。
【図３３】第１５の実施形態における概略構成とデータの送受信の状態を説明するための図。
【図３４】第１５の実施形態における概略構成とデータの送受信の状態を説明するための図。
【図３５】第１６の実施形態における概略構成とデータの送受信の状態を説明するための図。
【図３６】第１６の実施形態における概略構成とデータの送受信の状態を説明するための図。
【図３７】第１７の実施形態における概略構成とデータの送受信の状態を説明するための図。
【図３８】第１７の実施形態における概略構成とデータの送受信の状態を説明するための図。
【図３９】第１８の実施形態における概略構成とデータの送受信の状態を説明するための図。
【図４０】第１８の実施形態における概略構成とデータの送受信の状態を説明するための図。
【図４１】第１９の実施形態における概略構成とデータの送受信の状態を説明するための図。
【図４２】第１９の実施形態における概略構成とデータの送受信の状態を説明するための図。
【図４３】第２０の実施形態における概略構成とデータの送受信の状態を説明するための図。
【図４４】第２０の実施形態における概略構成とデータの送受信の状態を説明するための図。
【図４５】第２１の実施形態における概略構成とデータの送受信の状態を説明するための図。
【図４６】第２１の実施形態における概略構成とデータの送受信の状態を説明するための図。
【図４７】第２２の実施形態における概略構成とデータの送受信の状態を説明するための図。
【図４８】第２３の実施形態における概略構成とデータの送受信の状態を説明するための図。
【図４９】第２４の実施形態における概略構成とデータの送受信の状態を説明するための図。
【図５０】第２５の実施形態における概略構成とデータの送受信の状態を説明するための図。
【図５１】ＢＰの接近検知による自動処理を説明するための図。
【図５２】ＢＰの接近検知による自動処理を説明するためのフローチャート。
【図５３】プリンタ識別情報の周辺領域への発信処理を説明するための図。
【図５４】ＰＣの自己証明による印刷許可方法を説明するためのフローチャート。
【図５５】データの内容からネットワーク上の所在情報（アドレス）を特定する方法を説明するための図。
【符号の説明】
【０５７６】
１…インターネット、２…ブラウザデバイス（ＢＤ）、３…コンテンツサーバ（ＣＳ）、４…データベース、５…プリントコンテンツデータベース（ＰＣＤＢ）、６…プリンタデバイス（ＰＤ）、７…プリンタコントローラ（ＰＣ）、１４…表示部。
【図１】
2004157992.tif 000003
【図２】
2004157992.tif 000004
【図３】
2004157992.tif 000005
【図４】
2004157992.tif 000006
【図５】
2004157992.tif 000007
【図６】
2004157992.tif 000008
【図７】
2004157992.tif 000009
【図８】
2004157992.tif 000010
【図９】
2004157992.tif 000011
【図１０】
2004157992.tif 000012
【図１１】
2004157992.tif 000013
【図１２】
2004157992.tif 000014
【図１３】
2004157992.tif 000015
【図１４】
2004157992.tif 000016
【図１５】
2004157992.tif 000017
【図１６】
2004157992.tif 000018
【図１７】
2004157992.tif 000019
【図１８】
2004157992.tif 000020
【図１９】
2004157992.tif 000021
【図２０】
2004157992.tif 000022
【図２１】
2004157992.tif 000023
【図２２】
2004157992.tif 000024
【図２３】
2004157992.tif 000025
【図２４】
2004157992.tif 000026
【図２５】
2004157992.tif 000027
【図２６】
2004157992.tif 000028
【図２７】
2004157992.tif 000029
【図２８】
2004157992.tif 000030
【図２９】
2004157992.tif 000031
【図３０】
2004157992.tif 000032
【図３１】
2004157992.tif 000033
【図３２】
2004157992.tif 000034
【図３３】
2004157992.tif 000035
【図３４】
2004157992.tif 000036
【図３５】
2004157992.tif 000037
【図３６】
2004157992.tif 000038
【図３７】
2004157992.tif 000039
【図３８】
2004157992.tif 000040
【図３９】
2004157992.tif 000041
【図４０】
2004157992.tif 000042
【図４１】
2004157992.tif 000043
【図４２】
2004157992.tif 000044
【図４３】
2004157992.tif 000045
【図４４】
2004157992.tif 000046
【図４５】
2004157992.tif 000047
【図４６】
2004157992.tif 000048
【図４７】
2004157992.tif 000049
【図４８】
2004157992.tif 000050
【図４９】
2004157992.tif 000051
【図５０】
2004157992.tif 000052
【図５１】
2004157992.tif 000053
【図５２】
2004157992.tif 000054
【図５３】
2004157992.tif 000055
【図５４】
2004157992.tif 000056
【図５５】
2004157992.tif 000057